(57)【要約】  左眼で視聴されるように作成された左眼用フレーム画像と右眼で視聴されるように作成された右眼用フレーム画像とを含むフレーム画像とを、時間的に交互に切り換えて表示面に表示する液晶パネル（２３１）と、前記左眼用フレーム画像または前記右眼用フレーム画像を表示するためのフレーム画像信号を、前記表示面に亘って走査して前記液晶パネルを駆動する液晶駆動部（２２０）と、を備え、該液晶駆動部（２２０）は、前記表示面に亘って第１走査動作を実行し、前記第１走査動作の後に前記表示面に亘って第２走査動作を実行し、前記第１走査動作は、前記第２走査動作よりも短期間で実行される、表示装置。
2011155148.tif 000002
【特許請求の範囲】
【請求項１】
左眼で視聴されるように作成された左眼用フレーム画像と右眼で視聴されるように作成された右眼用フレーム画像とを、時間的に交互に切り換えて表示面に表示する液晶パネルと、
前記左眼用フレーム画像または前記右眼用フレーム画像を表示するためのフレーム画像信号を、前記表示面に亘って走査して前記液晶パネルを駆動する液晶駆動部と、を備え、
該液晶駆動部は、前記表示面に亘って第１走査動作を実行し、前記第１走査動作の後に前記表示面に亘って第２走査動作を実行し、
前記第１走査動作は、前記第２走査動作よりも短期間で実行される、
表示装置。
【請求項２】
前記液晶駆動部は、前記第２走査動作を行う場合よりも前記第１走査動作を行う場合の方が大きな値の書き込み周波数で前記フレーム画像信号を走査することを特徴とする請求項１記載の表示装置。
【請求項３】
前記フレーム画像信号を前記液晶駆動部へ出力する出力部を更に備え、
該出力部が出力する前記フレーム画像信号は、前記第１走査動作に用いられる第１フレーム画像信号と、前記第２走査動作に用いられる前記第２フレーム画像信号と、を含み、
前記液晶駆動部は、前記第１フレーム画像信号を用いて前記第１走査動作を行う場合よりも前記第２フレーム画像を用いて前記第２走査動作を行う場合の方が低い解像度で前記フレーム画像信号を走査することを特徴とする請求項１記載の表示装置。
【請求項４】
前記フレーム画像信号は、水平同期信号により規定される複数のライン信号を含み、
前記液晶パネルは、前記複数のライン信号がそれぞれ書き込まれる複数の走査線を含み、
前記出力部は、前記複数のライン信号に基づき、前記第１走査動作において前記複数の走査線に同時に書き込まれる共通ライン信号を出力し、
前記液晶駆動部は、前記第１走査動作を行う場合は、前記共通ライン信号を前記複数の走査線に同時に書き込み、前記第２走査動作を行う場合は、前記ライン信号それぞれを前記複数の走査線に順次書き込むことを特徴とする請求項３記載の表示装置。
【請求項５】
前記フレーム画像は、前記液晶パネルに表示される第１画像部分及び第２画像部分を含み、
前記複数のライン信号は、前記第１画像部分を表現するための複数の第１ライン信号と、前記第２画像部分を表現するための複数の第２ライン信号と、を含み、
前記複数の走査線は、前記複数の第１ライン信号が書き込まれる複数の第１走査線と、前記複数の第２ライン信号が書き込まれる複数の第２走査線と、を含み、
前記共通ライン信号は、前記複数の第１ライン信号に基づき生成される第１共通ライン信号と、前記複数の第２ライン信号に基づき生成される第２共通ライン信号と、を含み、
前記液晶駆動部は、前記第１走査動作を行う場合は、前記第１共通ライン信号を前記複数の第１走査線に同時に書き込むとともに、前記第２共通ライン信号を前記複数の第２走査線に同時に書き込み、前記第２走査動作を行う場合は、前記複数の第１ライン信号を前記複数の第１走査線に順次書き込むとともに、前記複数の第２ライン信号を前記複数の第２走査線に順次書き込むことを特徴とする請求項４記載の表示装置。
【請求項６】
前記出力部は、前記複数の第１ライン信号が平均化されてなる前記第１共通ライン信号と、前記複数の第２ライン信号が平均化されてなる前記第２共通ライン信号と、を出力することを特徴とする請求項５記載の表示装置。
【請求項７】
前記出力部は、前記複数の第１ライン信号のうち１つの第１ライン信号を選択し、該選択された第１ライン信号を前記第１共通ライン信号として出力するとともに、前記複数の第２ライン信号のうち１つの第２ライン信号を選択し、該選択された第２ライン信号を前記第２共通ライン信号として出力することを特徴とする請求項５記載の表示装置。
【請求項８】
前記左眼へ到達する光の量を調整する左眼フィルタと、前記右眼へ到達する光量を調整する右眼フィルタとを含む眼鏡装置を制御する制御部を更に備え、
該制御部は、前記左眼で前記左眼用フレーム画像が視聴されるように前記左眼フィルタを制御し、前記左眼へ到達する前記光の量を増大させるとともに、前記右眼で前記右眼用フレーム画像が視聴されるように前記右眼フィルタを制御し、前記右眼へ到達する前記光の量を増大させ、
該制御部が前記左眼フィルタに前記左眼へ到達する光量を増大させる前に、前記液晶駆動部は、前記左眼フレーム画像を表示させるための前記第２走査動作を実行し、
該制御部が前記右眼フィルタに前記右眼へ到達する光量を増大させる前に、前記液晶駆動部は、前記右眼フレーム画像を表示させるための前記第２走査動作を実行することを特徴とする請求項１に記載の表示装置。
【請求項９】
左眼で視聴されるように作成された左眼用フレーム画像と右眼で視聴されるように作成された右眼用フレーム画像とを表示する表示装置と、
前記左眼用フレーム画像が視聴されるように前記左眼へ到達する光量を調整する左眼フィルタと、前記右眼用フレーム画像が視聴されるように前記右眼へ到達する光量を調整する右眼フィルタとを含む眼鏡装置と、を備え、
前記表示装置は、
前記左眼用フレーム画像と前記右眼用フレーム画像とを、時間的に交互に切り換えて表示面に表示する液晶パネルと、
前記左眼用フレーム画像または前記右眼用フレーム画像を表示するためのフレーム画像信号を、前記表示面に亘って走査して前記液晶パネルを駆動する液晶駆動部と、を備え、
該液晶駆動部は、前記表示面に亘って第１走査動作を実行し、前記第１走査動作の後に前記表示面に亘って第２走査動作を実行し、
前記第１走査動作は、前記第２走査動作よりも短期間で実行される、
映像視聴システム。
【発明の詳細な説明】
【技術分野】
【０００１】
本発明は、立体的に知覚される映像を表示する表示装置及び映像視聴システムに関する。
【背景技術】
【０００２】
立体的に知覚される映像を表示する表示装置は、左眼で視聴されるための左眼用フレーム画像と、右眼で視聴されるための右眼用フレーム画像とを所定周期（例えば、フィールド周期）で交互に表示する。表示される左眼用フレーム画像及び右眼用フレーム画像は、視差の分だけ異なる内容を含む。視聴者は、左眼用フレーム画像及び右眼用フレーム画像の表示周期に同期して駆動される液晶シャッタを備える眼鏡装置を通じて、左眼用フレーム画像及び右眼用フレーム画像を視聴する（例えば、特許文献１及び特許文献２参照）。この結果、視聴者は、左眼用フレーム画像及び右眼用フレーム画像に表現されたオブジェクトを立体的に知覚する。【０００３】
図１２は、従来の映像視聴システムのブロック図である。尚、図１２に示される映像視聴システムには、６０Ｈｚの映像信号（左眼用映像信号及び右眼用映像信号）が入力される。【０００４】
映像視聴システム９００は、６０Ｈｚの映像信号（左眼用映像信号及び右眼用映像信号）が入力される映像信号処理部９０１を備える。映像信号処理部９０１は、入力された映像信号を１２０Ｈｚの左眼用映像信号と右眼用映像信号とに変換する。変換された左眼用映像信号及び右眼用映像信号は、液晶駆動部９０２及びバックライト制御部９０３へ出力される。液晶駆動部９０２は、１２０Ｈｚの左眼用映像信号及び右眼用映像信号を液晶パネル９０４で表示可能な形式に変換する。液晶駆動部９０２によって変換された左眼用映像信号及び右眼用映像信号は液晶パネル９０４に出力される。バックライト制御部９０３は、バックライト９０５に発光制御信号を出力する。バックライト９０５は、発光制御信号により液晶パネル９０４に対し、液晶パネル９０４の背面から光を照射する。この結果、液晶パネル９０４に、１２０Ｈｚで左眼用フレーム画像及び右眼用フレーム画像が交互に表示される。【０００５】
眼鏡装置９５０は、左眼シャッタ９５１と右眼シャッタ９５２とを備える。映像信号処理部９０１によって変換された１２０Ｈｚの左眼用映像信号及び右眼用映像信号を基準にして、左眼シャッタ９５１用のシャッタ制御回路９０６及び右眼シャッタ９５２用のシャッタ制御回路９０７は、左眼シャッタ９５１及び右眼シャッタ９５２を同期制御する。【０００６】
図１３は、従来の映像視聴システム９００の制御タイミングチャートである。図１３のセクション（Ａ）は、液晶パネル９０４の左眼用フレーム画像及び右眼用フレーム画像の走査タイミングを示す。図１３のセクション（Ｂ）は、バックライト９０５の点灯タイミングを示す。図１３のセクション（Ｃ）は、眼鏡装置９５０のシャッタ９５１，９５２の開閉タイミングを示す。図１２及び図１３を参照しつつ、従来の映像視聴システム９００が説明される。【０００７】
液晶パネル９０４に左眼用映像信号及び右眼用映像信号が順次書き込まれる。この間、バックライト９０５は常時点灯している。シャッタ制御回路９０６，９０７は、シャッタ９５１，９５２を制御する。液晶パネル９０４への左右交互の書き込み走査の後、シャッタの開期間がそれぞれの映像期間の半分となるように、シャッタ９５１，９５２は、シャッタ制御回路９０６，９０７の制御下で開閉する。シャッタ９５１，９５２を通じて視聴される左眼用フレーム画像及び右眼用フレーム画像は、視聴者の左右の眼でそれぞれ視聴される。この結果、視聴者は、脳内で、視覚的な立体像を生成する。【０００８】
図１３に示される制御タイミングで動作する映像視聴システムにおいて、視聴者はシャッタ９５１，９５２が開かれている期間（立体像の生成に必要な映像を視聴するのに十分な期間）のみ左眼用フレーム画像又は右眼用フレーム画像を視聴する。一方、バックライト９０５は、シャッタ９５１，９５２が開かれている期間以外の期間においても常時点灯している。したがって、図１３に示される制御タイミングで動作する映像視聴システムは、省電力の観点から好ましくない。【０００９】
図１４は、従来の映像視聴システム９００の他の制御タイミングチャートである。図１４のセクション（Ａ）は、液晶パネル９０４の左眼用フレーム画像及び右眼用フレーム画像の走査タイミングを示す。図１４のセクション（Ｂ）は、バックライト９０５の点灯タイミングを示す。図１４のセクション（Ｃ）は、眼鏡装置９５０のシャッタ９５１，９５２の開閉タイミングを示す。図１２乃至図１４を参照しつつ、従来の映像視聴システム９００が更に説明される。【００１０】
特許文献２は、左眼用フレーム画像又は右眼用フレーム画像が視聴される期間のみバックライト９０５が点灯される制御を開示する。図１４に示される制御では、図１３に示される制御と異なり、左眼用フレーム画像又は右眼用フレーム画像が視聴される期間のみバックライト９０５が発光している。したがって、図１４に示される制御は、図１３に示される制御よりも省電力の点で優れている。【００１１】
左眼シャッタ９５１は、液晶パネル９０４が左眼で視聴されるように作成された左眼用フレーム画像を表示した後且つ右眼フレーム画像を表示するための右眼用映像信号が走査される前に開かれる。同様に、右眼シャッタ９５２は、液晶パネル９０４が右眼で視聴されるように作成された右眼用フレーム画像を表示した後且つ左眼フレーム画像を表示するための左眼用映像信号が走査される前に開かれる。【００１２】
図１３及び図１４に示される如く、左眼用映像信号及び／又は右眼用映像信号は液晶パネル９０４の上部から走査される。したがって、液晶パネル９０４の下部における左眼用映像信号及び／又は右眼用映像信号の走査は、液晶パネル９０４の上部に対して遅れることとなる。【００１３】
左眼用映像信号及び／又は右眼用映像信号に基づく液晶の応答は、表示される映像の種類に応じた時間を要求する。例えば、先行して表示されるフレーム画像を表現する画素の輝度と、後に表示されるフレーム画像を表現する画素の輝度との間で大きさ差異が生ずる場合、比較的長い液晶の応答時間が要求される。【００１４】
左眼用フレーム画像又は右眼用フレーム画像の表示が完了するのを待って、左眼シャッタ９５１又は右眼シャッタ９５２が開かれた場合、液晶の応答時間が長いことに起因して、左眼シャッタ９５１又は右眼シャッタ９５２が開かれている期間が短くなる。この結果、視聴者は液晶パネル９０４に表示された立体映像を暗く感じることとなる。【００１５】
左眼用フレーム画像の表示が完了するのを待たずに、左眼シャッタ９５１が開かれた場合、視聴者は、先行して表示された右眼用フレーム画像の影響が混在した左眼用フレーム画像を視聴することとなる。同様に、右眼用フレーム画像の表示が完了するのを待たずに、右眼シャッタ９５２が開かれた場合、視聴者は、先行して表示された左眼用フレーム画像の影響が混在した右眼用フレーム画像を視聴することとなる。このような左眼用フレーム画像と右眼用フレーム画像との混在は、クロストークと称される。液晶パネル９０４の下部における左眼用映像信号及び／又は右眼用映像信号の走査の遅れ並びに液晶の応答時間に起因して、先行するフレーム画像（左眼用フレーム画像又は右眼用フレーム画像）の混在量は、液晶パネル９０４の下部において特に大きくなる。したがって、視聴者は液晶パネル９０４の下部において表示されたフレーム画像を立体的に知覚しにくくなる。
【先行技術文献】
【特許文献】
【００１６】
【特許文献１】特開昭６２−１３３８９１号公報
【特許文献２】特開２００９−２５４３６号公報
【発明の概要】
【００１７】
本発明は、左眼用フレーム画像と右眼用フレーム画像との間のクロストークを抑制することができる表示装置及び映像視聴システムを提供することを目的とする。
【００１８】
本発明の一の局面に係る表示装置は、左眼で視聴されるように作成された左眼用フレーム画像と右眼で視聴されるように作成された右眼用フレーム画像とを、時間的に交互に切り換えて表示面に表示する液晶パネルと、前記左眼用フレーム画像または前記右眼用フレーム画像を表示するためのフレーム画像信号を、前記表示面に亘って走査して前記液晶パネルを駆動する液晶駆動部と、を備え、該液晶駆動部は、前記表示面に亘って第１走査動作を実行し、前記第１走査動作の後に前記表示面に亘って第２走査動作を実行し、前記第１走査動作は、前記第２走査動作よりも短期間で実行されることを特徴とする。
【００１９】
本発明の一の局面に係る映像視聴システムは、左眼で視聴されるように作成された左眼用フレーム画像と右眼で視聴されるように作成された右眼用フレーム画像とを表示する表示装置と、前記左眼用フレーム画像が視聴されるように前記左眼へ到達する光量を調整する左眼フィルタと、前記右眼用フレーム画像が視聴されるように前記右眼へ到達する光量を調整する右眼フィルタとを含む眼鏡装置と、を備え、前記表示装置は、前記左眼用フレーム画像と前記右眼用フレーム画像とを、時間的に交互に切り換えて表示面に表示する液晶パネルと、前記左眼用フレーム画像または前記右眼用フレーム画像を表示するためのフレーム画像信号を、前記表示面に亘って走査して前記液晶パネルを駆動する液晶駆動部と、を備え、該液晶駆動部は、前記表示面に亘って第１走査動作を実行し、前記第１走査動作の後に前記表示面に亘って第２走査動作を実行し、前記第１走査動作は、前記第２走査動作よりも短期間で実行されることを特徴とする。
【００２０】
本発明に係る表示装置及び映像視聴システムは、左眼用フレーム画像と右眼用フレーム画像との間のクロストークを抑制することができる。
【図面の簡単な説明】
【００２１】
【図１】第１実施形態に係る映像視聴システムの構成の概略的なブロック図である。
【図２】図１に示される映像視聴システムの概略図である。
【図３Ａ】図１に示される表示装置の液晶駆動部による第１走査動作を表すグラフである。
【図３Ｂ】図１に示される表示装置の液晶駆動部による第２走査動作を表すグラフである。
【図４】図１に示される映像視聴システムの制御を概略的に表す制御タイミングチャートである。
【図５Ａ】図４に示される液晶駆動部による第１走査動作及び第２走査動作の効果を表すグラフである。
【図５Ｂ】図４に示される液晶駆動部による第１走査動作及び第２走査動作の効果を表すグラフである。
【図５Ｃ】図４に示される液晶駆動部による第１走査動作及び第２走査動作の効果を表すグラフである。
【図６】第２実施形態に係る映像視聴システムの構成の概略的なブロック図である。
【図７】図６に示される表示装置の出力部による共通ライン信号の生成を表す概略図である。
【図８】図６に示される表示装置の出力部による共通ライン信号の生成を表す概略図である。
【図９Ａ】図６に示される表示装置の液晶駆動部による第１走査動作を表すグラフである。
【図９Ｂ】図６に示される表示装置の液晶駆動部による第２走査動作を表すグラフである。
【図１０Ａ】図６に示される表示装置の液晶駆動部による第１走査動作を概略的に説明するタイミングチャートである。
【図１０Ｂ】図６に示される表示装置の液晶駆動部による第２走査動作を概略的に説明するタイミングチャートである。
【図１１Ａ】図１０Ａ及び図１０Ｂに示される液晶駆動部による第１走査動作及び第２走査動作の効果を概略的に説明するグラフである。
【図１１Ｂ】図１０Ａ及び図１０Ｂに示される液晶駆動部による第１走査動作及び第２走査動作の効果を概略的に説明するグラフである。
【図１１Ｃ】図１０Ａ及び図１０Ｂに示される液晶駆動部による第１走査動作及び第２走査動作の効果を概略的に説明するグラフである。
【図１２】従来の映像視聴システムの構成を概略的に示すブロック図である。
【図１３】従来の映像視聴システムの制御を例示する制御タイミングチャートである。
【図１４】従来の映像視聴システムの制御を例示する制御タイミングチャートである。
【発明を実施するための形態】
【００２２】
以下、一実施形態に係る表示装置及び映像視聴システムが図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、単に表示装置及び映像視聴システムの原理を容易に理解させることを目的とするものであり、表示装置及び映像視聴システムの原理は、これらに何ら限定されるものではない。
【００２３】
＜第１実施形態＞
（映像視聴システムの構成）
図１は、第１実施形態に係る映像視聴システムの構成を概略的に示すブロック図である。図２は、図１に示される映像視聴システムの概略図である。図１及び図２を参照しつつ、映像視聴システムの構成が説明される。
【００２４】
映像視聴システム１００は、左眼で視聴されるように作成された左眼用フレーム画像と、右眼で視聴されるように作成された右眼用フレーム画像とを含むフレーム画像を表示する表示装置２００と、表示装置２００が表示する左眼用フレーム画像及び右眼用フレーム画像の視聴を補助する眼鏡装置３００とを備える。眼鏡装置３００は、視聴者が左眼で左眼用フレーム画像を視聴し、右眼で右眼用フレーム画像を視聴するように、表示装置２００による左眼用フレーム画像及び右眼用フレーム画像の表示に同期した立体視補助動作を行う。この結果、視聴者は、眼鏡装置３００を通じて、表示装置２００が表示するフレーム画像（左眼用フレーム画像及び右眼用フレーム画像）を立体的に知覚する（視聴者は、左眼用フレーム画像及び右眼用フレーム画像中で表現されたオブジェクトを、左眼用フレーム画像及び右眼用フレーム画像が映し出される表示面に対して、飛び出たように或いは引っ込んだように知覚する）。
【００２５】
視力矯正用の眼鏡と同様の形状をなす眼鏡装置３００は、視聴者の左眼前に配設される左眼フィルタ３１１と、視聴者の右眼前に配設される右眼フィルタ３１２とを含む光学フィルタ部３１０を備える。左眼フィルタ３１１及び右眼フィルタ３１２は、表示装置２００が表示する映像から視聴者の左眼へ到達する光の量（以下、左眼光量と称される）及び視聴者の右眼へ到達する光の量（以下、右眼光量と称される）を調整可能に形成される光学素子を含む。左眼フィルタ３１１及び右眼フィルタ３１２として、視聴者の左眼及び右眼へ透過する光路を開閉するシャッタ素子（例えば、液晶シャッタ）、視聴者の左眼及び右眼へ透過する光を偏光する偏光素子（例えば、液晶フィルタ）や光量を調整可能な他の光学素子が好適に用いられる。左眼フィルタ３１１は、左眼用フレーム画像の表示に同期して、左眼光量を増大させる一方で、右眼用フレーム画像の表示に同期して、左眼光量を低減させるように制御される。同様に、右眼フィルタ３１２は、右眼用フレーム画像の表示に同期して、右眼光量を増大させる一方で、左眼用フレーム画像の表示に同期して、右眼光量を低減させるように制御される。
【００２６】
表示装置２００は、映像信号処理部２１０、液晶駆動部２２０、表示部２３０、第１制御部２５０、第２制御部２４０を備える。
【００２７】
映像信号処理部２１０には、基本となる垂直同期周波数を有する映像信号（左眼用映像信号及び右眼用映像信号）が入力される。映像信号処理部２１０は、入力された左眼用映像信号（以下、Ｌ信号と称される）と右眼用映像信号（以下、Ｒ信号と称される）とを、基本となる垂直同期周波数のＮ倍（Ｎは自然数）の周波数で、交互に出力する。本実施形態では、入力された６０Ｈｚの映像信号が、１２０ＨｚのＬ信号及びＲ信号に変換される。変換を通じて得られたＬ信号及びＲ信号は、液晶駆動部２２０へ出力される。加えて、映像信号処理部２１０は、Ｌ信号及びＲ信号の出力に同期して、第１制御部２５０に制御信号を出力する。第１制御部２５０は、映像信号処理部２１０からの制御信号に基づき、表示部２３０のバックライト２３２を制御する。映像信号処理部２１０は、Ｌ信号及びＲ信号の出力に同期して、第２制御部２４０を制御するための制御信号を出力する。第２制御部２４０は、映像信号処理部２１０からの制御信号に基づき、光学フィルタ部３１０を制御する。第１制御部２５０及び／又は第２制御部２４０へ出力される制御信号は、映像信号処理部２１０による変換後のＬ信号及び／又はＲ信号自体であってもよい。代替的に、Ｌ信号及び／又はＲ信号の１２０Ｈｚの垂直同期信号であってもよい。
【００２８】
本実施形態において、Ｌ信号に含まれる一の垂直同期信号と、該一の垂直同期信号に続いて入力される後の垂直同期信号との間の映像情報を含む映像信号は、以下の説明において、左眼用フレーム画像信号と称される。また、Ｒ信号に含まれる一の垂直同期信号と、該一の垂直同期信号に続いて入力される後の垂直同期信号との間の映像情報を含む映像信号は、以下の説明において、右眼用フレーム画像信号と称される。左眼用フレーム画像信号は、左眼用フレーム画像を表現するために用いられる。同様に、右眼用フレーム画像信号は、右眼用フレーム画像を表現するために用いられる。
【００２９】
表示部２３０は、液晶を用いて左眼用フレーム画像と右眼用フレーム画像とを時間的に交互に切り換えて表示する液晶パネル２３１と、液晶パネル２３１に光を照射するバックライト２３２とを備える。液晶駆動部２２０は、主走査方向及び副走査方向にフレーム画像信号（左眼用フレーム画像信号又は右眼用フレーム画像信号）を走査し、液晶パネル２３１の液晶を駆動する。図２に示されるように、液晶パネル２３１の幅方向は、フレーム画像信号の主走査方向として例示される。液晶パネル２３１の上下方向は、フレーム画像信号の副走査方向として例示される。また、フレーム画像の表示に用いられる副走査方向の区間（液晶パネル２３１の上端縁から下端縁までの区間）は、副走査区間Ｓとして例示される。液晶駆動部２２０は、左眼用フレーム画像信号と右眼用フレーム画像信号とを交互に走査する。この結果、液晶パネル２３１に左眼用フレーム画像及び右眼用フレーム画像が時間的に交互に表示される。
【００３０】
本実施形態において、Ｌ信号及び／又はＲ信号に含まれるフレーム画像信号が映像信号処理部２１０から液晶駆動部２２０へ入力されると、液晶駆動部は、副走査区間Ｓに亘って液晶の駆動を開始させる第１走査動作と、フレーム画像を液晶パネル２３１に表示させるための第２走査動作とを実行する。尚、第２走査動作は、第１走査動作の後に実行される。後述されるように、液晶駆動部２２０は、第１走査動作を、第２走査動作よりも短期間で実行する。この結果、第１走査動作が実行された後であって、左眼フィルタ３１１が左眼光量を増大させる前又は右眼フィルタ３１２が右眼光量を増大させる前に実行される第２走査動作のための十分に長い時間が確保されることとなる。
【００３１】
液晶駆動部２２０は、Ｌ信号及びＲ信号に含まれる垂直同期信号及び水平同期信号にしたがって、Ｌ信号及びＲ信号を、液晶パネル２３１が表示可能な形式に変換する。液晶駆動部２２０は、液晶パネル２３１上のフレーム画像の表示ごとに、変換されたＬ信号及びＲ信号のフレーム画像信号を用いて、第１走査動作と第２走査動作とを実行する。
【００３２】
液晶パネル２３１は、主走査方向に延びるとともに副走査方向に整列された複数の走査線を含む。Ｌ信号及びＲ信号に含まれる垂直同期信号によって規定されるフレーム画像信号は、液晶パネル２３１の複数の走査線に対応する複数のライン信号を含む。ライン信号は、フレーム画像信号に含まれる水平同期信号によって規定される。一の水平同期信号と、該一の水平同期信号に続く後の水平同期信号との間の映像情報を含む映像信号が、各走査線に対応するライン信号として用いられる。各走査線に対応する各ライン信号は、上方の走査線から下方の走査線まで、液晶駆動部２２０によって順次書き込まれる。この結果、各走査線に沿うように配列された液晶が順次駆動され、フレーム画像が液晶パネル２３１上に表示されることとなる。
【００３３】
液晶パネル２３１は、上述の液晶駆動部２２０による液晶の駆動によって、入力されたＬ信号とＲ信号とに応じて、背面から入射する光を変調する。この結果、液晶パネル２３１は、左眼で視聴されるように作成された左眼用フレーム画像と、右眼で視聴されるように作成された右眼用フレーム画像とを交互に表示する。液晶パネル２３１には、例えば、ＩＰＳ（In Plane Switching）方式や、ＶＡ（Vertical Alignment）方式やＴＮ（Twisted Nematic）方式といった様々な駆動方式が好適に適用される。
【００３４】
バックライト２３２は、液晶パネル２３１の背面から液晶パネル２３１の表示面に向けて光を照射する。本実施形態において、バックライト２３２として、面発光するように二次元配列された複数の発光ダイオード（ＬＥＤ）（図示せず）が用いられている。代替的に、バックライト２３２として、面発光するように配列された複数の蛍光管が用いられてもよい。バックライト２３２として用いられる発光ダイオードや蛍光管は、液晶パネル２３１の縁部に配設され、面発光を生じさせてもよい（エッジタイプ）。
【００３５】
第１制御部２５０は、映像信号処理部２１０から出力された１２０Ｈｚの制御信号を基準に発光制御信号を出力する。バックライト２３２は、発光制御信号に基づき明滅可能である。
【００３６】
第２制御部２４０は、眼鏡装置３００の光学フィルタ部３１０を、左眼用フレーム画像及び右眼用フレーム画像の表示周期に合わせて制御する。本実施形態において、第２制御部は、眼鏡装置３００を制御する制御部として例示される。
【００３７】
第２制御部２４０は、左眼フィルタ３１１を制御するための左眼用のフィルタ制御部２４１（以下、Ｌフィルタ制御部２４１と称される）と、右眼フィルタ３１２を制御するための左眼用のフィルタ制御部２４２（以下、Ｒフィルタ制御部２４２と称される）とを備える。液晶パネル２３１が左眼用フレーム画像及び右眼用フレーム画像を、例えば、１２０Ｈｚで交互に表示するとき、Ｌフィルタ制御部２４１は、左眼フィルタ３１１が６０Ｈｚの周期で左眼光量を調整する（増減させる）ように眼鏡装置３００を制御する。同様に、Ｒフィルタ制御部２４２は、右眼フィルタ３１２が６０Ｈｚの周期で右眼光量を調整する（増減させる）ように眼鏡装置３００を制御する。
【００３８】
図２に示される如く、本実施形態において、表示装置２００は、左眼用フレーム画像の表示に同期する第１同期信号を送信する第１送信部２４３と、右眼用フレーム画像の表示に同期する第２同期信号を送信する第２送信部２４４とを備える。また、眼鏡装置３００は、左眼フィルタ３１１と右眼フィルタ３１２との間に配設される受信部３２０を備える。受信部３２０は、第１同期信号及び第２同期信号を受信する。第１同期信号の波形は、好ましくは、第２同期信号の波形と異なる。受信部３２０は、受信された同期信号の波形に基づき、第１同期信号と第２同期信号とを識別する。かくして、眼鏡装置３００は、第１同期信号に基づき、左眼フィルタ３１１を動作させる。また、眼鏡装置３００は、第２同期信号に基づき、右眼フィルタ３１２を動作させる。表示装置２００と眼鏡装置３００との間の同期信号の無線通信並びに眼鏡装置３００による同期信号（第１同期信号及び第２同期信号）の内部処理に対して、既知の他の通信技術並びに既知の他の信号処理技術が用いられてもよい。代替的に、表示装置２００と眼鏡装置３００との間の同期信号（第１同期信号及び第２同期信号）の通信が、有線式に行われてもよい。また、左眼用映像の表示に同期する第１同期信号を送信する第１送信部２４３と、右眼用映像の表示に同期する第２同期信号を送信する第２送信部２４４とを共通化して１つの送信部としてもよい。この場合、同期信号を共通化して左眼用映像の表示と右眼用映像の表示とを信号の立ち上がりに交互に同期させてもよい。
【００３９】
Ｌフィルタ制御部２４１及びＲフィルタ制御部２４２は、映像信号処理部２１０からの制御信号を基準とし、左眼フィルタ３１１による左眼光量の増減周期の位相及び右眼フィルタ３１２による右眼光量の増減周期の位相を決定する。Ｌフィルタ制御部２４１及びＲフィルタ制御部２４２は、決定された位相に従い、第１同期信号及び第２同期信号を出力する。左眼フィルタ３１１及び右眼フィルタ３１２それぞれは、第１同期信号及び第２同期信号に基づき、左眼用フレーム画像の表示及び右眼用フレーム画像の表示に同期して、左眼光量及び右眼光量を増減させる。
【００４０】
第２制御部２４０は、液晶パネル２３１の応答特性並びに表示される左眼用フレーム画像と右眼用フレーム画像との間のクロストーク（相互干渉）を考慮して、左眼フィルタ３１１及び右眼フィルタ３１２それぞれが左眼光量及び右眼光量を増大させている期間（以下、光量増大期間と称される）の長さと、光量増大期間のタイミング（位相）を決定する。Ｌフィルタ制御部２４１は、左眼光量に対する光量増大期間の長さ及びタイミングを制御する。Ｒフィルタ制御部２４２は、右眼光量に対する光量増大期間の長さ及びタイミングを制御する。
【００４１】
映像信号処理部２１０の１２０Ｈｚの制御信号に基づき動作する第１制御部２５０は、左眼フィルタ３１１及び右眼フィルタ３１２による光量調整の動作に同期してバックライト２３２を発光させる発光制御信号を出力する。バックライト２３２は、発光制御信号に基づき、明滅することができる。尚、本実施形態において、バックライト２３２は、第１制御部２５０の制御下で、常時点灯している。したがって、視聴者がフレーム画像を視聴することができる視聴期間のタイミング及び長さは、眼鏡装置３００の光学フィルタ部３１０の動作によって定められる。
【００４２】
代替的に、第１制御部２５０は、第２制御部２４０によって調整される光量増大期間中の一部の期間或いは光量増大期間と略一致する期間において、バックライト２３２を点灯させ、他の期間においてバックライト２３２を消灯させてもよい。このような第１制御部２５０によるバックライト２３２の明滅制御下において、視聴者がフレーム画像を視聴することができる視聴期間のタイミング及び長さは、バックライト２３２の明滅動作によって定められる。
【００４３】
（走査動作）
図３Ａ及び図３Ｂは、本実施形態に用いられる第１走査動作と第２走査動作とを概略的に説明するグラフである。図３Ａは、第１走査動作を概略的に説明するグラフである。図３Ｂは、第２走査動作を概略的に説明するグラフである。図１、図３Ａ及び図３Ｂを参照しつつ、液晶駆動部２２０による走査動作が説明される。
【００４４】
図３Ａ及び図３Ｂのグラフの横軸は、時間軸である。図３Ａ及び図３Ｂのグラフの縦軸は、液晶パネル２３１の副走査方向の位置を表す。図３Ａ及び図３Ｂのグラフに示される矢印ＣＴは、液晶パネル２３１の副走査方向に整列した各走査線に沿う各画素に印加される電圧の印加時間を表す。尚、説明の理解を容易にするために、図３Ａ及び図３Ｂに概略的に示される走査動作によって液晶パネル２３１に表示されるフレーム画像は単一色とされている。したがって、液晶パネル２３１の各画素に対する電圧の印加時間の長さ（即ち、矢印ＣＴの長さ）は、第１走査期間において、一定である。同様に、液晶パネル２３１の各画素に対する電圧の印加時間の長さ（即ち、矢印ＣＴの長さ）は、第２走査期間において、一定である。
【００４５】
液晶駆動部２２０は、液晶パネル２３１の上方に位置する走査線から、順次、ライン信号を書き込む。したがって、図３Ａ及び図３Ｂの矢印ＣＴで示されるように、下方に位置する走査線に沿う画素ほど、ライン信号の書き込みに伴う電圧が印加されるタイミングが遅れていく。
【００４６】
上述の如く、液晶駆動部２２０は、フレーム画像を液晶パネル２３１に表示させるために第１走査動作と第２走査動作とを実行する。第１走査動作を行う液晶駆動部２２０は、第２走査動作を行う液晶駆動部２２０よりも高い値の書き込み周波数でフレーム画像信号を走査する。尚、第２走査動作における書き込み周波数は、フレーム画像を表示するのに十分な電圧の印加時間を確保できるような値に設定される。
【００４７】
図３Ａに示される如く、第１走査動作において、最も上方に位置する走査線に対するライン信号の書き込みが開始されてから最も下方に位置する走査線に対するライン信号の書き込みが完了するまでの第１走査期間の長さは、「Ｔ１」である。図３Ａ及び図３Ｂに示される如く、第２走査動作において、最も上方に位置する走査線に対するライン信号の書き込みが開始されてから最も下方に位置する走査線に対するライン信号の書き込みが完了するまでの第２走査期間の長さは、「Ｔ２」である。第１走査動作と第２走査動作との間の書き込み周波数の相違に起因して、第１走査期間の長さ「Ｔ１」は、第２走査期間の長さ「Ｔ２」よりも短くなる。例えば、第１走査動作における書き込み周波数が第２走査動作における書き込み周波数の２倍の値であるとき、第１走査期間の長さ「Ｔ１」は、第２走査期間の長さ「Ｔ２」の２分の１となる。
【００４８】
図４は、映像視聴システム１００の制御を概略的に表す制御タイミングチャートである。図４のセクション（Ａ）は、液晶パネル２３１の映像の走査タイミングを概略的に示す。図４のセクション（Ｂ）は、眼鏡装置３００の左眼フィルタ３１１によって調整される左眼光量の変動並びに右眼フィルタ３１２によって調整される右眼光量の変動を概略的に表す。図４のセクション（Ｃ）は、液晶駆動部２２０による走査動作により最初に応答を開始する液晶（液晶パネル２３１の最も上方に位置する走査線上の液晶）の応答を概略的に示す。図４のセクション（Ｄ）は、液晶駆動部２２０による走査動作により最後に応答を開始する液晶（液晶パネル２３１の最も下方に位置する走査線上の液晶）の応答を概略的に示す。図１、図３Ａ乃至図４を参照しつつ、液晶駆動部２２０による走査動作が更に説明される。
【００４９】
図４に示される如く、１フィールド（６０Ｈｚ）の期間は、左眼走査区間（以下、Ｌ区間と称される）と右眼走査区間（以下、Ｒ区間と称される）とに等分割される。Ｌ区間において、左眼用フレーム画像信号が走査される。Ｒ区間において、右眼用フレーム画像信号が走査される。尚、説明の理解を容易にするために、左眼用フレーム画像は、白色の画像とされ、右眼用フレーム画像は黒色の画像とされる。
【００５０】
図４のセクション（Ａ）に示される矢印Ｓ１は、液晶駆動部２２０の第１走査動作を示す。図４のセクション（Ａ）に示される矢印Ｓ２は、液晶駆動部２２０の第２走査動作を示す。
【００５１】
第１走査動作は、Ｌ区間とＲ区間との切り替わり時刻から開始される。液晶駆動部２２０は、液晶パネル２３１の最も上方に位置する走査線から、順次、フレーム画像信号に含まれるライン信号を書き込む。図３Ａ及び図３Ｂに関連して説明された如く、第１走査動作の開始から完了までの第１走査期間の長さは「Ｔ１」である。
【００５２】
第２走査動作は、第１走査動作の完了直後から開始される。液晶駆動部２２０は、第２規定信号及び第１走査動作に用いられたフレーム画像信号と同一の画像情報を有するフレーム画像信号を再度走査する。液晶駆動部２２０は、第１走査動作と同様に、液晶パネル２３１の最も上方に位置する走査線から、順次、ライン信号を書き込む。図３Ａ及び図３Ｂに関連して説明された如く、第２走査動作の開始から完了までの第２走査期間の長さは、「Ｔ２」である。
【００５３】
図４のセクション（Ｂ）に示されるチャート線は、左眼光量及び右眼光量の増減を示す。左眼フィルタ３１１は、Ｌフィルタ制御部２４１の制御下で、Ｌ区間における第２走査動作の完了直後或いは第２走査動作の完了と同時に左眼光量を増大させる。その後、Ｒ区間における第１走査動作の開始直前或いは第１走査動作の開始と同時に左眼光量を低減させる。同様に、右眼フィルタ３１２は、Ｒフィルタ制御部２４２の制御下で、Ｒ区間における第２走査動作の完了直後或いは第２走査動作の完了と同時に右眼光量を増大させる。その後、Ｌ区間における第１走査動作の開始直前或いは第１走査動作の開始と同時に右眼光量を低減させる。かくして、第２制御部２４０によって規定された光量増大期間Ｉ（左眼光量又は右眼光量が増大されている期間）の間、視聴者は左眼用フレーム画像又は右眼用フレーム画像を視聴することができる。
【００５４】
図４のセクション（Ｃ）及びセクション（Ｄ）に示されるチャート線ＲＥは、液晶パネル２３１の液晶層を透過する透過光量を示す。図４のセクション（Ｃ）に示される如く、液晶パネル２３１の最も上方に位置する走査線に書き込まれたライン信号によって駆動される液晶は、第１走査動作の開始直後に応答を開始する。図４のセクション（Ｄ）に示される如く、液晶パネル２３１の最も下方に位置する走査線に書き込まれたライン信号によって駆動される液晶は、第１走査動作の完了直後に応答を開始する。
【００５５】
図５Ａ乃至図５Ｃは、１つのフレーム画像の表示に対して第１走査動作と第２走査動作とが実行されることによる効果を概略的に説明するグラフである。図５Ａは、１つのフレーム画像の表示に対して第１走査動作のみが実行されたときの液晶の応答を示す。図５Ｂは、１つのフレーム画像の表示に対して第２走査動作のみが実行されたときの液晶の応答を示す。図５Ｃは、１つのフレーム画像の表示に対して、第１走査動作と第２走査動作とが実行されたときの液晶の応答を示す。図１、図３Ａ乃至図５Ｃを参照しつつ、第１走査動作及び第２走査動作の効果が説明される。
【００５６】
図５Ａ乃至図５Ｃに示されるグラフの横軸は、時間軸である。図５Ａ乃至図５Ｃに示されるグラフの左側の縦軸は、液晶パネル２３１の副走査方向の位置を示す。図５Ａ及び図５Ｃに示される矢印Ｓ１は、図４のセクション（Ａ）と同様に、第１走査動作を示す。また、図５Ｂ及び図５Ｃに示される矢印Ｓ２は、図４のセクション（Ａ）と同様に、第２走査動作を示す。
【００５７】
図５Ａに示される走査動作では、時刻「０」から、液晶パネル２３１の最も上方に位置する走査線に第１書き込み周波数でライン信号が書き込まれる。液晶駆動部２２０は、順次、下方の走査線に第１書き込み周波数でライン信号を書き込む。時刻「Ｔ１」において、液晶パネル２３１の最も下方に位置する走査線へのライン信号の書き込みが完了する。
【００５８】
図５Ｂに示される走査動作では、時刻「０」から、液晶パネル２３１の最も上方に位置する走査線に第２書き込み周波数でライン信号が書き込まれる。液晶駆動部２２０は、順次、下方の走査線に第２書き込み周波数でライン信号を書き込む。時刻「Ｔ２」において、液晶パネル２３１の最も下方に位置する走査線へのライン信号の書き込みが完了する。
【００５９】
図５Ｃに示される第１走査動作では、時刻「０」から、液晶パネル２３１の最も上方に位置する走査線にライン信号が書き込まれる。上述の如く、第１走査動作におけるライン信号の書き込みは、第２走査動作におけるライン信号の書き込み周波数の値より高く設定された第１書き込み周波数で行われる。液晶駆動部２２０は、順次、下方の走査線に第１書き込み周波数でライン信号を書き込む。時刻「Ｔ１」において、液晶パネル２３１の最も下方に位置する走査線へのライン信号の書き込みが完了する。
【００６０】
その後、液晶駆動部２２０は、第２走査動作を実行する。上述の如く、第２走査動作におけるライン信号の書き込みは、フレーム画像を適切に表示することができる値に設定された第２書き込み周波数で行われる。時刻「Ｔ１」から、液晶パネル２３１の最も上方に位置する走査線に第２書き込み周波数でライン信号が書き込まれる。液晶駆動部２２０は、その後、下方の走査線に第２書き込み周波数でライン信号を、順次、書き込む。時刻「Ｔ１＋Ｔ２」において、液晶パネル２３１の最も下方に位置する走査線へのライン信号の書き込みが完了する。
【００６１】
図５Ａ乃至図５Ｃに示されるグラフの右側の縦軸は、液晶パネル２３１の最も下方に位置する走査線に書き込まれたライン信号によって駆動される液晶の応答度を示す。図５Ａ乃至図５Ｃに示されるグラフのチャート線ＲＥＬは、液晶パネル２３１の最下に位置する液晶の応答度を示す。尚、図５Ａ乃至図５Ｃに示されるグラフのチャート線ＲＥＬは、図４に示されるＬ区間（白色の左眼フレーム画像を表示するための区間）における液晶の応答度を示す。
【００６２】
図５Ａ乃至図５Ｃのグラフの右側の縦軸において、液晶パネル２３１の最下に位置する走査線に書き込まれたライン信号に規定された色を表示するのに必要な光量に相当するバックライト２３２からの光を透過させたときの液晶の応答度が、「１００」の数値で表されている。また、直前のフレーム画像信号に基づく液晶の応答度が、「０」の数値で表されている。
【００６３】
図３Ａ及び図３Ｂの矢印ＣＴで示される如く、画素の充電電圧を目標値まで到達させるには第１走査動作中の書き込み時間は不十分である。したがって、図５Ａに示される如く、第１走査動作のみがフレーム画像の表示のために実行されたときは、その後、十分な時間経過後も液晶の応答度は、目標とする値に到達しない。
【００６４】
一方、図５Ｂに示される如く、第２走査動作のみがフレーム画像の表示のために実行されたときは、最下に位置する走査線に沿う液晶は、比較的遅い時刻「Ｔ２」から応答を開始する。この結果、光量増大期間Ｉが開始されたとき、最下に位置する走査線に沿う液晶は、十分な応答度に到達していない。
【００６５】
図５Ｃに示される如く、液晶駆動部２２０が第１走査動作を実行したとき、最下に位置する走査線に沿う液晶は、時刻「Ｔ１」から応答を開始する。その後、時刻「Ｔ１」から液晶駆動部２２０が第２走査動作を実行すると、第１走査動作によって一定量の応答動作をした液晶が第２走査動作によって目標の応答度となるように更に応答する。この結果、最下に位置する走査線に沿う液晶は、比較的短時間で所望の応答度に到達することができる。第１書き込み周波数が、第２書き込み周波数の２倍の値であるならば、図５Ｃの液晶の応答開始時刻「Ｔ１」は、図５Ｂの液晶の応答開始時刻「Ｔ２」の半分になる。第１書き込み周波数の大きさは、液晶の応答開始時刻と第１走査動作により達成される液晶の応答度とに基づいて、適切に決定される。
【００６６】
図５Ｃに示される如く、時刻「Ｔ１＋Ｔ２」において、光量増大期間Ｉが開始されたとき、第１走査動作及び第２走査動作によって駆動された液晶は、比較的高い応答度となっている。上述の如く、第１走査動作のみによって駆動された液晶は、不十分な書き込み時間に起因して、比較的低い応答度となっている。また、第２走査動作のみによって駆動された液晶は、応答開始の遅れに起因して、低い応答度となっている。したがって、液晶駆動部２２０が第１走査動作及び第２走査動作を実行することによって、比較的遅いタイミングで走査動作がなされる液晶パネル２３１の表示領域で表示されるフレーム画像の部分におけるクロストークが好適に低減されることとなる。かくして、視聴者は、クロストークが低減されたフレーム画像を視聴することができる。
【００６７】
＜第２実施形態＞
（映像視聴システムの構成）
図６は、第２実施形態に係る映像視聴システム１００Ａの構成を概略的に示すブロック図である。第２実施形態に係る映像視聴システム１００Ａと、第１実施形態に係る映像視聴システム１００との相違点が説明される。
【００６８】
映像視聴システム１００Ａは、第１実施形態と同様の眼鏡装置３００と、左眼用フレーム画像と右眼用フレーム画像とを交互に表示する表示装置２００Ａを備える。表示装置２００Ａは、第１実施形態の表示装置２００と同様の映像信号処理部２１０、液晶駆動部２２０、表示部２３０、第１制御部２５０及び第２制御部２４０に加えて、出力部２６０を備える。
【００６９】
第１実施形態と同様に、映像信号処理部２１０には、基本となる垂直同期周波数を有する映像信号（左眼用映像信号及び右眼用映像信号）が入力される。映像信号処理部２１０は、入力された左眼用映像信号（以下、Ｌ信号と称される）と右眼用映像信号（以下、Ｒ信号と称される）とを、基本となる垂直同期周波数のＮ倍（Ｎは自然数）の周波数で、交互に出力する。変換を通じて得られたＬ信号及びＲ信号は、出力部２６０へ出力される。
【００７０】
出力部２６０は、液晶駆動部２２０により実行される第１走査動作に用いられる第１フレーム画像信号と、液晶駆動部２２０により実行される第２走査動作に用いられる第２フレーム画像信号とを、液晶駆動部２２０へ出力する。本実施形態において、第１フレーム画像信号を用いて第１走査動作を行う液晶駆動部２２０は、第２フレーム画像信号を用いて第２走査動作を行う液晶駆動部２２０よりも低い解像度でフレーム画像信号を走査する。
【００７１】
出力部２６０は、Ｌ信号及び／又はＲ信号のフレーム画像信号に含まれる水平同期信号に規定される複数のライン信号を処理するライン信号処理部２６１と、ライン信号を記憶するライン信号記憶部２６２とを含む。ライン信号処理部２６１及びライン信号記憶部２６２は、後述されるように、協働してフレーム画像信号のライン信号に対して平均化処理又は選択処理を行い、第１フレーム画像信号を生成する。
【００７２】
図７は、出力部２６０が実行するライン信号に対する平均化処理を概略的に説明する図である。図６及び図７を参照しつつ、出力部２６０が実行するライン信号に対する平均化処理が説明される。
【００７３】
図７には、ライン信号が書き込まれる複数の走査線Ｌ１乃至Ｌ１６が示されている。主走査線方向に延びる走査線Ｌ１乃至Ｌ１６は、副走査方向に略平行に整列される。各走査線に沿って、画素Ｐが整列される。本実施形態において、互いに隣接する一対の走査線の組（例えば、走査線Ｌ１，Ｌ２の組，走査線Ｌ３，Ｌ４の組、走査線Ｌ５，Ｌ６の組）に沿う画素Ｐの集合は、それぞれが複数の表示領域を形成する。例えば、走査線Ｌ１，Ｌ２の組にそれぞれ書き込まれる複数のライン信号によって表現されるフレーム画像の部分は、第１画像部分として例示される。また、走査線Ｌ３，Ｌ４の組にそれぞれ書き込まれる複数のライン信号によって表現されるフレーム画像の部分は、第２画像部分として例示される。この場合、走査線Ｌ１，Ｌ２の組にそれぞれ書き込まれる複数のライン信号は、第１ライン信号として例示される。また、走査線Ｌ３，Ｌ４の組にそれぞれ書き込まれる複数のライン信号は、第２ライン信号として例示される。更に、この場合、走査線Ｌ１，Ｌ２の組は、複数の第１走査線として例示され、走査線Ｌ３，Ｌ４の組は、複数の第２走査線として例示される。
【００７４】
ライン信号処理部２６１は、走査線の組ごとに信号処理を行う。ライン信号処理部２６１は、例えば、走査線Ｌ１に対応するライン信号をライン信号記憶部２６２に記憶させる。その後、走査線Ｌ２に対応するライン信号が映像信号処理部２１０から入力されたとき、ライン信号処理部２６１は、ライン信号記憶部２６２から走査線Ｌ１に対応するライン信号を読み出す。ライン信号処理部２６１は、更に、走査線Ｌ１に対応するライン信号と、走査線Ｌ２に対応するライン信号とを平均化する。
【００７５】
図７には、説明の明瞭化のために、副走査方向へ延びる画素列は、符号「Ｍ１」乃至「Ｍ３２」で示されている。副走査方向へ延びる画素列Ｍ１乃至Ｍ３２は、主走査方向に整列している。ライン信号の平均化処理において、ライン信号処理部２６１は、例えば、画素列Ｍ１上と走査線Ｌ１との交点に位置する画素Ｐに対応するライン信号の値及び画素列Ｍ１と走査線Ｌ２との交点に位置する画素Ｐに対応するライン信号の値を平均化して、画素列Ｍ１と走査線Ｌ１及びＬ２との交点に対応する２つの画素Ｐに対する信号の値を定める。この結果、これら２つの画素Ｐには、互いに等しい値の信号（平均化処理されたライン信号）が割り当てられる。ライン信号処理部２６１は、このような平均化処理を走査線Ｌ１，Ｌ２と画素列Ｍ２乃至Ｍ３２との交点に位置する各画素Ｐに対して繰り返し、走査線Ｌ１，Ｌ２に共通して書き込まれる共通ライン信号を生成する。ライン信号処理部２６１は、他の走査線Ｌ３乃至Ｌ１６に対応するライン信号に対して、同様の平均化処理を実行する。かくして、複数の走査線の組に対してそれぞれ書き込まれる複数の共通ライン信号が生成される。
【００７６】
複数の第１走査線として用いられる一の走査線の組（例えば、走査線Ｌ１，Ｌ２の組）に対して決定される共通ライン信号は、第１共通ライン信号として例示される。また、他のもう１つの走査線の組（例えば、走査線Ｌ３，Ｌ４の組）に対して決定される共通ライン信号は第２共通ライン信号として例示される。
【００７７】
図８は、出力部２６０が実行するライン信号に対する選択処理を概略的に説明する図である。図６乃至図８を参照しつつ、出力部２６０が実行するライン信号に対する選択処理が説明される。
【００７８】
出力部２６０は、図７に関連して説明された平均化処理に代えて、ライン信号に対して選択処理を行ってもよい。図８に示される走査線Ｌ１乃至Ｌ１６及び画素列Ｍ１乃至Ｍ３２の配列は、図７と同様である。ライン信号処理部２６１は、図７に関連して説明された平均化処理の代わりに、各表示領域を形成する主走査方向の画素列に対応する走査線の組に入力される複数のライン信号のうち１つのライン信号を選択し、共通ライン信号を生成してもよい。
【００７９】
ライン信号処理部２６１は、図７に関連して説明された平均化処理と同様に、走査線の組ごとに信号処理を行う。ライン信号処理部２６１は、例えば、走査線Ｌ１に対応するライン信号をライン信号記憶部２６２に記憶させる。その後、走査線Ｌ２に対応するライン信号が入力されたとき、ライン信号処理部２６１は、ライン信号記憶部２６２から走査線Ｌ１に対応するライン信号を読み出す。ライン信号処理部２６１は、更に、走査線Ｌ１に対応するライン信号と、走査線Ｌ２に対応するライン信号とに対して選択処理を行う。
【００８０】
ライン信号の選択処理において、ライン信号処理部２６１は、例えば、画素列Ｍ１と走査線Ｌ１との交点に位置する画素Ｐに対応するライン信号の値及び画素列Ｍ１と走査線Ｌ２との交点に位置する画素Ｐに対応するライン信号の値とを比較して、走査線Ｌ１及びＬ２と画素列Ｍ１との交点に位置する２つの画素に対応する信号の値を定める。ライン信号処理部２６１は、例えば、走査線Ｌ１と画素列Ｍ１との交点に位置する画素Ｐに対するライン信号の値及び走査線Ｌ２と画素列Ｍ１との交点に位置する画素Ｐに対するライン信号の値のうち大きい方の値（最大値）或いは小さい方の値（最小値）を共通ライン信号の値として定めてもよい。ライン信号処理部２６１は、このような選択処理を走査線Ｌ１，Ｌ２と画素列Ｍ２乃至Ｍ３２との交点に位置する画素Ｐに対して繰り返し、走査線Ｌ１，Ｌ２に共通して書き込まれる共通ライン信号を生成する。ライン信号処理部２６１は、他の走査線Ｌ３乃至Ｌ１６に対応するライン信号に対して、同様の選択処理を実行する。かくして、複数の走査線の組に対してそれぞれ書き込まれる複数の共通ライン信号が生成される。
【００８１】
代替的に、奇数番号の走査線（走査線Ｌ１、Ｌ３、Ｌ５・・・）又は偶数番号の走査線（走査線Ｌ２，Ｌ４，Ｌ６・・・）に入力されるライン信号が共通ライン信号として用いられることが予め決定されていてもよい。ライン信号処理部２６１は、予め決定された走査線に入力されたライン信号を共通ライン信号として出力してもよい。
【００８２】
図９Ａ乃至図１０Ｂは、本実施形態に用いられる第１走査動作と第２走査動作とを概略的に説明するグラフである。図９Ａは、第１走査動作を概略的に説明するグラフである。図９Ｂは、第２走査動作を概略的に説明するグラフである。図１０Ａは、第１走査動作における共通ライン信号の書き込みを概略的に説明する図である。図１０Ｂは、第２走査動作におけるライン信号の書き込みを概略的に説明する図である。図６乃至図１０Ｂを参照しつつ、第１走査動作及び第２走査動作が説明される。
【００８３】
図９Ａ及び図９Ｂのグラフの横軸は、時間軸である。図９Ａ及び図９Ｂのグラフの縦軸は、液晶パネル２３１の副走査方向の位置を表す。図９Ａ及び図９Ｂのグラフに示される矢印ＣＴは、液晶パネル２３１の副走査方向に整列した各走査線に沿う各画素に印加される電圧の印加時間を表す。尚、説明の理解を容易にするために、図９Ａ及び図９Ｂに概略的に示される走査動作によって液晶パネル２３１に表示されるフレーム画像は単一色とされている。したがって、液晶パネル２３１の各画素に対する電圧の印加時間の長さ（即ち、矢印ＣＴの長さ）は、第１走査期間において、一定である。同様に、液晶パネル２３１の各画素に対する電圧の印加時間の長さ（即ち、矢印ＣＴの長さ）は、第２走査期間において、一定である。
【００８４】
図１０Ａ及び図１０Ｂには、副走査方向に整列された走査線Ｌ１乃至Ｌ６が示されている。各走査線Ｌ１乃至Ｌ６に沿うチャート線は、各走査線に入力される信号（図１０Ａのチャート線は、第１走査における共通ライン信号を示し、図１０Ｂのチャート線は、第２走査におけるＬ信号又はＲ信号であるフレーム画像信号のライン信号を示す）の書き込みを表す。尚、図１０Ａ及び図１０Ｂには、６つの走査線が示されているが、走査線Ｌ６の下方に連なる走査線に関しても、図１０Ａ及び図１０Ｂに関連する説明は同様に適用される。
【００８５】
図７及び図８に関連して説明された如く、出力部２６０は、複数のライン信号に基づき、共通ライン信号を生成するとともに、共通ライン信号に基づき作成された第１フレーム画像を液晶駆動部２２０に出力する。第１走査動作を行う液晶駆動部２２０は、各組の走査線に共通ライン信号を同時に書き込む。
【００８６】
出力部２６０は、第１フレーム画像信号を出力した後、第２フレーム画像信号を液晶駆動部２２０に出力する。尚、第２フレーム画像信号は、第１フレーム画像信号に変換される前のフレーム画像信号と同様の画像情報を含む。
【００８７】
液晶駆動部２２０は、第１フレーム画像信号を用いて第１走査動作を実行し、その後、第２フレーム画像信号を用いて第２走査動作を実行する。上述の如く、平均化処理或いは選択処理は、一対の走査線を含む組ごとに行われる。したがって、液晶駆動部２２０は、第２走査動作と比較して、半分の解像度のフレーム画像が描かれるように第１走査動作を実行する。尚、平均化処理或いは選択処理が、３或いはそれ以上の走査線を含む組単位で行われるならば、第１走査動作によって描かれるフレーム画像の解像度は、３分の１或いはそれ以下となる。
【００８８】
図９Ａ及び図１０Ａに示される如く、第１走査動作を実行する液晶駆動部２２０は、第１フレーム画像信号に基づいて、各表示領域に対応する走査線の組に同時に共通ライン信号を書き込む。例えば、走査線Ｌ１，Ｌ２の組に、走査線Ｌ１及び走査線Ｌ２にそれぞれ対応するライン信号から生成された共通ライン信号が同時に書き込まれる。走査線Ｌ１及び走査線Ｌ２の主走査方向への共通ライン信号の書き込みが完了した後、走査線Ｌ３，Ｌ４の組に対する共通ライン信号の書き込みがなされる。複数の走査線に対して、共通ライン信号が同時に書き込まれることによって、第１走査動作は比較的短い時間で完了する。
【００８９】
図９Ｂ及び図１０Ｂに示される如く、第２走査動作を実行する液晶駆動部２２０は、第２フレーム画像信号に基づいて、各走査線に対して、対応するライン信号を順次書き込む。例えば、走査線Ｌ１に対応するフレーム画像信号のライン信号は、走査線Ｌ１に書き込まれる。その後、走査線Ｌ２に対応するフレーム画像信号のライン信号は、走査線Ｌ２に書き込まれる。このような順次の書き込みが、液晶パネル２３１の副走査区間Ｓの全体（図２参照）に亘って行われることによって、フレーム画像が液晶パネル２３１に表示される。
【００９０】
図９Ａ乃至図１０Ｂに示される如く、各走査線に対する信号の書き込み時間（即ち、図９Ａ及び図９Ｂの矢印ＣＴの長さ）は、第１走査動作と第２走査動作との間で一定である。したがって、第１実施形態と較べて、第１走査動作によって液晶の応答が十分に進む。
【００９１】
図１１Ａ乃至図１１Ｃは、１つのフレーム画像の表示に対して第１走査動作と第２走査動作とが実行されることによる効果を概略的に説明するグラフである。図１１Ａは、１つのフレーム画像の表示に対して第１走査動作のみが実行されたときの液晶の応答を示す。図１１Ｂは、１つのフレーム画像の表示に対して第２走査動作のみが実行されたときの液晶の応答を示す。図１１Ｃは、１つのフレーム画像の表示に対して、第１走査動作と第２走査動作とが実行されたときの液晶の応答を示す。図６乃至図１１Ｃを参照しつつ、第１走査動作の効果が説明される。
【００９２】
図１１Ａ乃至図１１Ｃに示されるグラフの横軸は、時間軸である。図１１Ａ乃至図１１Ｃに示されるグラフの左側の縦軸は、液晶パネル２３１の副走査方向の位置を示す。図１１Ａ乃至図１１Ｃに示される矢印Ｓ１は、第１走査動作を示す。また、図１１Ａ乃至図１１Ｃに示される矢印Ｓ２は、第２走査動作を示す。
【００９３】
図１１Ａに示される走査動作では、時刻「０」から、液晶パネル２３１の最も上方に位置する走査線に、上述の平均化処理又は選択処理によって生成された共通ライン信号が書き込まれる。液晶駆動部２２０は、順次、下方の走査線に共通ライン信号を書き込む。時刻「Ｔ１」において、液晶パネル２３１の最も下方に位置する走査線へのライン信号の書き込みが完了する。
【００９４】
図１１Ｂに示される走査動作では、時刻「０」から、液晶パネル２３１の最も上方に位置する走査線にライン信号が書き込まれる。液晶駆動部２２０は、順次、下方の走査線にライン信号を書き込む。時刻「Ｔ２」において、液晶パネル２３１の最も下方に位置する走査線へのライン信号の書き込みが完了する。
【００９５】
図１１Ｃに示される第１走査動作では、時刻「０」から、液晶パネル２３１の最も上方に位置する走査線に共通ライン信号が書き込まれる。液晶駆動部２２０は、順次、下方の走査線に共通ライン信号を書き込む。時刻「Ｔ１」において、液晶パネル２３１の最も下方に位置する走査線へのライン信号の書き込みが完了する。
【００９６】
その後、液晶駆動部２２０は、第２走査動作を実行する。時刻「Ｔ１」から、液晶パネル２３１の最も上方に位置する走査線にライン信号が書き込まれる。液晶駆動部２２０は、その後、下方の走査線にライン信号を、順次、書き込む。時刻「Ｔ１＋Ｔ２」において、液晶パネル２３１の最も下方に位置する走査線へのライン信号の書き込みが完了する。
【００９７】
図１１Ａ乃至図１１Ｃに示されるグラフの右側の縦軸は、液晶パネル２３１の最も下方に位置する走査線に書き込まれたライン信号によって駆動される液晶の応答度を示す。図１１Ａ乃至図１１Ｃに示されるグラフのチャート線ＲＥＬは、液晶パネル２３１の最下に位置する液晶の応答度を示す。
【００９８】
図１１Ａ乃至図１１Ｃのグラフの右側の縦軸において、液晶パネル２３１の最下に位置する走査線に書き込まれたライン信号に規定された色を表示するのに必要な光量に相当するバックライト２３２からの光を透過させたときの液晶の応答度が、「１００」の数値で表されている。また、直前のフレーム画像信号に基づく液晶の応答度が、「０」の数値で表されている。
【００９９】
第１走査動作において書き込まれる共通ライン信号によって表現される映像の解像度は、映像信号処理部２１０から出力されるＬ信号又はＲ信号によって規定される映像の解像度よりも低い。この結果、第１走査動作のみが行われた場合、映像信号処理部２１０から出力されるＬ信号又はＲ信号によって規定される本来の映像に対応する応答度に対して、液晶の応答度にずれが生じる。図１１Ａに示されるグラフ中、液晶の応答度のずれは、記号「ｄ」で示されている。
【０１００】
図１１Ｂに示される第２走査動作のみを用いた書き込み手法は、図５Ｂに関連して説明された手法と同様である。第２走査動作のみがフレーム画像の表示のために実行されたときは、最下に位置する走査線に沿う液晶は、比較的遅い時刻「Ｔ２」から応答を開始する。この結果、光量増大期間Ｉが開始されたとき、最下に位置する走査線に沿う液晶は、十分な応答度に到達していない。
【０１０１】
図１１Ｃに示される如く、液晶駆動部２２０が第１走査動作を実行したとき、最下に位置する走査線に沿う液晶は、時刻「Ｔ１」から応答を開始する。その後、時刻「Ｔ１」から液晶駆動部２２０が第２走査動作を実行すると、第１走査動作によって一定量の応答動作をした液晶が第２走査動作によって目標の応答度となるように更に応答する。この結果、最下に位置する走査線に沿う液晶は、比較的短時間で所望の応答度（本来の映像の解像度を達成することができる応答度）に到達することができる。
【０１０２】
図１１Ｃに示される如く、時刻「Ｔ１＋Ｔ２」において、光量増大期間Ｉが開始されたとき、第１走査動作及び第２走査動作によって駆動された液晶は、本来の映像が要求する目標の応答度に近い、或いは、一致した応答度を達成する。上述の如く、第１走査動作のみによって駆動された液晶は、本来の映像が要求する映像の応答度とのずれに起因して、目標値から離間した応答度となっている。また、第２走査動作のみによって駆動された液晶は、応答開始の遅れに起因して、低い応答度となっている。したがって、液晶駆動部２２０が第１走査動作及び第２走査動作を実行することによって、比較的遅いタイミングで走査動作がなされる液晶パネル２３１の表示領域で表示されるフレーム画像の部分におけるクロストークが好適に低減されることとなる。かくして、視聴者は、クロストークが低減されたフレーム画像を視聴することができる。
【０１０３】
図９Ａ乃至図１１Ｃに示されるように、一対の走査線に同時に共通ライン信号が書き込まれることによって、第１走査期間の長さ「Ｔ１」は、第２走査期間の長さ「Ｔ２」の半分の長さとなる。上述の如く、互いに隣接する３つ或いはそれ以上の走査線に対応するライン信号から共通ライン信号が生成されてもよい。このとき、互いに隣接する３つ或いはそれ以上の走査線に沿って配列される画素列によって、複数の表示領域が規定される。互いに隣接する３つ或いはそれ以上の走査線に対応するライン信号から生成された共通ライン信号は、各表示領域の走査線に同時に書き込まれる。この結果、第１走査期間の長さ「Ｔ１」は、第２走査期間の長さ「Ｔ２」の３分の１或いはそれ以下の長さに短縮される。平均化処理或いは選択処理を施与される走査線の組中に含まれる走査線の数は、液晶の応答開始時刻と、第１走査動作において達成される液晶の応答度と本来の映像が要求する液晶の応答度との間のずれ「ｄ」の大きさとに基づいて、適切に決定される。短縮された第１走査期間の長さ「Ｔ１」によって、第１走査動作後、且つ、左眼フィルタ３１１又は右眼フィルタ３１２が光量を増大させる前に、第２走査動作が実行されるための期間が適切に確保されることとなる。
【０１０４】
第２実施形態においても、第１走査動作によって、液晶パネル２３１の下部における液晶の応答が比較的早期に行われるため、図４乃至図５Ｃに関連して説明された液晶の応答と同様に、光量増大期間Ｉの開始までに、液晶パネル２３１の副走査区間Ｓの全体に亘って、比較的均一な液晶パネル２３１の液晶の応答が得られる。かくして、液晶パネル２３１の下部におけるクロストークの局所的な増大が適切に抑制される。
【０１０５】
上述された実施形態は、以下の構成を主に備える。以下の構成を備える表示装置及び映像視聴システムは、左眼用フレーム画像と右眼用フレーム画像との間のクロストークを抑制することができる。
【０１０６】
上述の実施形態の一の局面に係る表示装置は、左眼で視聴されるように作成された左眼用フレーム画像と右眼で視聴されるように作成された右眼用フレーム画像とを、時間的に交互に切り換えて表示面に表示する液晶パネルと、前記左眼用フレーム画像または前記右眼用フレーム画像を表示するためのフレーム画像信号を、前記表示面に亘って走査して前記液晶パネルを駆動する液晶駆動部と、を備え、該液晶駆動部は、前記表示面に亘って第１走査動作を実行し、前記第１走査動作の後に前記表示面に亘って第２走査動作を実行し、前記第１走査動作は、前記第２走査動作よりも短期間で実行されることを特徴とする。
【０１０７】
上記構成によれば、液晶パネルは、左眼で視聴されるように作成された左眼用フレーム画像と右眼で視聴されるように作成された右眼用フレーム画像とを、時間的に交互に切り換えて表示面に表示する。液晶駆動部は、左眼用フレーム画像または右眼用フレーム画像を表示するためのフレーム画像信号を、表示面に亘って走査して液晶パネルを駆動する。液晶駆動部は、表示面に亘って実行される第１走査動作と、第１走査動作の後に表示面に亘って実行される第２走査動作とを実行する。第１走査動作は、第２走査動作よりも短期間で実行される。第１走査動作によって、比較的早期に液晶パネル全体の液晶の駆動が開始されるので、フレーム画像内での液晶の応答完了時刻の遅れが低減される。かくして、フレーム画像内での局所的なクロストークが好適に低減されることとなる。また、第１走査動作は、第２走査動作よりも短期間で実行されるので、第２走査動作を実行するための期間が適切に確保される。
【０１０８】
上記構成において、前記液晶駆動部は、前記第２走査動作を行う場合よりも前記第１走査動作を行う場合の方が大きな値の書き込み周波数で前記フレーム画像信号を走査することが好ましい。
【０１０９】
上記構成によれば、液晶駆動部は、第２走査動作を行う場合よりも第１走査動作を行う場合の方が大きな値の書き込み周波数でフレーム画像信号を走査する。したがって、第１走査動作は、第２走査動作よりも短期間で実行される。この結果、第２走査動作を実行するための期間が適切に確保される。
【０１１０】
上記構成において、前記フレーム画像信号を前記液晶駆動部へ出力する出力部を更に備え、該出力部が出力する前記フレーム画像信号は、前記第１走査動作に用いられる第１フレーム画像信号と、前記第２走査動作に用いられる前記第２フレーム画像信号と、を含み、前記液晶駆動部は、前記第１フレーム画像信号を用いて前記第１走査動作を行う場合よりも前記第２フレーム画像を用いて前記第２走査動作を行う場合の方が低い解像度で前記フレーム画像信号を走査することが好ましい。
【０１１１】
上記構成によれば、出力部は、第１走査動作に用いられる第１フレーム画像信号と、第２走査動作に用いられる第２フレーム画像信号とを出力する。液晶駆動部は、第１フレーム画像信号を用いて第１走査動作を行う場合よりも第２フレーム画像を用いて第２走査動作を行う場合の方が低い解像度でフレーム画像信号を走査する。したがって、第１走査動作は、第２走査動作よりも短期間で実行される。この結果、第２走査動作を実行するための期間が適切に確保される。
【０１１２】
上記構成において、前記フレーム画像信号は、水平同期信号により規定される複数のライン信号を含み、前記液晶パネルは、前記複数のライン信号がそれぞれ書き込まれる複数の走査線を含み、前記出力部は、前記第１走査動作において前記複数の走査線に同時に書き込まれる共通ライン信号を前記複数のライン信号に基づき生成し、前記共通ライン信号を用いて前記第１フレーム画像信号を出力するとともに、前記複数のライン信号を用いて前記第２フレーム画像信号を出力し、前記液晶駆動部は、前記第１走査動作を行う場合は、前記共通ライン信号を前記複数の走査線に同時に書き込み、前記第２走査動作を行う場合は、前記ライン信号それぞれを前記複数の走査線に順次書き込むことが好ましい。
【０１１３】
上記構成によれば、フレーム画像信号は、水平同期信号により規定される複数のライン信号を含む。液晶パネルは、複数のライン信号がそれぞれ書き込まれる複数の走査線を含む。出力部は、複数のライン信号に基づき、第１走査動作において複数の走査線に同時に書き込まれる共通ライン信号を生成する。出力部は、共通ライン信号を用いて、第１フレーム画像を出力する。また、出力部は、複数のライン信号を用いて、第２フレーム画像を出力する。液晶駆動部は、第１走査動作を行う場合は、共通ライン信号を複数の走査線に同時に書き込む。また、液晶駆動部は、第２走査動作を行う場合は、ライン信号それぞれを複数の走査線に順次書き込む。かくして、第１走査動作は、第２走査動作より短い時間で行われる。この結果、第２走査動作を実行するための期間が確保される。
【０１１４】
上記構成において、前記フレーム画像は、前記液晶パネルに表示される第１画像部分及び第２画像部分を含み、前記複数のライン信号は、前記第１画像部分を表現するための複数の第１ライン信号と、前記第２画像部分を表現するための複数の第２ライン信号と、を含み、前記複数の走査線は、前記複数の第１ライン信号が書き込まれる複数の第１走査線と、前記複数の第２ライン信号が書き込まれる複数の第２走査線と、を含み、前記共通ライン信号は、前記複数の第１ライン信号に基づき生成される第１共通ライン信号と、前記複数の第２ライン信号に基づき生成される第２共通ライン信号と、を含み、前記液晶駆動部は、前記第１走査動作を行う場合は、前記第１共通ライン信号を前記複数の第１走査線に同時に書き込むとともに、前記第２共通ライン信号を前記複数の第２走査線に同時に書き込み、前記第２走査動作を行う場合は、前記複数の第１ライン信号を前記複数の第１走査線に順次書き込むとともに、前記複数の第２ライン信号を前記複数の第２走査線に順次書き込むことが好ましい。
【０１１５】
上記構成によれば、フレーム画像は、液晶パネルに表示される第１画像部分及び第２画像部分を含む。複数の第１ライン信号は、第１画像部分を表現するために用いられる。複数の第２ライン信号は、第２画像部分を表現するために用いられる。複数の第１走査線には、複数の第１ライン信号が書き込まれる。複数の第２走査線には、複数の第２ライン信号が書き込まれる。共通ライン信号は、複数の第１ライン信号に基づき生成される第１共通ライン信号と、複数の第２ライン信号に基づき生成される第２共通ライン信号と、を含む。液晶駆動部は、第１走査動作を行う場合は、第１共通ライン信号を複数の第１走査線に同時に書き込むとともに、第２共通ライン信号を複数の第２走査線に同時に書き込む。また、液晶駆動部は、第２走査動作を行う場合は、複数の第１ライン信号を複数の第１走査線に順次書き込むとともに、複数の第２ライン信号を複数の第２走査線に順次書き込む。かくして、第１走査動作は、第２走査動作より短い時間で行われる。この結果、第２走査動作を実行するための期間が確保される。
【０１１６】
上記構成において、前記出力部は、前記複数の第１ライン信号が平均化されてなる前記第１共通ライン信号と、前記複数の第２ライン信号が平均化されてなる前記第２共通ライン信号と、を出力するが好ましい。
【０１１７】
上記構成によれば、出力部は、複数の第１ライン信号が平均化されてなる第１共通ライン信号と、複数の第２ライン信号が平均化されてなる第２共通ライン信号と、を出力する。この結果、第１フレーム画像信号を用いて第１走査動作を行う液晶駆動部は、第２フレーム画像を用いて第２走査動作を行う液晶駆動部よりも低い解像度でフレーム画像信号を走査する。したがって、第１走査動作は、第２走査動作より短い時間で行われる。かくして、第２走査動作を実行するための期間が確保される。
【０１１８】
上記構成において、前記出力部は、前記複数の第１ライン信号のうち１つの第１ライン信号を選択し、該選択された第１ライン信号を前記第１共通ライン信号として出力するとともに、前記複数の第２ライン信号のうち１つの第２ライン信号を選択し、該選択された第２ライン信号を前記第２共通ライン信号として出力することが好ましい。
【０１１９】
上記構成によれば、出力部は、複数の第１ライン信号のうち１つの第１ライン信号を選択し、選択された第１ライン信号を第１共通ライン信号として出力する。また、出力部は、複数の第２ライン信号のうち１つの第２ライン信号を選択し、選択された第２ライン信号を第２共通ライン信号として出力する。この結果、第１フレーム画像信号を用いて第１走査動作を行う液晶駆動部は、第２フレーム画像を用いて第２走査動作を行う液晶駆動部よりも低い解像度でフレーム画像信号を走査する。したがって、第１走査動作は、第２走査動作より短い時間で行われる。かくして、第２走査動作を実行するための期間が確保される。
【０１２０】
上記構成において、前記左眼へ到達する光の量を調整する左眼フィルタと、前記右眼へ到達する光量を調整する右眼フィルタとを含む眼鏡装置を制御する制御部を更に備え、該制御部は、前記左眼で前記左眼用フレーム画像が視聴されるように前記左眼フィルタを制御し、前記左眼へ到達する前記光の量を増大させるとともに、前記右眼で前記右眼用フレーム画像が視聴されるように前記右眼フィルタを制御し、前記右眼へ到達する前記光の量を増大させ、前記制御部が前記左眼フィルタに前記左眼へ到達する光量を増大させる前に、前記液晶駆動部は、前記左眼フレーム画像を表示させるための前記第２走査動作を実行し、前記制御部が前記右眼フィルタに前記右眼へ到達する光量を増大させる前に、前記液晶駆動部は、前記右眼フレーム画像を表示させるための前記第２走査動作を実行することが好ましい。
【０１２１】
上記構成によれば、制御部は、左眼で左眼用フレーム画像が視聴されるように左眼フィルタを制御し、左眼へ到達する前記光の量を増大させる。また、制御部は、右眼で右眼用フレーム画像が視聴されるように右眼フィルタを制御し、右眼へ到達する光の量を増大させる。制御部が左眼フィルタに左眼へ到達する光量を増大させる前に、液晶駆動部は、左眼フレーム画像を表示させるための第２走査動作を実行する。また、制御部が右眼フィルタに右眼へ到達する光量を増大させる前に、液晶駆動部は、右眼フレーム画像を表示させるための第２走査動作を実行する。かくして、視聴者は、液晶パネルが時間的に交互に切り換えて表示する左眼用フレーム画像と右眼用フレーム画像とを好適に視聴することができる。
【０１２２】
上述の実施形態の他の局面に係る映像視聴システムは、左眼で視聴されるように作成された左眼用フレーム画像と右眼で視聴されるように作成された右眼用フレーム画像とを表示する表示装置と、前記左眼用フレーム画像が視聴されるように前記左眼へ到達する光量を調整する左眼フィルタと、前記右眼用フレーム画像が視聴されるように前記右眼へ到達する光量を調整する右眼フィルタとを含む眼鏡装置と、を備え、前記表示装置は、前記左眼用フレーム画像と前記右眼用フレーム画像とを、時間的に交互に切り換えて表示面に表示する液晶パネルと、前記左眼用フレーム画像または前記右眼用フレーム画像を表示するためのフレーム画像信号を、前記表示面に亘って走査して前記液晶パネルを駆動する液晶駆動部と、を備え、該液晶駆動部は、前記表示面に亘って第１走査動作を実行し、前記第１走査動作の後に前記表示面に亘って第２走査動作を実行し、前記第１走査動作は、前記第２走査動作よりも短期間で実行されることを特徴とする。
【０１２３】
上記構成によれば、表示装置は、左眼で視聴されるように作成された左眼用フレーム画像と右眼で視聴されるように作成された右眼用フレーム画像とを表示する。眼鏡装置の左眼フィルタは、左眼用フレーム画像が視聴されるように左眼へ到達する光量を調整する。眼鏡装置の右眼フィルタは、右眼用フレーム画像が視聴されるように右眼へ到達する光量を調整する。液晶パネルは、左眼用フレーム画像と右眼用フレーム画像とを、時間的に交互に切り換えて表示面に表示する。液晶駆動部は、左眼用フレーム画像または右眼用フレーム画像を表示するためのフレーム画像信号を、表示面に亘って走査して液晶パネルを駆動する。液晶駆動部は、表示面に亘って実行される第１走査動作と、第１走査動作の後に表示面に亘って実行される第２走査動作とを実行する。第１走査動作は、第２走査動作よりも短期間で実行される。第１走査動作によって、比較的早期に液晶パネル全体の液晶の駆動が開始されるので、フレーム画像内での液晶の応答完了時刻の遅れが低減される。かくして、フレーム画像内での局所的なクロストークが好適に低減されることとなる。また、第１走査動作は、第２走査動作よりも短期間で実行されるので、第２走査動作を実行するための期間が適切に確保される。
【産業上の利用可能性】
【０１２４】
上述の実施形態の原理は、クロストークの低減が可能な表示装置及び映像視聴システムとして好適である。
【図１】
2011155148.tif 000003
【図２】
2011155148.tif 000004
【図３Ａ】
2011155148.tif 000005
【図３Ｂ】
2011155148.tif 000006
【図４】
2011155148.tif 000007
【図５Ａ】
2011155148.tif 000008
【図５Ｂ】
2011155148.tif 000009
【図５Ｃ】
2011155148.tif 000010
【図６】
2011155148.tif 000011
【図７】
2011155148.tif 000012
【図８】
2011155148.tif 000013
【図９Ａ】
2011155148.tif 000014
【図９Ｂ】
2011155148.tif 000015
【図１０Ａ】
2011155148.tif 000016
【図１０Ｂ】
2011155148.tif 000017
【図１１Ａ】
2011155148.tif 000018
【図１１Ｂ】
2011155148.tif 000019
【図１１Ｃ】
2011155148.tif 000020
【図１２】
2011155148.tif 000021
【図１３】
2011155148.tif 000022
【図１４】
2011155148.tif 000023
【手続補正書】
【提出日】平成24年1月11日(2012.1.11)
【手続補正１】
【補正対象書類名】特許請求の範囲
【補正対象項目名】全文
【補正方法】変更
【補正の内容】
【特許請求の範囲】
【請求項１】
左眼で視聴されるように作成された左眼用フレーム画像と右眼で視聴されるように作成された右眼用フレーム画像とを、時間的に交互に切り換えて表示面に表示する液晶パネルと、
前記左眼用フレーム画像または前記右眼用フレーム画像を表示するためのフレーム画像信号を、前記表示面に亘って走査して前記液晶パネルを駆動する液晶駆動部と、を備え、
該液晶駆動部は、前記表示面に亘って第１走査動作を実行し、前記第１走査動作の後に前記表示面に亘って第２走査動作を実行し、
前記第１走査動作は、前記第２走査動作よりも短期間で実行し、
かつ
前記液晶駆動部は、前記第２走査動作を行う場合よりも前記第１走査動作を行う場合の方が大きな値の書き込み周波数で前記フレーム画像信号を走査することを特徴とする表示装置。
【請求項２】
前記フレーム画像信号を前記液晶駆動部へ出力する出力部を更に備え、
該出力部が出力する前記フレーム画像信号は、前記第１走査動作に用いられる第１フレーム画像信号と、前記第２走査動作に用いられる前記第２フレーム画像信号と、を含み、
前記液晶駆動部は、前記第２フレーム画像信号を用いて前記第２走査動作を行う場合よりも前記第１フレーム画像を用いて前記第１走査動作を行う場合の方が低い解像度で前記フレーム画像信号を走査することを特徴とする請求項１記載の表示装置。
【請求項３】
前記フレーム画像信号は、水平同期信号により規定される複数のライン信号を含み、
前記液晶パネルは、前記複数のライン信号がそれぞれ書き込まれる複数の走査線を含み、
前記出力部は、前記複数のライン信号に基づき、前記第１走査動作において前記複数の走査線に同時に書き込まれる共通ライン信号を出力し、
前記液晶駆動部は、前記第１走査動作を行う場合は、前記共通ライン信号を前記複数の走査線に同時に書き込み、前記第２走査動作を行う場合は、前記ライン信号それぞれを前記複数の走査線に順次書き込むことを特徴とする請求項２記載の表示装置。
【請求項４】
前記フレーム画像は、前記液晶パネルに表示される第１画像部分及び第２画像部分を含み、
前記複数のライン信号は、前記第１画像部分を表現するための複数の第１ライン信号と、前記第２画像部分を表現するための複数の第２ライン信号と、を含み、
前記複数の走査線は、前記複数の第１ライン信号が書き込まれる複数の第１走査線と、前記複数の第２ライン信号が書き込まれる複数の第２走査線と、を含み、
前記共通ライン信号は、前記複数の第１ライン信号に基づき生成される第１共通ライン信号と、前記複数の第２ライン信号に基づき生成される第２共通ライン信号と、を含み、
前記液晶駆動部は、前記第１走査動作を行う場合は、前記第１共通ライン信号を前記複数の第１走査線に同時に書き込むとともに、前記第２共通ライン信号を前記複数の第２走査線に同時に書き込み、前記第２走査動作を行う場合は、前記複数の第１ライン信号を前記複数の第１走査線に順次書き込むとともに、前記複数の第２ライン信号を前記複数の第２走査線に順次書き込むことを特徴とする請求項３記載の表示装置。
【請求項５】
前記出力部は、前記複数の第１ライン信号が平均化されてなる前記第１共通ライン信号と、前記複数の第２ライン信号が平均化されてなる前記第２共通ライン信号と、を出力することを特徴とする請求項４記載の表示装置。
【請求項６】
前記出力部は、前記複数の第１ライン信号のうち１つの第１ライン信号を選択し、該選択された第１ライン信号を前記第１共通ライン信号として出力するとともに、前記複数の第２ライン信号のうち１つの第２ライン信号を選択し、該選択された第２ライン信号を前記第２共通ライン信号として出力することを特徴とする請求項４記載の表示装置。
【請求項７】
前記左眼へ到達する光の量を調整する左眼フィルタと、前記右眼へ到達する光量を調整する右眼フィルタとを含む眼鏡装置を制御する制御部を更に備え、
該制御部は、前記左眼で前記左眼用フレーム画像が視聴されるように前記左眼フィルタを制御し、前記左眼へ到達する前記光の量を増大させるとともに、前記右眼で前記右眼用フレーム画像が視聴されるように前記右眼フィルタを制御し、前記右眼へ到達する前記光の量を増大させ、
該制御部が前記左眼フィルタに前記左眼へ到達する光量を増大させる前に、前記液晶駆動部は、前記左眼フレーム画像を表示させるための前記第２走査動作を実行し、
該制御部が前記右眼フィルタに前記右眼へ到達する光量を増大させる前に、前記液晶駆動部は、前記右眼フレーム画像を表示させるための前記第２走査動作を実行することを特徴とする請求項１に記載の表示装置。
【請求項８】
左眼で視聴されるように作成された左眼用フレーム画像と右眼で視聴されるように作成された右眼用フレーム画像とを表示する表示装置と、
前記左眼用フレーム画像が視聴されるように前記左眼へ到達する光量を調整する左眼フィルタと、前記右眼用フレーム画像が視聴されるように前記右眼へ到達する光量を調整する右眼フィルタとを含む眼鏡装置と、を備え、
前記表示装置は、
前記左眼用フレーム画像と前記右眼用フレーム画像とを、時間的に交互に切り換えて表示面に表示する液晶パネルと、
前記左眼用フレーム画像または前記右眼用フレーム画像を表示するためのフレーム画像信号を、前記表示面に亘って走査して前記液晶パネルを駆動する液晶駆動部と、を備え、
該液晶駆動部は、前記表示面に亘って第１走査動作を実行し、前記第１走査動作の後に前記表示面に亘って第２走査動作を実行し、
前記第１走査動作は、前記第２走査動作よりも短期間で実行し、
かつ
前記液晶駆動部は、前記第２走査動作を行う場合よりも前記第１走査動作を行う場合の方が大きな値の書き込み周波数で前記フレーム画像信号を走査することを特徴とする  映像視聴システム。
【手続補正２】
【補正対象書類名】明細書
【補正対象項目名】全文
【補正方法】変更
【補正の内容】
【発明の詳細な説明】
【技術分野】
【０００１】
本発明は、立体的に知覚される映像を表示する表示装置及び映像視聴システムに関する。
【背景技術】
【０００２】
立体的に知覚される映像を表示する表示装置は、左眼で視聴されるための左眼用フレーム画像と、右眼で視聴されるための右眼用フレーム画像とを所定周期（例えば、フィールド周期）で交互に表示する。表示される左眼用フレーム画像及び右眼用フレーム画像は、視差の分だけ異なる内容を含む。視聴者は、左眼用フレーム画像及び右眼用フレーム画像の表示周期に同期して駆動される液晶シャッタを備える眼鏡装置を通じて、左眼用フレーム画像及び右眼用フレーム画像を視聴する（例えば、特許文献１及び特許文献２参照）。この結果、視聴者は、左眼用フレーム画像及び右眼用フレーム画像に表現されたオブジェクトを立体的に知覚する。
【０００３】
図１２は、従来の映像視聴システムのブロック図である。尚、図１２に示される映像視聴システムには、６０Ｈｚの映像信号（左眼用映像信号及び右眼用映像信号）が入力される。
【０００４】
映像視聴システム９００は、６０Ｈｚの映像信号（左眼用映像信号及び右眼用映像信号）が入力される映像信号処理部９０１を備える。映像信号処理部９０１は、入力された映像信号を１２０Ｈｚの左眼用映像信号と右眼用映像信号とに変換する。変換された左眼用映像信号及び右眼用映像信号は、液晶駆動部９０２及びバックライト制御部９０３へ出力される。液晶駆動部９０２は、１２０Ｈｚの左眼用映像信号及び右眼用映像信号を液晶パネル９０４で表示可能な形式に変換する。液晶駆動部９０２によって変換された左眼用映像信号及び右眼用映像信号は液晶パネル９０４に出力される。バックライト制御部９０３は、バックライト９０５に発光制御信号を出力する。バックライト９０５は、発光制御信号により液晶パネル９０４に対し、液晶パネル９０４の背面から光を照射する。この結果、液晶パネル９０４に、１２０Ｈｚで左眼用フレーム画像及び右眼用フレーム画像が交互に表示される。
【０００５】
眼鏡装置９５０は、左眼シャッタ９５１と右眼シャッタ９５２とを備える。映像信号処理部９０１によって変換された１２０Ｈｚの左眼用映像信号及び右眼用映像信号を基準にして、左眼シャッタ９５１用のシャッタ制御回路９０６及び右眼シャッタ９５２用のシャッタ制御回路９０７は、左眼シャッタ９５１及び右眼シャッタ９５２を同期制御する。
【０００６】
図１３は、従来の映像視聴システム９００の制御タイミングチャートである。図１３のセクション（Ａ）は、液晶パネル９０４の左眼用フレーム画像及び右眼用フレーム画像の走査タイミングを示す。図１３のセクション（Ｂ）は、バックライト９０５の点灯タイミングを示す。図１３のセクション（Ｃ）は、眼鏡装置９５０のシャッタ９５１，９５２の開閉タイミングを示す。図１２及び図１３を参照しつつ、従来の映像視聴システム９００が説明される。
【０００７】
液晶パネル９０４に左眼用映像信号及び右眼用映像信号が順次書き込まれる。この間、バックライト９０５は常時点灯している。シャッタ制御回路９０６，９０７は、シャッタ９５１，９５２を制御する。液晶パネル９０４への左右交互の書き込み走査の後、シャッタの開期間がそれぞれの映像期間の半分となるように、シャッタ９５１，９５２は、シャッタ制御回路９０６，９０７の制御下で開閉する。シャッタ９５１，９５２を通じて視聴される左眼用フレーム画像及び右眼用フレーム画像は、視聴者の左右の眼でそれぞれ視聴される。この結果、視聴者は、脳内で、視覚的な立体像を生成する。
【０００８】
図１３に示される制御タイミングで動作する映像視聴システムにおいて、視聴者はシャッタ９５１，９５２が開かれている期間（立体像の生成に必要な映像を視聴するのに十分な期間）のみ左眼用フレーム画像又は右眼用フレーム画像を視聴する。一方、バックライト９０５は、シャッタ９５１，９５２が開かれている期間以外の期間においても常時点灯している。したがって、図１３に示される制御タイミングで動作する映像視聴システムは、省電力の観点から好ましくない。
【０００９】
図１４は、従来の映像視聴システム９００の他の制御タイミングチャートである。図１４のセクション（Ａ）は、液晶パネル９０４の左眼用フレーム画像及び右眼用フレーム画像の走査タイミングを示す。図１４のセクション（Ｂ）は、バックライト９０５の点灯タイミングを示す。図１４のセクション（Ｃ）は、眼鏡装置９５０のシャッタ９５１，９５２の開閉タイミングを示す。図１２乃至図１４を参照しつつ、従来の映像視聴システム９００が更に説明される。
【００１０】
特許文献２は、左眼用フレーム画像又は右眼用フレーム画像が視聴される期間のみバックライト９０５が点灯される制御を開示する。図１４に示される制御では、図１３に示される制御と異なり、左眼用フレーム画像又は右眼用フレーム画像が視聴される期間のみバックライト９０５が発光している。したがって、図１４に示される制御は、図１３に示される制御よりも省電力の点で優れている。
【００１１】
左眼シャッタ９５１は、液晶パネル９０４が左眼で視聴されるように作成された左眼用フレーム画像を表示した後且つ右眼フレーム画像を表示するための右眼用映像信号が走査される前に開かれる。同様に、右眼シャッタ９５２は、液晶パネル９０４が右眼で視聴されるように作成された右眼用フレーム画像を表示した後且つ左眼フレーム画像を表示するための左眼用映像信号が走査される前に開かれる。
【００１２】
図１３及び図１４に示される如く、左眼用映像信号及び／又は右眼用映像信号は液晶パネル９０４の上部から走査される。したがって、液晶パネル９０４の下部における左眼用映像信号及び／又は右眼用映像信号の走査は、液晶パネル９０４の上部に対して遅れることとなる。
【００１３】
左眼用映像信号及び／又は右眼用映像信号に基づく液晶の応答は、表示される映像の種類に応じた時間を要求する。例えば、先行して表示されるフレーム画像を表現する画素の輝度と、後に表示されるフレーム画像を表現する画素の輝度との間で大きさ差異が生ずる場合、比較的長い液晶の応答時間が要求される。
【００１４】
左眼用フレーム画像又は右眼用フレーム画像の表示が完了するのを待って、左眼シャッタ９５１又は右眼シャッタ９５２が開かれた場合、液晶の応答時間が長いことに起因して、左眼シャッタ９５１又は右眼シャッタ９５２が開かれている期間が短くなる。この結果、視聴者は液晶パネル９０４に表示された立体映像を暗く感じることとなる。
【００１５】
左眼用フレーム画像の表示が完了するのを待たずに、左眼シャッタ９５１が開かれた場合、視聴者は、先行して表示された右眼用フレーム画像の影響が混在した左眼用フレーム画像を視聴することとなる。同様に、右眼用フレーム画像の表示が完了するのを待たずに、右眼シャッタ９５２が開かれた場合、視聴者は、先行して表示された左眼用フレーム画像の影響が混在した右眼用フレーム画像を視聴することとなる。このような左眼用フレーム画像と右眼用フレーム画像との混在は、クロストークと称される。液晶パネル９０４の下部における左眼用映像信号及び／又は右眼用映像信号の走査の遅れ並びに液晶の応答時間に起因して、先行するフレーム画像（左眼用フレーム画像又は右眼用フレーム画像）の混在量は、液晶パネル９０４の下部において特に大きくなる。したがって、視聴者は液晶パネル９０４の下部において表示されたフレーム画像を立体的に知覚しにくくなる。
【先行技術文献】
【特許文献】
【００１６】
【特許文献１】特開昭６２−１３３８９１号公報
【特許文献２】特開２００９−２５４３６号公報
【発明の概要】
【発明が解決しようとする課題】
【００１７】
本発明は、左眼用フレーム画像と右眼用フレーム画像との間のクロストークを抑制することができる表示装置及び映像視聴システムを提供することを目的とする。
【課題を解決するための手段】
【００１８】
本発明の一の局面に係る表示装置は、左眼で視聴されるように作成された左眼用フレーム画像と右眼で視聴されるように作成された右眼用フレーム画像とを、時間的に交互に切り換えて表示面に表示する液晶パネルと、前記左眼用フレーム画像または前記右眼用フレーム画像を表示するためのフレーム画像信号を、前記表示面に亘って走査して前記液晶パネルを駆動する液晶駆動部と、を備え、該液晶駆動部は、前記表示面に亘って第１走査動作を実行し、前記第１走査動作の後に前記表示面に亘って第２走査動作を実行し、前記第１走査動作は、前記第２走査動作よりも短期間で実行されることを特徴とする。
【００１９】
本発明の一の局面に係る映像視聴システムは、左眼で視聴されるように作成された左眼用フレーム画像と右眼で視聴されるように作成された右眼用フレーム画像とを表示する表示装置と、前記左眼用フレーム画像が視聴されるように前記左眼へ到達する光量を調整する左眼フィルタと、前記右眼用フレーム画像が視聴されるように前記右眼へ到達する光量を調整する右眼フィルタとを含む眼鏡装置と、を備え、前記表示装置は、前記左眼用フレーム画像と前記右眼用フレーム画像とを、時間的に交互に切り換えて表示面に表示する液晶パネルと、前記左眼用フレーム画像または前記右眼用フレーム画像を表示するためのフレーム画像信号を、前記表示面に亘って走査して前記液晶パネルを駆動する液晶駆動部と、を備え、該液晶駆動部は、前記表示面に亘って第１走査動作を実行し、前記第１走査動作の後に前記表示面に亘って第２走査動作を実行し、前記第１走査動作は、前記第２走査動作よりも短期間で実行されることを特徴とする。
【発明の効果】
【００２０】
本発明に係る表示装置及び映像視聴システムは、左眼用フレーム画像と右眼用フレーム画像との間のクロストークを抑制することができる。
【図面の簡単な説明】
【００２１】
【図１】第１実施形態に係る映像視聴システムの構成の概略的なブロック図である。
【図２】図１に示される映像視聴システムの概略図である。
【図３Ａ】図１に示される表示装置の液晶駆動部による第１走査動作を表すグラフである。
【図３Ｂ】図１に示される表示装置の液晶駆動部による第２走査動作を表すグラフである。
【図４】図１に示される映像視聴システムの制御を概略的に表す制御タイミングチャートである。
【図５Ａ】図４に示される液晶駆動部による第１走査動作及び第２走査動作の効果を表すグラフである。
【図５Ｂ】図４に示される液晶駆動部による第１走査動作及び第２走査動作の効果を表すグラフである。
【図５Ｃ】図４に示される液晶駆動部による第１走査動作及び第２走査動作の効果を表すグラフである。
【図６】第２実施形態に係る映像視聴システムの構成の概略的なブロック図である。
【図７】図６に示される表示装置の出力部による共通ライン信号の生成を表す概略図である。
【図８】図６に示される表示装置の出力部による共通ライン信号の生成を表す概略図である。
【図９Ａ】図６に示される表示装置の液晶駆動部による第１走査動作を表すグラフである。
【図９Ｂ】図６に示される表示装置の液晶駆動部による第２走査動作を表すグラフである。
【図１０Ａ】図６に示される表示装置の液晶駆動部による第１走査動作を概略的に説明するタイミングチャートである。
【図１０Ｂ】図６に示される表示装置の液晶駆動部による第２走査動作を概略的に説明するタイミングチャートである。
【図１１Ａ】図１０Ａ及び図１０Ｂに示される液晶駆動部による第１走査動作及び第２走査動作の効果を概略的に説明するグラフである。
【図１１Ｂ】図１０Ａ及び図１０Ｂに示される液晶駆動部による第１走査動作及び第２走査動作の効果を概略的に説明するグラフである。
【図１１Ｃ】図１０Ａ及び図１０Ｂに示される液晶駆動部による第１走査動作及び第２走査動作の効果を概略的に説明するグラフである。
【図１２】従来の映像視聴システムの構成を概略的に示すブロック図である。
【図１３】従来の映像視聴システムの制御を例示する制御タイミングチャートである。
【図１４】従来の映像視聴システムの制御を例示する制御タイミングチャートである。
【発明を実施するための形態】
【００２２】
以下、一実施形態に係る表示装置及び映像視聴システムが図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、単に表示装置及び映像視聴システムの原理を容易に理解させることを目的とするものであり、表示装置及び映像視聴システムの原理は、これらに何ら限定されるものではない。
【００２３】
＜第１実施形態＞
（映像視聴システムの構成）
図１は、第１実施形態に係る映像視聴システムの構成を概略的に示すブロック図である。図２は、図１に示される映像視聴システムの概略図である。図１及び図２を参照しつつ、映像視聴システムの構成が説明される。
【００２４】
映像視聴システム１００は、左眼で視聴されるように作成された左眼用フレーム画像と、右眼で視聴されるように作成された右眼用フレーム画像とを含むフレーム画像を表示する表示装置２００と、表示装置２００が表示する左眼用フレーム画像及び右眼用フレーム画像の視聴を補助する眼鏡装置３００とを備える。眼鏡装置３００は、視聴者が左眼で左眼用フレーム画像を視聴し、右眼で右眼用フレーム画像を視聴するように、表示装置２００による左眼用フレーム画像及び右眼用フレーム画像の表示に同期した立体視補助動作を行う。この結果、視聴者は、眼鏡装置３００を通じて、表示装置２００が表示するフレーム画像（左眼用フレーム画像及び右眼用フレーム画像）を立体的に知覚する（視聴者は、左眼用フレーム画像及び右眼用フレーム画像中で表現されたオブジェクトを、左眼用フレーム画像及び右眼用フレーム画像が映し出される表示面に対して、飛び出たように或いは引っ込んだように知覚する）。
【００２５】
視力矯正用の眼鏡と同様の形状をなす眼鏡装置３００は、視聴者の左眼前に配設される左眼フィルタ３１１と、視聴者の右眼前に配設される右眼フィルタ３１２とを含む光学フィルタ部３１０を備える。左眼フィルタ３１１及び右眼フィルタ３１２は、表示装置２００が表示する映像から視聴者の左眼へ到達する光の量（以下、左眼光量と称される）及び視聴者の右眼へ到達する光の量（以下、右眼光量と称される）を調整可能に形成される光学素子を含む。左眼フィルタ３１１及び右眼フィルタ３１２として、視聴者の左眼及び右眼へ透過する光路を開閉するシャッタ素子（例えば、液晶シャッタ）、視聴者の左眼及び右眼へ透過する光を偏光する偏光素子（例えば、液晶フィルタ）や光量を調整可能な他の光学素子が好適に用いられる。左眼フィルタ３１１は、左眼用フレーム画像の表示に同期して、左眼光量を増大させる一方で、右眼用フレーム画像の表示に同期して、左眼光量を低減させるように制御される。同様に、右眼フィルタ３１２は、右眼用フレーム画像の表示に同期して、右眼光量を増大させる一方で、左眼用フレーム画像の表示に同期して、右眼光量を低減させるように制御される。
【００２６】
表示装置２００は、映像信号処理部２１０、液晶駆動部２２０、表示部２３０、第１制御部２５０、第２制御部２４０を備える。
【００２７】
映像信号処理部２１０には、基本となる垂直同期周波数を有する映像信号（左眼用映像信号及び右眼用映像信号）が入力される。映像信号処理部２１０は、入力された左眼用映像信号（以下、Ｌ信号と称される）と右眼用映像信号（以下、Ｒ信号と称される）とを、基本となる垂直同期周波数のＮ倍（Ｎは自然数）の周波数で、交互に出力する。本実施形態では、入力された６０Ｈｚの映像信号が、１２０ＨｚのＬ信号及びＲ信号に変換される。変換を通じて得られたＬ信号及びＲ信号は、液晶駆動部２２０へ出力される。加えて、映像信号処理部２１０は、Ｌ信号及びＲ信号の出力に同期して、第１制御部２５０に制御信号を出力する。第１制御部２５０は、映像信号処理部２１０からの制御信号に基づき、表示部２３０のバックライト２３２を制御する。映像信号処理部２１０は、Ｌ信号及びＲ信号の出力に同期して、第２制御部２４０を制御するための制御信号を出力する。第２制御部２４０は、映像信号処理部２１０からの制御信号に基づき、光学フィルタ部３１０を制御する。第１制御部２５０及び／又は第２制御部２４０へ出力される制御信号は、映像信号処理部２１０による変換後のＬ信号及び／又はＲ信号自体であってもよい。代替的に、Ｌ信号及び／又はＲ信号の１２０Ｈｚの垂直同期信号であってもよい。
【００２８】
本実施形態において、Ｌ信号に含まれる一の垂直同期信号と、該一の垂直同期信号に続いて入力される後の垂直同期信号との間の映像情報を含む映像信号は、以下の説明において、左眼用フレーム画像信号と称される。また、Ｒ信号に含まれる一の垂直同期信号と、該一の垂直同期信号に続いて入力される後の垂直同期信号との間の映像情報を含む映像信号は、以下の説明において、右眼用フレーム画像信号と称される。左眼用フレーム画像信号は、左眼用フレーム画像を表現するために用いられる。同様に、右眼用フレーム画像信号は、右眼用フレーム画像を表現するために用いられる。
【００２９】
表示部２３０は、液晶を用いて左眼用フレーム画像と右眼用フレーム画像とを時間的に交互に切り換えて表示する液晶パネル２３１と、液晶パネル２３１に光を照射するバックライト２３２とを備える。液晶駆動部２２０は、主走査方向及び副走査方向にフレーム画像信号（左眼用フレーム画像信号又は右眼用フレーム画像信号）を走査し、液晶パネル２３１の液晶を駆動する。図２に示されるように、液晶パネル２３１の幅方向は、フレーム画像信号の主走査方向として例示される。液晶パネル２３１の上下方向は、フレーム画像信号の副走査方向として例示される。また、フレーム画像の表示に用いられる副走査方向の区間（液晶パネル２３１の上端縁から下端縁までの区間）は、副走査区間Ｓとして例示される。液晶駆動部２２０は、左眼用フレーム画像信号と右眼用フレーム画像信号とを交互に走査する。この結果、液晶パネル２３１に左眼用フレーム画像及び右眼用フレーム画像が時間的に交互に表示される。
【００３０】
本実施形態において、Ｌ信号及び／又はＲ信号に含まれるフレーム画像信号が映像信号処理部２１０から液晶駆動部２２０へ入力されると、液晶駆動部は、副走査区間Ｓに亘って液晶の駆動を開始させる第１走査動作と、フレーム画像を液晶パネル２３１に表示させるための第２走査動作とを実行する。尚、第２走査動作は、第１走査動作の後に実行される。後述されるように、液晶駆動部２２０は、第１走査動作を、第２走査動作よりも短期間で実行する。この結果、第１走査動作が実行された後であって、左眼フィルタ３１１が左眼光量を増大させる前又は右眼フィルタ３１２が右眼光量を増大させる前に実行される第２走査動作のための十分に長い時間が確保されることとなる。
【００３１】
液晶駆動部２２０は、Ｌ信号及びＲ信号に含まれる垂直同期信号及び水平同期信号にしたがって、Ｌ信号及びＲ信号を、液晶パネル２３１が表示可能な形式に変換する。液晶駆動部２２０は、液晶パネル２３１上のフレーム画像の表示ごとに、変換されたＬ信号及びＲ信号のフレーム画像信号を用いて、第１走査動作と第２走査動作とを実行する。
【００３２】
液晶パネル２３１は、主走査方向に延びるとともに副走査方向に整列された複数の走査線を含む。Ｌ信号及びＲ信号に含まれる垂直同期信号によって規定されるフレーム画像信号は、液晶パネル２３１の複数の走査線に対応する複数のライン信号を含む。ライン信号は、フレーム画像信号に含まれる水平同期信号によって規定される。一の水平同期信号と、該一の水平同期信号に続く後の水平同期信号との間の映像情報を含む映像信号が、各走査線に対応するライン信号として用いられる。各走査線に対応する各ライン信号は、上方の走査線から下方の走査線まで、液晶駆動部２２０によって順次書き込まれる。この結果、各走査線に沿うように配列された液晶が順次駆動され、フレーム画像が液晶パネル２３１上に表示されることとなる。
【００３３】
液晶パネル２３１は、上述の液晶駆動部２２０による液晶の駆動によって、入力されたＬ信号とＲ信号とに応じて、背面から入射する光を変調する。この結果、液晶パネル２３１は、左眼で視聴されるように作成された左眼用フレーム画像と、右眼で視聴されるように作成された右眼用フレーム画像とを交互に表示する。液晶パネル２３１には、例えば、ＩＰＳ（In Plane Switching）方式や、ＶＡ（Vertical Alignment）方式やＴＮ（Twisted Nematic）方式といった様々な駆動方式が好適に適用される。
【００３４】
バックライト２３２は、液晶パネル２３１の背面から液晶パネル２３１の表示面に向けて光を照射する。本実施形態において、バックライト２３２として、面発光するように二次元配列された複数の発光ダイオード（ＬＥＤ）（図示せず）が用いられている。代替的に、バックライト２３２として、面発光するように配列された複数の蛍光管が用いられてもよい。バックライト２３２として用いられる発光ダイオードや蛍光管は、液晶パネル２３１の縁部に配設され、面発光を生じさせてもよい（エッジタイプ）。
【００３５】
第１制御部２５０は、映像信号処理部２１０から出力された１２０Ｈｚの制御信号を基準に発光制御信号を出力する。バックライト２３２は、発光制御信号に基づき明滅可能である。
【００３６】
第２制御部２４０は、眼鏡装置３００の光学フィルタ部３１０を、左眼用フレーム画像及び右眼用フレーム画像の表示周期に合わせて制御する。本実施形態において、第２制御部は、眼鏡装置３００を制御する制御部として例示される。
【００３７】
第２制御部２４０は、左眼フィルタ３１１を制御するための左眼用のフィルタ制御部２４１（以下、Ｌフィルタ制御部２４１と称される）と、右眼フィルタ３１２を制御するための右眼用のフィルタ制御部２４２（以下、Ｒフィルタ制御部２４２と称される）とを備える。液晶パネル２３１が左眼用フレーム画像及び右眼用フレーム画像を、例えば、１２０Ｈｚで交互に表示するとき、Ｌフィルタ制御部２４１は、左眼フィルタ３１１が６０Ｈｚの周期で左眼光量を調整する（増減させる）ように眼鏡装置３００を制御する。同様に、Ｒフィルタ制御部２４２は、右眼フィルタ３１２が６０Ｈｚの周期で右眼光量を調整する（増減させる）ように眼鏡装置３００を制御する。
【００３８】
図２に示される如く、本実施形態において、表示装置２００は、左眼用フレーム画像の表示に同期する第１同期信号を送信する第１送信部２４３と、右眼用フレーム画像の表示に同期する第２同期信号を送信する第２送信部２４４とを備える。また、眼鏡装置３００は、左眼フィルタ３１１と右眼フィルタ３１２との間に配設される受信部３２０を備える。受信部３２０は、第１同期信号及び第２同期信号を受信する。第１同期信号の波形は、好ましくは、第２同期信号の波形と異なる。受信部３２０は、受信された同期信号の波形に基づき、第１同期信号と第２同期信号とを識別する。かくして、眼鏡装置３００は、第１同期信号に基づき、左眼フィルタ３１１を動作させる。また、眼鏡装置３００は、第２同期信号に基づき、右眼フィルタ３１２を動作させる。表示装置２００と眼鏡装置３００との間の同期信号の無線通信並びに眼鏡装置３００による同期信号（第１同期信号及び第２同期信号）の内部処理に対して、既知の他の通信技術並びに既知の他の信号処理技術が用いられてもよい。代替的に、表示装置２００と眼鏡装置３００との間の同期信号（第１同期信号及び第２同期信号）の通信が、有線式に行われてもよい。また、左眼用映像の表示に同期する第１同期信号を送信する第１送信部２４３と、右眼用映像の表示に同期する第２同期信号を送信する第２送信部２４４とを共通化して１つの送信部としてもよい。この場合、同期信号を共通化して左眼用映像の表示と右眼用映像の表示とを信号の立ち上がりに交互に同期させてもよい。
【００３９】
Ｌフィルタ制御部２４１及びＲフィルタ制御部２４２は、映像信号処理部２１０からの制御信号を基準とし、左眼フィルタ３１１による左眼光量の増減周期の位相及び右眼フィルタ３１２による右眼光量の増減周期の位相を決定する。Ｌフィルタ制御部２４１及びＲフィルタ制御部２４２は、決定された位相に従い、第１同期信号及び第２同期信号を出力する。左眼フィルタ３１１及び右眼フィルタ３１２それぞれは、第１同期信号及び第２同期信号に基づき、左眼用フレーム画像の表示及び右眼用フレーム画像の表示に同期して、左眼光量及び右眼光量を増減させる。
【００４０】
第２制御部２４０は、液晶パネル２３１の応答特性並びに表示される左眼用フレーム画像と右眼用フレーム画像との間のクロストーク（相互干渉）を考慮して、左眼フィルタ３１１及び右眼フィルタ３１２それぞれが左眼光量及び右眼光量を増大させている期間（以下、光量増大期間と称される）の長さと、光量増大期間のタイミング（位相）を決定する。Ｌフィルタ制御部２４１は、左眼光量に対する光量増大期間の長さ及びタイミングを制御する。Ｒフィルタ制御部２４２は、右眼光量に対する光量増大期間の長さ及びタイミングを制御する。
【００４１】
映像信号処理部２１０の１２０Ｈｚの制御信号に基づき動作する第１制御部２５０は、左眼フィルタ３１１及び右眼フィルタ３１２による光量調整の動作に同期してバックライト２３２を発光させる発光制御信号を出力する。バックライト２３２は、発光制御信号に基づき、明滅することができる。尚、本実施形態において、バックライト２３２は、第１制御部２５０の制御下で、常時点灯している。したがって、視聴者がフレーム画像を視聴することができる視聴期間のタイミング及び長さは、眼鏡装置３００の光学フィルタ部３１０の動作によって定められる。
【００４２】
代替的に、第１制御部２５０は、第２制御部２４０によって調整される光量増大期間中の一部の期間或いは光量増大期間と略一致する期間において、バックライト２３２を点灯させ、他の期間においてバックライト２３２を消灯させてもよい。このような第１制御部２５０によるバックライト２３２の明滅制御下において、視聴者がフレーム画像を視聴することができる視聴期間のタイミング及び長さは、バックライト２３２の明滅動作によって定められる。
【００４３】
（走査動作）
図３Ａ及び図３Ｂは、本実施形態に用いられる第１走査動作と第２走査動作とを概略的に説明するグラフである。図３Ａは、第１走査動作を概略的に説明するグラフである。図３Ｂは、第２走査動作を概略的に説明するグラフである。図１、図３Ａ及び図３Ｂを参照しつつ、液晶駆動部２２０による走査動作が説明される。
【００４４】
図３Ａ及び図３Ｂのグラフの横軸は、時間軸である。図３Ａ及び図３Ｂのグラフの縦軸は、液晶パネル２３１の副走査方向の位置を表す。図３Ａ及び図３Ｂのグラフに示される矢印ＣＴは、液晶パネル２３１の副走査方向に整列した各走査線に沿う各画素に印加される電圧の印加時間を表す。尚、説明の理解を容易にするために、図３Ａ及び図３Ｂに概略的に示される走査動作によって液晶パネル２３１に表示されるフレーム画像は単一色とされている。したがって、液晶パネル２３１の各画素に対する電圧の印加時間の長さ（即ち、矢印ＣＴの長さ）は、第１走査期間において、一定である。同様に、液晶パネル２３１の各画素に対する電圧の印加時間の長さ（即ち、矢印ＣＴの長さ）は、第２走査期間において、一定である。
【００４５】
液晶駆動部２２０は、液晶パネル２３１の上方に位置する走査線から、順次、ライン信号を書き込む。したがって、図３Ａ及び図３Ｂの矢印ＣＴで示されるように、下方に位置する走査線に沿う画素ほど、ライン信号の書き込みに伴う電圧が印加されるタイミングが遅れていく。
【００４６】
上述の如く、液晶駆動部２２０は、フレーム画像を液晶パネル２３１に表示させるために第１走査動作と第２走査動作とを実行する。第１走査動作を行う液晶駆動部２２０は、第２走査動作を行う液晶駆動部２２０よりも高い値の書き込み周波数でフレーム画像信号を走査する。尚、第２走査動作における書き込み周波数は、フレーム画像を表示するのに十分な電圧の印加時間を確保できるような値に設定される。
【００４７】
図３Ａに示される如く、第１走査動作において、最も上方に位置する走査線に対するライン信号の書き込みが開始されてから最も下方に位置する走査線に対するライン信号の書き込みが完了するまでの第１走査期間の長さは、「Ｔ１」である。図３Ａ及び図３Ｂに示される如く、第２走査動作において、最も上方に位置する走査線に対するライン信号の書き込みが開始されてから最も下方に位置する走査線に対するライン信号の書き込みが完了するまでの第２走査期間の長さは、「Ｔ２」である。第１走査動作と第２走査動作との間の書き込み周波数の相違に起因して、第１走査期間の長さ「Ｔ１」は、第２走査期間の長さ「Ｔ２」よりも短くなる。例えば、第１走査動作における書き込み周波数が第２走査動作における書き込み周波数の２倍の値であるとき、第１走査期間の長さ「Ｔ１」は、第２走査期間の長さ「Ｔ２」の２分の１となる。
【００４８】
図４は、映像視聴システム１００の制御を概略的に表す制御タイミングチャートである。図４のセクション（Ａ）は、液晶パネル２３１の映像の走査タイミングを概略的に示す。図４のセクション（Ｂ）は、眼鏡装置３００の左眼フィルタ３１１によって調整される左眼光量の変動並びに右眼フィルタ３１２によって調整される右眼光量の変動を概略的に表す。図４のセクション（Ｃ）は、液晶駆動部２２０による走査動作により最初に応答を開始する液晶（液晶パネル２３１の最も上方に位置する走査線上の液晶）の応答を概略的に示す。図４のセクション（Ｄ）は、液晶駆動部２２０による走査動作により最後に応答を開始する液晶（液晶パネル２３１の最も下方に位置する走査線上の液晶）の応答を概略的に示す。図１、図３Ａ乃至図４を参照しつつ、液晶駆動部２２０による走査動作が更に説明される。
【００４９】
図４に示される如く、１フィールド（６０Ｈｚ）の期間は、左眼走査区間（以下、Ｌ区間と称される）と右眼走査区間（以下、Ｒ区間と称される）とに等分割される。Ｌ区間において、左眼用フレーム画像信号が走査される。Ｒ区間において、右眼用フレーム画像信号が走査される。尚、説明の理解を容易にするために、左眼用フレーム画像は、白色の画像とされ、右眼用フレーム画像は黒色の画像とされる。
【００５０】
図４のセクション（Ａ）に示される矢印Ｓ１は、液晶駆動部２２０の第１走査動作を示す。図４のセクション（Ａ）に示される矢印Ｓ２は、液晶駆動部２２０の第２走査動作を示す。
【００５１】
第１走査動作は、Ｌ区間とＲ区間との切り替わり時刻から開始される。液晶駆動部２２０は、液晶パネル２３１の最も上方に位置する走査線から、順次、フレーム画像信号に含まれるライン信号を書き込む。図３Ａ及び図３Ｂに関連して説明された如く、第１走査動作の開始から完了までの第１走査期間の長さは「Ｔ１」である。
【００５２】
第２走査動作は、第１走査動作の完了直後から開始される。液晶駆動部２２０は、第２規定信号及び第１走査動作に用いられたフレーム画像信号と同一の画像情報を有するフレーム画像信号を再度走査する。液晶駆動部２２０は、第１走査動作と同様に、液晶パネル２３１の最も上方に位置する走査線から、順次、ライン信号を書き込む。図３Ａ及び図３Ｂに関連して説明された如く、第２走査動作の開始から完了までの第２走査期間の長さは、「Ｔ２」である。
【００５３】
図４のセクション（Ｂ）に示されるチャート線は、左眼光量及び右眼光量の増減を示す。左眼フィルタ３１１は、Ｌフィルタ制御部２４１の制御下で、Ｌ区間における第２走査動作の完了直後或いは第２走査動作の完了と同時に左眼光量を増大させる。その後、Ｒ区間における第１走査動作の開始直前或いは第１走査動作の開始と同時に左眼光量を低減させる。同様に、右眼フィルタ３１２は、Ｒフィルタ制御部２４２の制御下で、Ｒ区間における第２走査動作の完了直後或いは第２走査動作の完了と同時に右眼光量を増大させる。その後、Ｌ区間における第１走査動作の開始直前或いは第１走査動作の開始と同時に右眼光量を低減させる。かくして、第２制御部２４０によって規定された光量増大期間Ｉ（左眼光量又は右眼光量が増大されている期間）の間、視聴者は左眼用フレーム画像又は右眼用フレーム画像を視聴することができる。
【００５４】
図４のセクション（Ｃ）及びセクション（Ｄ）に示されるチャート線ＲＥは、液晶パネル２３１の液晶層を透過する透過光量を示す。図４のセクション（Ｃ）に示される如く、液晶パネル２３１の最も上方に位置する走査線に書き込まれたライン信号によって駆動される液晶は、第１走査動作の開始直後に応答を開始する。図４のセクション（Ｄ）に示される如く、液晶パネル２３１の最も下方に位置する走査線に書き込まれたライン信号によって駆動される液晶は、第１走査動作の完了直後に応答を開始する。
【００５５】
図５Ａ乃至図５Ｃは、１つのフレーム画像の表示に対して第１走査動作と第２走査動作とが実行されることによる効果を概略的に説明するグラフである。図５Ａは、１つのフレーム画像の表示に対して第１走査動作のみが実行されたときの液晶の応答を示す。図５Ｂは、１つのフレーム画像の表示に対して第２走査動作のみが実行されたときの液晶の応答を示す。図５Ｃは、１つのフレーム画像の表示に対して、第１走査動作と第２走査動作とが実行されたときの液晶の応答を示す。図１、図３Ａ乃至図５Ｃを参照しつつ、第１走査動作及び第２走査動作の効果が説明される。
【００５６】
図５Ａ乃至図５Ｃに示されるグラフの横軸は、時間軸である。図５Ａ乃至図５Ｃに示されるグラフの左側の縦軸は、液晶パネル２３１の副走査方向の位置を示す。図５Ａ及び図５Ｃに示される矢印Ｓ１は、図４のセクション（Ａ）と同様に、第１走査動作を示す。また、図５Ｂ及び図５Ｃに示される矢印Ｓ２は、図４のセクション（Ａ）と同様に、第２走査動作を示す。
【００５７】
図５Ａに示される走査動作では、時刻「０」から、液晶パネル２３１の最も上方に位置する走査線に第１書き込み周波数でライン信号が書き込まれる。液晶駆動部２２０は、順次、下方の走査線に第１書き込み周波数でライン信号を書き込む。時刻「Ｔ１」において、液晶パネル２３１の最も下方に位置する走査線へのライン信号の書き込みが完了する。
【００５８】
図５Ｂに示される走査動作では、時刻「０」から、液晶パネル２３１の最も上方に位置する走査線に第２書き込み周波数でライン信号が書き込まれる。液晶駆動部２２０は、順次、下方の走査線に第２書き込み周波数でライン信号を書き込む。時刻「Ｔ２」において、液晶パネル２３１の最も下方に位置する走査線へのライン信号の書き込みが完了する。
【００５９】
図５Ｃに示される第１走査動作では、時刻「０」から、液晶パネル２３１の最も上方に位置する走査線にライン信号が書き込まれる。上述の如く、第１走査動作におけるライン信号の書き込みは、第２走査動作におけるライン信号の書き込み周波数の値より高く設定された第１書き込み周波数で行われる。液晶駆動部２２０は、順次、下方の走査線に第１書き込み周波数でライン信号を書き込む。時刻「Ｔ１」において、液晶パネル２３１の最も下方に位置する走査線へのライン信号の書き込みが完了する。
【００６０】
その後、液晶駆動部２２０は、第２走査動作を実行する。上述の如く、第２走査動作におけるライン信号の書き込みは、フレーム画像を適切に表示することができる値に設定された第２書き込み周波数で行われる。時刻「Ｔ１」から、液晶パネル２３１の最も上方に位置する走査線に第２書き込み周波数でライン信号が書き込まれる。液晶駆動部２２０は、その後、下方の走査線に第２書き込み周波数でライン信号を、順次、書き込む。時刻「Ｔ１＋Ｔ２」において、液晶パネル２３１の最も下方に位置する走査線へのライン信号の書き込みが完了する。
【００６１】
図５Ａ乃至図５Ｃに示されるグラフの右側の縦軸は、液晶パネル２３１の最も下方に位置する走査線に書き込まれたライン信号によって駆動される液晶の応答度を示す。図５Ａ乃至図５Ｃに示されるグラフのチャート線ＲＥＬは、液晶パネル２３１の最下に位置する液晶の応答度を示す。尚、図５Ａ乃至図５Ｃに示されるグラフのチャート線ＲＥＬは、図４に示されるＬ区間（白色の左眼フレーム画像を表示するための区間）における液晶の応答度を示す。
【００６２】
図５Ａ乃至図５Ｃのグラフの右側の縦軸において、液晶パネル２３１の最下に位置する走査線に書き込まれたライン信号に規定された色を表示するのに必要な光量に相当するバックライト２３２からの光を透過させたときの液晶の応答度が、「１００」の数値で表されている。また、直前のフレーム画像信号に基づく液晶の応答度が、「０」の数値で表されている。
【００６３】
図３Ａ及び図３Ｂの矢印ＣＴで示される如く、画素の充電電圧を目標値まで到達させるには第１走査動作中の書き込み時間は不十分である。したがって、図５Ａに示される如く、第１走査動作のみがフレーム画像の表示のために実行されたときは、その後、十分な時間経過後も液晶の応答度は、目標とする値に到達しない。
【００６４】
一方、図５Ｂに示される如く、第２走査動作のみがフレーム画像の表示のために実行されたときは、最下に位置する走査線に沿う液晶は、比較的遅い時刻「Ｔ２」から応答を開始する。この結果、光量増大期間Ｉが開始されたとき、最下に位置する走査線に沿う液晶は、十分な応答度に到達していない。
【００６５】
図５Ｃに示される如く、液晶駆動部２２０が第１走査動作を実行したとき、最下に位置する走査線に沿う液晶は、時刻「Ｔ１」から応答を開始する。その後、時刻「Ｔ１」から液晶駆動部２２０が第２走査動作を実行すると、第１走査動作によって一定量の応答動作をした液晶が第２走査動作によって目標の応答度となるように更に応答する。この結果、最下に位置する走査線に沿う液晶は、比較的短時間で所望の応答度に到達することができる。第１書き込み周波数が、第２書き込み周波数の２倍の値であるならば、図５Ｃの液晶の応答開始時刻「Ｔ１」は、図５Ｂの液晶の応答開始時刻「Ｔ２」の半分になる。第１書き込み周波数の大きさは、液晶の応答開始時刻と第１走査動作により達成される液晶の応答度とに基づいて、適切に決定される。
【００６６】
図５Ｃに示される如く、時刻「Ｔ１＋Ｔ２」において、光量増大期間Ｉが開始されたとき、第１走査動作及び第２走査動作によって駆動された液晶は、比較的高い応答度となっている。上述の如く、第１走査動作のみによって駆動された液晶は、不十分な書き込み時間に起因して、比較的低い応答度となっている。また、第２走査動作のみによって駆動された液晶は、応答開始の遅れに起因して、低い応答度となっている。したがって、液晶駆動部２２０が第１走査動作及び第２走査動作を実行することによって、比較的遅いタイミングで走査動作がなされる液晶パネル２３１の表示領域で表示されるフレーム画像の部分におけるクロストークが好適に低減されることとなる。かくして、視聴者は、クロストークが低減されたフレーム画像を視聴することができる。
【００６７】
＜第２実施形態＞
（映像視聴システムの構成）
図６は、第２実施形態に係る映像視聴システム１００Ａの構成を概略的に示すブロック図である。第２実施形態に係る映像視聴システム１００Ａと、第１実施形態に係る映像視聴システム１００との相違点が説明される。
【００６８】
映像視聴システム１００Ａは、第１実施形態と同様の眼鏡装置３００と、左眼用フレーム画像と右眼用フレーム画像とを交互に表示する表示装置２００Ａを備える。表示装置２００Ａは、第１実施形態の表示装置２００と同様の映像信号処理部２１０、液晶駆動部２２０、表示部２３０、第１制御部２５０及び第２制御部２４０に加えて、出力部２６０を備える。
【００６９】
第１実施形態と同様に、映像信号処理部２１０には、基本となる垂直同期周波数を有する映像信号（左眼用映像信号及び右眼用映像信号）が入力される。映像信号処理部２１０は、入力された左眼用映像信号（以下、Ｌ信号と称される）と右眼用映像信号（以下、Ｒ信号と称される）とを、基本となる垂直同期周波数のＮ倍（Ｎは自然数）の周波数で、交互に出力する。変換を通じて得られたＬ信号及びＲ信号は、出力部２６０へ出力される。
【００７０】
出力部２６０は、液晶駆動部２２０により実行される第１走査動作に用いられる第１フレーム画像信号と、液晶駆動部２２０により実行される第２走査動作に用いられる第２フレーム画像信号とを、液晶駆動部２２０へ出力する。本実施形態において、第１フレーム画像信号を用いて第１走査動作を行う液晶駆動部２２０は、第２フレーム画像信号を用いて第２走査動作を行う液晶駆動部２２０よりも低い解像度でフレーム画像信号を走査する。
【００７１】
出力部２６０は、Ｌ信号及び／又はＲ信号のフレーム画像信号に含まれる水平同期信号に規定される複数のライン信号を処理するライン信号処理部２６１と、ライン信号を記憶するライン信号記憶部２６２とを含む。ライン信号処理部２６１及びライン信号記憶部２６２は、後述されるように、協働してフレーム画像信号のライン信号に対して平均化処理又は選択処理を行い、第１フレーム画像信号を生成する。
【００７２】
図７は、出力部２６０が実行するライン信号に対する平均化処理を概略的に説明する図である。図６及び図７を参照しつつ、出力部２６０が実行するライン信号に対する平均化処理が説明される。
【００７３】
図７には、ライン信号が書き込まれる複数の走査線Ｌ１乃至Ｌ１６が示されている。主走査線方向に延びる走査線Ｌ１乃至Ｌ１６は、副走査方向に略平行に整列される。各走査線に沿って、画素Ｐが整列される。本実施形態において、互いに隣接する一対の走査線の組（例えば、走査線Ｌ１，Ｌ２の組，走査線Ｌ３，Ｌ４の組、走査線Ｌ５，Ｌ６の組）に沿う画素Ｐの集合は、それぞれが複数の表示領域を形成する。例えば、走査線Ｌ１，Ｌ２の組にそれぞれ書き込まれる複数のライン信号によって表現されるフレーム画像の部分は、第１画像部分として例示される。また、走査線Ｌ３，Ｌ４の組にそれぞれ書き込まれる複数のライン信号によって表現されるフレーム画像の部分は、第２画像部分として例示される。この場合、走査線Ｌ１，Ｌ２の組にそれぞれ書き込まれる複数のライン信号は、第１ライン信号として例示される。また、走査線Ｌ３，Ｌ４の組にそれぞれ書き込まれる複数のライン信号は、第２ライン信号として例示される。更に、この場合、走査線Ｌ１，Ｌ２の組は、複数の第１走査線として例示され、走査線Ｌ３，Ｌ４の組は、複数の第２走査線として例示される。
【００７４】
ライン信号処理部２６１は、走査線の組ごとに信号処理を行う。ライン信号処理部２６１は、例えば、走査線Ｌ１に対応するライン信号をライン信号記憶部２６２に記憶させる。その後、走査線Ｌ２に対応するライン信号が映像信号処理部２１０から入力されたとき、ライン信号処理部２６１は、ライン信号記憶部２６２から走査線Ｌ１に対応するライン信号を読み出す。ライン信号処理部２６１は、更に、走査線Ｌ１に対応するライン信号と、走査線Ｌ２に対応するライン信号とを平均化する。
【００７５】
図７には、説明の明瞭化のために、副走査方向へ延びる画素列は、符号「Ｍ１」乃至「Ｍ３２」で示されている。副走査方向へ延びる画素列Ｍ１乃至Ｍ３２は、主走査方向に整列している。ライン信号の平均化処理において、ライン信号処理部２６１は、例えば、画素列Ｍ１上と走査線Ｌ１との交点に位置する画素Ｐに対応するライン信号の値及び画素列Ｍ１と走査線Ｌ２との交点に位置する画素Ｐに対応するライン信号の値を平均化して、画素列Ｍ１と走査線Ｌ１及びＬ２との交点に対応する２つの画素Ｐに対する信号の値を定める。この結果、これら２つの画素Ｐには、互いに等しい値の信号（平均化処理されたライン信号）が割り当てられる。ライン信号処理部２６１は、このような平均化処理を走査線Ｌ１，Ｌ２と画素列Ｍ２乃至Ｍ３２との交点に位置する各画素Ｐに対して繰り返し、走査線Ｌ１，Ｌ２に共通して書き込まれる共通ライン信号を生成する。ライン信号処理部２６１は、他の走査線Ｌ３乃至Ｌ１６に対応するライン信号に対して、同様の平均化処理を実行する。かくして、複数の走査線の組に対してそれぞれ書き込まれる複数の共通ライン信号が生成される。
【００７６】
複数の第１走査線として用いられる一の走査線の組（例えば、走査線Ｌ１，Ｌ２の組）に対して決定される共通ライン信号は、第１共通ライン信号として例示される。また、他のもう１つの走査線の組（例えば、走査線Ｌ３，Ｌ４の組）に対して決定される共通ライン信号は第２共通ライン信号として例示される。
【００７７】
図８は、出力部２６０が実行するライン信号に対する選択処理を概略的に説明する図である。図６乃至図８を参照しつつ、出力部２６０が実行するライン信号に対する選択処理が説明される。
【００７８】
出力部２６０は、図７に関連して説明された平均化処理に代えて、ライン信号に対して選択処理を行ってもよい。図８に示される走査線Ｌ１乃至Ｌ１６及び画素列Ｍ１乃至Ｍ３２の配列は、図７と同様である。ライン信号処理部２６１は、図７に関連して説明された平均化処理の代わりに、各表示領域を形成する主走査方向の画素列に対応する走査線の組に入力される複数のライン信号のうち１つのライン信号を選択し、共通ライン信号を生成してもよい。
【００７９】
ライン信号処理部２６１は、図７に関連して説明された平均化処理と同様に、走査線の組ごとに信号処理を行う。ライン信号処理部２６１は、例えば、走査線Ｌ１に対応するライン信号をライン信号記憶部２６２に記憶させる。その後、走査線Ｌ２に対応するライン信号が入力されたとき、ライン信号処理部２６１は、ライン信号記憶部２６２から走査線Ｌ１に対応するライン信号を読み出す。ライン信号処理部２６１は、更に、走査線Ｌ１に対応するライン信号と、走査線Ｌ２に対応するライン信号とに対して選択処理を行う。
【００８０】
ライン信号の選択処理において、ライン信号処理部２６１は、例えば、画素列Ｍ１と走査線Ｌ１との交点に位置する画素Ｐに対応するライン信号の値及び画素列Ｍ１と走査線Ｌ２との交点に位置する画素Ｐに対応するライン信号の値とを比較して、走査線Ｌ１及びＬ２と画素列Ｍ１との交点に位置する２つの画素に対応する信号の値を定める。ライン信号処理部２６１は、例えば、走査線Ｌ１と画素列Ｍ１との交点に位置する画素Ｐに対するライン信号の値及び走査線Ｌ２と画素列Ｍ１との交点に位置する画素Ｐに対するライン信号の値のうち大きい方の値（最大値）或いは小さい方の値（最小値）を共通ライン信号の値として定めてもよい。ライン信号処理部２６１は、このような選択処理を走査線Ｌ１，Ｌ２と画素列Ｍ２乃至Ｍ３２との交点に位置する画素Ｐに対して繰り返し、走査線Ｌ１，Ｌ２に共通して書き込まれる共通ライン信号を生成する。ライン信号処理部２６１は、他の走査線Ｌ３乃至Ｌ１６に対応するライン信号に対して、同様の選択処理を実行する。かくして、複数の走査線の組に対してそれぞれ書き込まれる複数の共通ライン信号が生成される。
【００８１】
代替的に、奇数番号の走査線（走査線Ｌ１、Ｌ３、Ｌ５・・・）又は偶数番号の走査線（走査線Ｌ２，Ｌ４，Ｌ６・・・）に入力されるライン信号が共通ライン信号として用いられることが予め決定されていてもよい。ライン信号処理部２６１は、予め決定された走査線に入力されたライン信号を共通ライン信号として出力してもよい。
【００８２】
図９Ａ乃至図１０Ｂは、本実施形態に用いられる第１走査動作と第２走査動作とを概略的に説明するグラフである。図９Ａは、第１走査動作を概略的に説明するグラフである。図９Ｂは、第２走査動作を概略的に説明するグラフである。図１０Ａは、第１走査動作における共通ライン信号の書き込みを概略的に説明する図である。図１０Ｂは、第２走査動作におけるライン信号の書き込みを概略的に説明する図である。図６乃至図１０Ｂを参照しつつ、第１走査動作及び第２走査動作が説明される。
【００８３】
図９Ａ及び図９Ｂのグラフの横軸は、時間軸である。図９Ａ及び図９Ｂのグラフの縦軸は、液晶パネル２３１の副走査方向の位置を表す。図９Ａ及び図９Ｂのグラフに示される矢印ＣＴは、液晶パネル２３１の副走査方向に整列した各走査線に沿う各画素に印加される電圧の印加時間を表す。尚、説明の理解を容易にするために、図９Ａ及び図９Ｂに概略的に示される走査動作によって液晶パネル２３１に表示されるフレーム画像は単一色とされている。したがって、液晶パネル２３１の各画素に対する電圧の印加時間の長さ（即ち、矢印ＣＴの長さ）は、第１走査期間において、一定である。同様に、液晶パネル２３１の各画素に対する電圧の印加時間の長さ（即ち、矢印ＣＴの長さ）は、第２走査期間において、一定である。
【００８４】
図１０Ａ及び図１０Ｂには、副走査方向に整列された走査線Ｌ１乃至Ｌ６が示されている。各走査線Ｌ１乃至Ｌ６に沿うチャート線は、各走査線に入力される信号（図１０Ａのチャート線は、第１走査における共通ライン信号を示し、図１０Ｂのチャート線は、第２走査におけるＬ信号又はＲ信号であるフレーム画像信号のライン信号を示す）の書き込みを表す。尚、図１０Ａ及び図１０Ｂには、６つの走査線が示されているが、走査線Ｌ６の下方に連なる走査線に関しても、図１０Ａ及び図１０Ｂに関連する説明は同様に適用される。
【００８５】
図７及び図８に関連して説明された如く、出力部２６０は、複数のライン信号に基づき、共通ライン信号を生成するとともに、共通ライン信号に基づき作成された第１フレーム画像を液晶駆動部２２０に出力する。第１走査動作を行う液晶駆動部２２０は、各組の走査線に共通ライン信号を同時に書き込む。
【００８６】
出力部２６０は、第１フレーム画像信号を出力した後、第２フレーム画像信号を液晶駆動部２２０に出力する。尚、第２フレーム画像信号は、第１フレーム画像信号に変換される前のフレーム画像信号と同様の画像情報を含む。
【００８７】
液晶駆動部２２０は、第１フレーム画像信号を用いて第１走査動作を実行し、その後、第２フレーム画像信号を用いて第２走査動作を実行する。上述の如く、平均化処理或いは選択処理は、一対の走査線を含む組ごとに行われる。したがって、液晶駆動部２２０は、第２走査動作と比較して、半分の解像度のフレーム画像が描かれるように第１走査動作を実行する。尚、平均化処理或いは選択処理が、３或いはそれ以上の走査線を含む組単位で行われるならば、第１走査動作によって描かれるフレーム画像の解像度は、３分の１或いはそれ以下となる。
【００８８】
図９Ａ及び図１０Ａに示される如く、第１走査動作を実行する液晶駆動部２２０は、第１フレーム画像信号に基づいて、各表示領域に対応する走査線の組に同時に共通ライン信号を書き込む。例えば、走査線Ｌ１，Ｌ２の組に、走査線Ｌ１及び走査線Ｌ２にそれぞれ対応するライン信号から生成された共通ライン信号が同時に書き込まれる。走査線Ｌ１及び走査線Ｌ２の主走査方向への共通ライン信号の書き込みが完了した後、走査線Ｌ３，Ｌ４の組に対する共通ライン信号の書き込みがなされる。複数の走査線に対して、共通ライン信号が同時に書き込まれることによって、第１走査動作は比較的短い時間で完了する。
【００８９】
図９Ｂ及び図１０Ｂに示される如く、第２走査動作を実行する液晶駆動部２２０は、第２フレーム画像信号に基づいて、各走査線に対して、対応するライン信号を順次書き込む。例えば、走査線Ｌ１に対応するフレーム画像信号のライン信号は、走査線Ｌ１に書き込まれる。その後、走査線Ｌ２に対応するフレーム画像信号のライン信号は、走査線Ｌ２に書き込まれる。このような順次の書き込みが、液晶パネル２３１の副走査区間Ｓの全体（図２参照）に亘って行われることによって、フレーム画像が液晶パネル２３１に表示される。
【００９０】
図９Ａ乃至図１０Ｂに示される如く、各走査線に対する信号の書き込み時間（即ち、図９Ａ及び図９Ｂの矢印ＣＴの長さ）は、第１走査動作と第２走査動作との間で一定である。したがって、第１実施形態と較べて、第１走査動作によって液晶の応答が十分に進む。
【００９１】
図１１Ａ乃至図１１Ｃは、１つのフレーム画像の表示に対して第１走査動作と第２走査動作とが実行されることによる効果を概略的に説明するグラフである。図１１Ａは、１つのフレーム画像の表示に対して第１走査動作のみが実行されたときの液晶の応答を示す。図１１Ｂは、１つのフレーム画像の表示に対して第２走査動作のみが実行されたときの液晶の応答を示す。図１１Ｃは、１つのフレーム画像の表示に対して、第１走査動作と第２走査動作とが実行されたときの液晶の応答を示す。図６乃至図１１Ｃを参照しつつ、第１走査動作の効果が説明される。
【００９２】
図１１Ａ乃至図１１Ｃに示されるグラフの横軸は、時間軸である。図１１Ａ乃至図１１Ｃに示されるグラフの左側の縦軸は、液晶パネル２３１の副走査方向の位置を示す。図１１Ａ乃至図１１Ｃに示される矢印Ｓ１は、第１走査動作を示す。また、図１１Ａ乃至図１１Ｃに示される矢印Ｓ２は、第２走査動作を示す。
【００９３】
図１１Ａに示される走査動作では、時刻「０」から、液晶パネル２３１の最も上方に位置する走査線に、上述の平均化処理又は選択処理によって生成された共通ライン信号が書き込まれる。液晶駆動部２２０は、順次、下方の走査線に共通ライン信号を書き込む。時刻「Ｔ１」において、液晶パネル２３１の最も下方に位置する走査線へのライン信号の書き込みが完了する。
【００９４】
図１１Ｂに示される走査動作では、時刻「０」から、液晶パネル２３１の最も上方に位置する走査線にライン信号が書き込まれる。液晶駆動部２２０は、順次、下方の走査線にライン信号を書き込む。時刻「Ｔ２」において、液晶パネル２３１の最も下方に位置する走査線へのライン信号の書き込みが完了する。
【００９５】
図１１Ｃに示される第１走査動作では、時刻「０」から、液晶パネル２３１の最も上方に位置する走査線に共通ライン信号が書き込まれる。液晶駆動部２２０は、順次、下方の走査線に共通ライン信号を書き込む。時刻「Ｔ１」において、液晶パネル２３１の最も下方に位置する走査線へのライン信号の書き込みが完了する。
【００９６】
その後、液晶駆動部２２０は、第２走査動作を実行する。時刻「Ｔ１」から、液晶パネル２３１の最も上方に位置する走査線にライン信号が書き込まれる。液晶駆動部２２０は、その後、下方の走査線にライン信号を、順次、書き込む。時刻「Ｔ１＋Ｔ２」において、液晶パネル２３１の最も下方に位置する走査線へのライン信号の書き込みが完了する。
【００９７】
図１１Ａ乃至図１１Ｃに示されるグラフの右側の縦軸は、液晶パネル２３１の最も下方に位置する走査線に書き込まれたライン信号によって駆動される液晶の応答度を示す。図１１Ａ乃至図１１Ｃに示されるグラフのチャート線ＲＥＬは、液晶パネル２３１の最下に位置する液晶の応答度を示す。
【００９８】
図１１Ａ乃至図１１Ｃのグラフの右側の縦軸において、液晶パネル２３１の最下に位置する走査線に書き込まれたライン信号に規定された色を表示するのに必要な光量に相当するバックライト２３２からの光を透過させたときの液晶の応答度が、「１００」の数値で表されている。また、直前のフレーム画像信号に基づく液晶の応答度が、「０」の数値で表されている。
【００９９】
第１走査動作において書き込まれる共通ライン信号によって表現される映像の解像度は、映像信号処理部２１０から出力されるＬ信号又はＲ信号によって規定される映像の解像度よりも低い。この結果、第１走査動作のみが行われた場合、映像信号処理部２１０から出力されるＬ信号又はＲ信号によって規定される本来の映像に対応する応答度に対して、液晶の応答度にずれが生じる。図１１Ａに示されるグラフ中、液晶の応答度のずれは、記号「ｄ」で示されている。
【０１００】
図１１Ｂに示される第２走査動作のみを用いた書き込み手法は、図５Ｂに関連して説明された手法と同様である。第２走査動作のみがフレーム画像の表示のために実行されたときは、最下に位置する走査線に沿う液晶は、比較的遅い時刻「Ｔ２」から応答を開始する。この結果、光量増大期間Ｉが開始されたとき、最下に位置する走査線に沿う液晶は、十分な応答度に到達していない。
【０１０１】
図１１Ｃに示される如く、液晶駆動部２２０が第１走査動作を実行したとき、最下に位置する走査線に沿う液晶は、時刻「Ｔ１」から応答を開始する。その後、時刻「Ｔ１」から液晶駆動部２２０が第２走査動作を実行すると、第１走査動作によって一定量の応答動作をした液晶が第２走査動作によって目標の応答度となるように更に応答する。この結果、最下に位置する走査線に沿う液晶は、比較的短時間で所望の応答度（本来の映像の解像度を達成することができる応答度）に到達することができる。
【０１０２】
図１１Ｃに示される如く、時刻「Ｔ１＋Ｔ２」において、光量増大期間Ｉが開始されたとき、第１走査動作及び第２走査動作によって駆動された液晶は、本来の映像が要求する目標の応答度に近い、或いは、一致した応答度を達成する。上述の如く、第１走査動作のみによって駆動された液晶は、本来の映像が要求する映像の応答度とのずれに起因して、目標値から離間した応答度となっている。また、第２走査動作のみによって駆動された液晶は、応答開始の遅れに起因して、低い応答度となっている。したがって、液晶駆動部２２０が第１走査動作及び第２走査動作を実行することによって、比較的遅いタイミングで走査動作がなされる液晶パネル２３１の表示領域で表示されるフレーム画像の部分におけるクロストークが好適に低減されることとなる。かくして、視聴者は、クロストークが低減されたフレーム画像を視聴することができる。
【０１０３】
図９Ａ乃至図１１Ｃに示されるように、一対の走査線に同時に共通ライン信号が書き込まれることによって、第１走査期間の長さ「Ｔ１」は、第２走査期間の長さ「Ｔ２」の半分の長さとなる。上述の如く、互いに隣接する３つ或いはそれ以上の走査線に対応するライン信号から共通ライン信号が生成されてもよい。このとき、互いに隣接する３つ或いはそれ以上の走査線に沿って配列される画素列によって、複数の表示領域が規定される。互いに隣接する３つ或いはそれ以上の走査線に対応するライン信号から生成された共通ライン信号は、各表示領域の走査線に同時に書き込まれる。この結果、第１走査期間の長さ「Ｔ１」は、第２走査期間の長さ「Ｔ２」の３分の１或いはそれ以下の長さに短縮される。平均化処理或いは選択処理を施与される走査線の組中に含まれる走査線の数は、液晶の応答開始時刻と、第１走査動作において達成される液晶の応答度と本来の映像が要求する液晶の応答度との間のずれ「ｄ」の大きさとに基づいて、適切に決定される。短縮された第１走査期間の長さ「Ｔ１」によって、第１走査動作後、且つ、左眼フィルタ３１１又は右眼フィルタ３１２が光量を増大させる前に、第２走査動作が実行されるための期間が適切に確保されることとなる。
【０１０４】
第２実施形態においても、第１走査動作によって、液晶パネル２３１の下部における液晶の応答が比較的早期に行われるため、図４乃至図５Ｃに関連して説明された液晶の応答と同様に、光量増大期間Ｉの開始までに、液晶パネル２３１の副走査区間Ｓの全体に亘って、比較的均一な液晶パネル２３１の液晶の応答が得られる。かくして、液晶パネル２３１の下部におけるクロストークの局所的な増大が適切に抑制される。
【０１０５】
上述された実施形態は、以下の構成を主に備える。以下の構成を備える表示装置及び映像視聴システムは、左眼用フレーム画像と右眼用フレーム画像との間のクロストークを抑制することができる。
【０１０６】
上述の実施形態の一の局面に係る表示装置は、左眼で視聴されるように作成された左眼用フレーム画像と右眼で視聴されるように作成された右眼用フレーム画像とを、時間的に交互に切り換えて表示面に表示する液晶パネルと、前記左眼用フレーム画像または前記右眼用フレーム画像を表示するためのフレーム画像信号を、前記表示面に亘って走査して前記液晶パネルを駆動する液晶駆動部と、を備え、該液晶駆動部は、前記表示面に亘って第１走査動作を実行し、前記第１走査動作の後に前記表示面に亘って第２走査動作を実行し、前記第１走査動作は、前記第２走査動作よりも短期間で実行されることを特徴とする。
【０１０７】
上記構成によれば、液晶パネルは、左眼で視聴されるように作成された左眼用フレーム画像と右眼で視聴されるように作成された右眼用フレーム画像とを、時間的に交互に切り換えて表示面に表示する。液晶駆動部は、左眼用フレーム画像または右眼用フレーム画像を表示するためのフレーム画像信号を、表示面に亘って走査して液晶パネルを駆動する。液晶駆動部は、表示面に亘って実行される第１走査動作と、第１走査動作の後に表示面に亘って実行される第２走査動作とを実行する。第１走査動作は、第２走査動作よりも短期間で実行される。第１走査動作によって、比較的早期に液晶パネル全体の液晶の駆動が開始されるので、フレーム画像内での液晶の応答完了時刻の遅れが低減される。かくして、フレーム画像内での局所的なクロストークが好適に低減されることとなる。また、第１走査動作は、第２走査動作よりも短期間で実行されるので、第２走査動作を実行するための期間が適切に確保される。
【０１０８】
上記構成において、前記液晶駆動部は、前記第２走査動作を行う場合よりも前記第１走査動作を行う場合の方が大きな値の書き込み周波数で前記フレーム画像信号を走査することが好ましい。
【０１０９】
上記構成によれば、液晶駆動部は、第２走査動作を行う場合よりも第１走査動作を行う場合の方が大きな値の書き込み周波数でフレーム画像信号を走査する。したがって、第１走査動作は、第２走査動作よりも短期間で実行される。この結果、第２走査動作を実行するための期間が適切に確保される。
【０１１０】
上記構成において、前記フレーム画像信号を前記液晶駆動部へ出力する出力部を更に備え、該出力部が出力する前記フレーム画像信号は、前記第１走査動作に用いられる第１フレーム画像信号と、前記第２走査動作に用いられる前記第２フレーム画像信号と、を含み、前記液晶駆動部は、前記第１フレーム画像信号を用いて前記第１走査動作を行う場合よりも前記第２フレーム画像を用いて前記第２走査動作を行う場合の方が低い解像度で前記フレーム画像信号を走査することが好ましい。
【０１１１】
上記構成によれば、出力部は、第１走査動作に用いられる第１フレーム画像信号と、第２走査動作に用いられる第２フレーム画像信号とを出力する。液晶駆動部は、第１フレーム画像信号を用いて第１走査動作を行う場合よりも第２フレーム画像を用いて第２走査動作を行う場合の方が低い解像度でフレーム画像信号を走査する。したがって、第１走査動作は、第２走査動作よりも短期間で実行される。この結果、第２走査動作を実行するための期間が適切に確保される。
【０１１２】
上記構成において、前記フレーム画像信号は、水平同期信号により規定される複数のライン信号を含み、前記液晶パネルは、前記複数のライン信号がそれぞれ書き込まれる複数の走査線を含み、前記出力部は、前記第１走査動作において前記複数の走査線に同時に書き込まれる共通ライン信号を前記複数のライン信号に基づき生成し、前記共通ライン信号を用いて前記第１フレーム画像信号を出力するとともに、前記複数のライン信号を用いて前記第２フレーム画像信号を出力し、前記液晶駆動部は、前記第１走査動作を行う場合は、前記共通ライン信号を前記複数の走査線に同時に書き込み、前記第２走査動作を行う場合は、前記ライン信号それぞれを前記複数の走査線に順次書き込むことが好ましい。
【０１１３】
上記構成によれば、フレーム画像信号は、水平同期信号により規定される複数のライン信号を含む。液晶パネルは、複数のライン信号がそれぞれ書き込まれる複数の走査線を含む。出力部は、複数のライン信号に基づき、第１走査動作において複数の走査線に同時に書き込まれる共通ライン信号を生成する。出力部は、共通ライン信号を用いて、第１フレーム画像を出力する。また、出力部は、複数のライン信号を用いて、第２フレーム画像を出力する。液晶駆動部は、第１走査動作を行う場合は、共通ライン信号を複数の走査線に同時に書き込む。また、液晶駆動部は、第２走査動作を行う場合は、ライン信号それぞれを複数の走査線に順次書き込む。かくして、第１走査動作は、第２走査動作より短い時間で行われる。この結果、第２走査動作を実行するための期間が確保される。
【０１１４】
上記構成において、前記フレーム画像は、前記液晶パネルに表示される第１画像部分及び第２画像部分を含み、前記複数のライン信号は、前記第１画像部分を表現するための複数の第１ライン信号と、前記第２画像部分を表現するための複数の第２ライン信号と、を含み、前記複数の走査線は、前記複数の第１ライン信号が書き込まれる複数の第１走査線と、前記複数の第２ライン信号が書き込まれる複数の第２走査線と、を含み、前記共通ライン信号は、前記複数の第１ライン信号に基づき生成される第１共通ライン信号と、前記複数の第２ライン信号に基づき生成される第２共通ライン信号と、を含み、前記液晶駆動部は、前記第１走査動作を行う場合は、前記第１共通ライン信号を前記複数の第１走査線に同時に書き込むとともに、前記第２共通ライン信号を前記複数の第２走査線に同時に書き込み、前記第２走査動作を行う場合は、前記複数の第１ライン信号を前記複数の第１走査線に順次書き込むとともに、前記複数の第２ライン信号を前記複数の第２走査線に順次書き込むことが好ましい。
【０１１５】
上記構成によれば、フレーム画像は、液晶パネルに表示される第１画像部分及び第２画像部分を含む。複数の第１ライン信号は、第１画像部分を表現するために用いられる。複数の第２ライン信号は、第２画像部分を表現するために用いられる。複数の第１走査線には、複数の第１ライン信号が書き込まれる。複数の第２走査線には、複数の第２ライン信号が書き込まれる。共通ライン信号は、複数の第１ライン信号に基づき生成される第１共通ライン信号と、複数の第２ライン信号に基づき生成される第２共通ライン信号と、を含む。液晶駆動部は、第１走査動作を行う場合は、第１共通ライン信号を複数の第１走査線に同時に書き込むとともに、第２共通ライン信号を複数の第２走査線に同時に書き込む。また、液晶駆動部は、第２走査動作を行う場合は、複数の第１ライン信号を複数の第１走査線に順次書き込むとともに、複数の第２ライン信号を複数の第２走査線に順次書き込む。かくして、第１走査動作は、第２走査動作より短い時間で行われる。この結果、第２走査動作を実行するための期間が確保される。
【０１１６】
上記構成において、前記出力部は、前記複数の第１ライン信号が平均化されてなる前記第１共通ライン信号と、前記複数の第２ライン信号が平均化されてなる前記第２共通ライン信号と、を出力することが好ましい。
【０１１７】
上記構成によれば、出力部は、複数の第１ライン信号が平均化されてなる第１共通ライン信号と、複数の第２ライン信号が平均化されてなる第２共通ライン信号と、を出力する。この結果、第１フレーム画像信号を用いて第１走査動作を行う液晶駆動部は、第２フレーム画像を用いて第２走査動作を行う液晶駆動部よりも低い解像度でフレーム画像信号を走査する。したがって、第１走査動作は、第２走査動作より短い時間で行われる。かくして、第２走査動作を実行するための期間が確保される。
【０１１８】
上記構成において、前記出力部は、前記複数の第１ライン信号のうち１つの第１ライン信号を選択し、該選択された第１ライン信号を前記第１共通ライン信号として出力するとともに、前記複数の第２ライン信号のうち１つの第２ライン信号を選択し、該選択された第２ライン信号を前記第２共通ライン信号として出力することが好ましい。
【０１１９】
上記構成によれば、出力部は、複数の第１ライン信号のうち１つの第１ライン信号を選択し、選択された第１ライン信号を第１共通ライン信号として出力する。また、出力部は、複数の第２ライン信号のうち１つの第２ライン信号を選択し、選択された第２ライン信号を第２共通ライン信号として出力する。この結果、第１フレーム画像信号を用いて第１走査動作を行う液晶駆動部は、第２フレーム画像を用いて第２走査動作を行う液晶駆動部よりも低い解像度でフレーム画像信号を走査する。したがって、第１走査動作は、第２走査動作より短い時間で行われる。かくして、第２走査動作を実行するための期間が確保される。
【０１２０】
上記構成において、前記左眼へ到達する光の量を調整する左眼フィルタと、前記右眼へ到達する光量を調整する右眼フィルタとを含む眼鏡装置を制御する制御部を更に備え、該制御部は、前記左眼で前記左眼用フレーム画像が視聴されるように前記左眼フィルタを制御し、前記左眼へ到達する前記光の量を増大させるとともに、前記右眼で前記右眼用フレーム画像が視聴されるように前記右眼フィルタを制御し、前記右眼へ到達する前記光の量を増大させ、前記制御部が前記左眼フィルタに前記左眼へ到達する光量を増大させる前に、前記液晶駆動部は、前記左眼フレーム画像を表示させるための前記第２走査動作を実行し、前記制御部が前記右眼フィルタに前記右眼へ到達する光量を増大させる前に、前記液晶駆動部は、前記右眼フレーム画像を表示させるための前記第２走査動作を実行することが好ましい。
【０１２１】
上記構成によれば、制御部は、左眼で左眼用フレーム画像が視聴されるように左眼フィルタを制御し、左眼へ到達する前記光の量を増大させる。また、制御部は、右眼で右眼用フレーム画像が視聴されるように右眼フィルタを制御し、右眼へ到達する光の量を増大させる。制御部が左眼フィルタに左眼へ到達する光量を増大させる前に、液晶駆動部は、左眼フレーム画像を表示させるための第２走査動作を実行する。また、制御部が右眼フィルタに右眼へ到達する光量を増大させる前に、液晶駆動部は、右眼フレーム画像を表示させるための第２走査動作を実行する。かくして、視聴者は、液晶パネルが時間的に交互に切り換えて表示する左眼用フレーム画像と右眼用フレーム画像とを好適に視聴することができる。
【０１２２】
上述の実施形態の他の局面に係る映像視聴システムは、左眼で視聴されるように作成された左眼用フレーム画像と右眼で視聴されるように作成された右眼用フレーム画像とを表示する表示装置と、前記左眼用フレーム画像が視聴されるように前記左眼へ到達する光量を調整する左眼フィルタと、前記右眼用フレーム画像が視聴されるように前記右眼へ到達する光量を調整する右眼フィルタとを含む眼鏡装置と、を備え、前記表示装置は、前記左眼用フレーム画像と前記右眼用フレーム画像とを、時間的に交互に切り換えて表示面に表示する液晶パネルと、前記左眼用フレーム画像または前記右眼用フレーム画像を表示するためのフレーム画像信号を、前記表示面に亘って走査して前記液晶パネルを駆動する液晶駆動部と、を備え、該液晶駆動部は、前記表示面に亘って第１走査動作を実行し、前記第１走査動作の後に前記表示面に亘って第２走査動作を実行し、前記第１走査動作は、前記第２走査動作よりも短期間で実行されることを特徴とする。
【０１２３】
上記構成によれば、表示装置は、左眼で視聴されるように作成された左眼用フレーム画像と右眼で視聴されるように作成された右眼用フレーム画像とを表示する。眼鏡装置の左眼フィルタは、左眼用フレーム画像が視聴されるように左眼へ到達する光量を調整する。眼鏡装置の右眼フィルタは、右眼用フレーム画像が視聴されるように右眼へ到達する光量を調整する。液晶パネルは、左眼用フレーム画像と右眼用フレーム画像とを、時間的に交互に切り換えて表示面に表示する。液晶駆動部は、左眼用フレーム画像または右眼用フレーム画像を表示するためのフレーム画像信号を、表示面に亘って走査して液晶パネルを駆動する。液晶駆動部は、表示面に亘って実行される第１走査動作と、第１走査動作の後に表示面に亘って実行される第２走査動作とを実行する。第１走査動作は、第２走査動作よりも短期間で実行される。第１走査動作によって、比較的早期に液晶パネル全体の液晶の駆動が開始されるので、フレーム画像内での液晶の応答完了時刻の遅れが低減される。かくして、フレーム画像内での局所的なクロストークが好適に低減されることとなる。また、第１走査動作は、第２走査動作よりも短期間で実行されるので、第２走査動作を実行するための期間が適切に確保される。
【産業上の利用可能性】
【０１２４】
上述の実施形態の原理は、クロストークの低減が可能な表示装置及び映像視聴システムとして好適である。
【手続補正３】
【補正対象書類名】図面
【補正対象項目名】全図
【補正方法】変更
【補正の内容】
【図１】
2011155148.tif 000024
【図２】
2011155148.tif 000025
【図３Ａ】
2011155148.tif 000026
【図３Ｂ】
2011155148.tif 000027
【図４】
2011155148.tif 000028
【図５Ａ】
2011155148.tif 000029
【図５Ｂ】
2011155148.tif 000030
【図５Ｃ】
2011155148.tif 000031
【図６】
2011155148.tif 000032
【図７】
2011155148.tif 000033
【図８】
2011155148.tif 000034
【図９Ａ】
2011155148.tif 000035
【図９Ｂ】
2011155148.tif 000036
【図１０Ａ】
2011155148.tif 000037
【図１０Ｂ】
2011155148.tif 000038
【図１１Ａ】
2011155148.tif 000039
【図１１Ｂ】
2011155148.tif 000040
【図１１Ｃ】
2011155148.tif 000041
【図１２】
2011155148.tif 000042
【図１３】
2011155148.tif 000043
【図１４】
2011155148.tif 000044
【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
左眼で視聴されるように作成された左眼用フレーム画像と右眼で視聴されるように作成された右眼用フレーム画像とを、時間的に交互に切り換えて表示面に表示する液晶パネルと、前記左眼用フレーム画像または前記右眼用フレーム画像を表示するためのフレーム画像信号を、前記表示面に亘って走査して前記液晶パネルを駆動する液晶駆動部と、前記フレーム画像信号を前記液晶駆動部に出力する出力部と、を備え、
前記液晶駆動部は、前記液晶パネルの表示面に亘って走査を実行する第１走査動作と、前記第１走査動作の後に前記表示面に亘って走査を実行する第２走査動作とを行い、
前記出力部は、前記第１走査動作に用いられる第１フレーム画像信号と、前記第２走査動作に用いられる前記第２フレーム画像信号とを前記液晶駆動部に出力し、
かつ前記液晶駆動部は、前記第１フレーム画像信号を用いて第１走査動作を行う場合、前記第２フレーム画像信号を用いて第２走査動作を行う場合に比べて、低い解像度で前記フレーム画像信号を走査するとともに、前記第１走査動作は前記第２走査動作よりも短期間で実行するように構成したことを特徴とする表示装置。
【手続補正２】
【補正対象書類名】明細書
【補正対象項目名】全文
【補正方法】変更
【補正の内容】
【発明の詳細な説明】
【技術分野】
【０００１】
本発明は、立体的に知覚される映像を表示する表示装置に関する。
【背景技術】
【０００２】
立体的に知覚される映像を表示する表示装置は、左眼で視聴されるための左眼用フレーム画像と、右眼で視聴されるための右眼用フレーム画像とを所定周期（例えば、フィールド周期）で交互に表示する。表示される左眼用フレーム画像及び右眼用フレーム画像は、視差の分だけ異なる内容を含む。視聴者は、左眼用フレーム画像及び右眼用フレーム画像の表示周期に同期して駆動される液晶シャッタを備える眼鏡装置を通じて、左眼用フレーム画像及び右眼用フレーム画像を視聴する（例えば、特許文献１及び特許文献２参照）。この結果、視聴者は、左眼用フレーム画像及び右眼用フレーム画像に表現されたオブジェクトを立体的に知覚する。
【０００３】
図１２は、従来の映像視聴システムのブロック図である。尚、図１２に示される映像視聴システムには、６０Ｈｚの映像信号（左眼用映像信号及び右眼用映像信号）が入力される。
【０００４】
映像視聴システム９００は、６０Ｈｚの映像信号（左眼用映像信号及び右眼用映像信号）が入力される映像信号処理部９０１を備える。映像信号処理部９０１は、入力された映像信号を１２０Ｈｚの左眼用映像信号と右眼用映像信号とに変換する。変換された左眼用映像信号及び右眼用映像信号は、液晶駆動部９０２及びバックライト制御部９０３へ出力される。液晶駆動部９０２は、１２０Ｈｚの左眼用映像信号及び右眼用映像信号を液晶パネル９０４で表示可能な形式に変換する。液晶駆動部９０２によって変換された左眼用映像信号及び右眼用映像信号は液晶パネル９０４に出力される。バックライト制御部９０３は、バックライト９０５に発光制御信号を出力する。バックライト９０５は、発光制御信号により液晶パネル９０４に対し、液晶パネル９０４の背面から光を照射する。この結果、液晶パネル９０４に、１２０Ｈｚで左眼用フレーム画像及び右眼用フレーム画像が交互に表示される。
【０００５】
眼鏡装置９５０は、左眼シャッタ９５１と右眼シャッタ９５２とを備える。映像信号処理部９０１によって変換された１２０Ｈｚの左眼用映像信号及び右眼用映像信号を基準にして、左眼シャッタ９５１用のシャッタ制御回路９０６及び右眼シャッタ９５２用のシャッタ制御回路９０７は、左眼シャッタ９５１及び右眼シャッタ９５２を同期制御する。
【０００６】
図１３は、従来の映像視聴システム９００の制御タイミングチャートである。図１３のセクション（Ａ）は、液晶パネル９０４の左眼用フレーム画像及び右眼用フレーム画像の走査タイミングを示す。図１３のセクション（Ｂ）は、バックライト９０５の点灯タイミングを示す。図１３のセクション（Ｃ）は、眼鏡装置９５０のシャッタ９５１，９５２の開閉タイミングを示す。図１２及び図１３を参照しつつ、従来の映像視聴システム９００が説明される。
【０００７】
液晶パネル９０４に左眼用映像信号及び右眼用映像信号が順次書き込まれる。この間、バックライト９０５は常時点灯している。シャッタ制御回路９０６，９０７は、シャッタ９５１，９５２を制御する。液晶パネル９０４への左右交互の書き込み走査の後、シャッタの開期間がそれぞれの映像期間の半分となるように、シャッタ９５１，９５２は、シャッタ制御回路９０６，９０７の制御下で開閉する。シャッタ９５１，９５２を通じて視聴される左眼用フレーム画像及び右眼用フレーム画像は、視聴者の左右の眼でそれぞれ視聴される。この結果、視聴者は、脳内で、視覚的な立体像を生成する。
【０００８】
図１３に示される制御タイミングで動作する映像視聴システムにおいて、視聴者はシャッタ９５１，９５２が開かれている期間（立体像の生成に必要な映像を視聴するのに十分な期間）のみ左眼用フレーム画像又は右眼用フレーム画像を視聴する。一方、バックライト９０５は、シャッタ９５１，９５２が開かれている期間以外の期間においても常時点灯している。したがって、図１３に示される制御タイミングで動作する映像視聴システムは、省電力の観点から好ましくない。
【０００９】
図１４は、従来の映像視聴システム９００の他の制御タイミングチャートである。図１４のセクション（Ａ）は、液晶パネル９０４の左眼用フレーム画像及び右眼用フレーム画像の走査タイミングを示す。図１４のセクション（Ｂ）は、バックライト９０５の点灯タイミングを示す。図１４のセクション（Ｃ）は、眼鏡装置９５０のシャッタ９５１，９５２の開閉タイミングを示す。図１２乃至図１４を参照しつつ、従来の映像視聴システム９００が更に説明される。
【００１０】
特許文献２は、左眼用フレーム画像又は右眼用フレーム画像が視聴される期間のみバックライト９０５が点灯される制御を開示する。図１４に示される制御では、図１３に示される制御と異なり、左眼用フレーム画像又は右眼用フレーム画像が視聴される期間のみバックライト９０５が発光している。したがって、図１４に示される制御は、図１３に示される制御よりも省電力の点で優れている。
【００１１】
左眼シャッタ９５１は、液晶パネル９０４が左眼で視聴されるように作成された左眼用フレーム画像を表示した後且つ右眼フレーム画像を表示するための右眼用映像信号が走査される前に開かれる。同様に、右眼シャッタ９５２は、液晶パネル９０４が右眼で視聴されるように作成された右眼用フレーム画像を表示した後且つ左眼フレーム画像を表示するための左眼用映像信号が走査される前に開かれる。
【００１２】
図１３及び図１４に示される如く、左眼用映像信号及び／又は右眼用映像信号は液晶パネル９０４の上部から走査される。したがって、液晶パネル９０４の下部における左眼用映像信号及び／又は右眼用映像信号の走査は、液晶パネル９０４の上部に対して遅れることとなる。
【００１３】
左眼用映像信号及び／又は右眼用映像信号に基づく液晶の応答は、表示される映像の種類に応じた時間を要求する。例えば、先行して表示されるフレーム画像を表現する画素の輝度と、後に表示されるフレーム画像を表現する画素の輝度との間で大きさ差異が生ずる場合、比較的長い液晶の応答時間が要求される。
【００１４】
左眼用フレーム画像又は右眼用フレーム画像の表示が完了するのを待って、左眼シャッタ９５１又は右眼シャッタ９５２が開かれた場合、液晶の応答時間が長いことに起因して、左眼シャッタ９５１又は右眼シャッタ９５２が開かれている期間が短くなる。この結果、視聴者は液晶パネル９０４に表示された立体映像を暗く感じることとなる。
【００１５】
左眼用フレーム画像の表示が完了するのを待たずに、左眼シャッタ９５１が開かれた場合、視聴者は、先行して表示された右眼用フレーム画像の影響が混在した左眼用フレーム画像を視聴することとなる。同様に、右眼用フレーム画像の表示が完了するのを待たずに、右眼シャッタ９５２が開かれた場合、視聴者は、先行して表示された左眼用フレーム画像の影響が混在した右眼用フレーム画像を視聴することとなる。このような左眼用フレーム画像と右眼用フレーム画像との混在は、クロストークと称される。液晶パネル９０４の下部における左眼用映像信号及び／又は右眼用映像信号の走査の遅れ並びに液晶の応答時間に起因して、先行するフレーム画像（左眼用フレーム画像又は右眼用フレーム画像）の混在量は、液晶パネル９０４の下部において特に大きくなる。したがって、視聴者は液晶パネル９０４の下部において表示されたフレーム画像を立体的に知覚しにくくなる。
【先行技術文献】
【特許文献】
【００１６】
【特許文献１】特開昭６２−１３３８９１号公報
【特許文献２】特開２００９−２５４３６号公報
【発明の概要】
【発明が解決しようとする課題】
【００１７】
本発明は、左眼用フレーム画像と右眼用フレーム画像との間のクロストークを抑制することができる表示装置及び映像視聴システムを提供することを目的とする。
【課題を解決するための手段】
【００１８】
本発明に係る表示装置は、左眼で視聴されるように作成された左眼用フレーム画像と右眼で視聴されるように作成された右眼用フレーム画像とを、時間的に交互に切り換えて表示面に表示する液晶パネルと、前記左眼用フレーム画像または前記右眼用フレーム画像を表示するためのフレーム画像信号を、前記表示面に亘って走査して前記液晶パネルを駆動する液晶駆動部と、前記フレーム画像信号を前記液晶駆動部に出力する出力部とを備える。
【００１９】
前記液晶駆動部は、前記液晶パネルの表示面に亘って走査を実行する第１走査動作と、前記第１走査動作の後に前記表示面に亘って走査を実行する第２走査動作とを行う。前記出力部は、前記第１走査動作に用いられる第１フレーム画像信号と、前記第２走査動作に用いられる前記第２フレーム画像信号とを前記液晶駆動部に出力し、かつ前記液晶駆動部は、前記第１フレーム画像信号を用いて第１走査動作を行う場合、前記第２フレーム画像信号を用いて第２走査動作を行う場合に比べて、低い解像度で前記フレーム画像信号を走査するとともに、前記第１走査動作は前記第２走査動作よりも短期間で実行するように構成したことを特徴とする。
【発明の効果】
【００２０】
本発明に係る表示装置は、左眼用フレーム画像と右眼用フレーム画像との間のクロストークを抑制することができる。
【図面の簡単な説明】
【００２１】
【図１】映像視聴システムの構成の概略的なブロック図である。
【図２】図１に示される映像視聴システムの概略図である。
【図３Ａ】図１に示される表示装置の液晶駆動部による第１走査動作を表すグラフである。
【図３Ｂ】図１に示される表示装置の液晶駆動部による第２走査動作を表すグラフである。
【図４】図１に示される映像視聴システムの制御を概略的に表す制御タイミングチャートである。
【図５Ａ】図４に示される液晶駆動部による第１走査動作及び第２走査動作の効果を表すグラフである。
【図５Ｂ】図４に示される液晶駆動部による第１走査動作及び第２走査動作の効果を表すグラフである。
【図５Ｃ】図４に示される液晶駆動部による第１走査動作及び第２走査動作の効果を表すグラフである。
【図６】本発明の実施形態に係る映像視聴システムの構成の概略的なブロック図である。
【図７】図６に示される表示装置の出力部による共通ライン信号の生成を表す概略図である。
【図８】図６に示される表示装置の出力部による共通ライン信号の生成を表す概略図である。
【図９Ａ】図６に示される表示装置の液晶駆動部による第１走査動作を表すグラフである。
【図９Ｂ】図６に示される表示装置の液晶駆動部による第２走査動作を表すグラフである。
【図１０Ａ】図６に示される表示装置の液晶駆動部による第１走査動作を概略的に説明するタイミングチャートである。
【図１０Ｂ】図６に示される表示装置の液晶駆動部による第２走査動作を概略的に説明するタイミングチャートである。
【図１１Ａ】図１０Ａ及び図１０Ｂに示される液晶駆動部による第１走査動作及び第２走査動作の効果を概略的に説明するグラフである。
【図１１Ｂ】図１０Ａ及び図１０Ｂに示される液晶駆動部による第１走査動作及び第２走査動作の効果を概略的に説明するグラフである。
【図１１Ｃ】図１０Ａ及び図１０Ｂに示される液晶駆動部による第１走査動作及び第２走査動作の効果を概略的に説明するグラフである。
【図１２】従来の映像視聴システムの構成を概略的に示すブロック図である。
【図１３】従来の映像視聴システムの制御を例示する制御タイミングチャートである。
【図１４】従来の映像視聴システムの制御を例示する制御タイミングチャートである。
【発明を実施するための形態】
【００２２】
以下、一実施形態に係る表示装置及び映像視聴システムが図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、単に表示装置及び映像視聴システムの原理を容易に理解させることを目的とするものであり、表示装置及び映像視聴システムの原理は、これらに何ら限定されるものではない。
【００２３】
図１は、映像視聴システムの構成を概略的に示すブロック図である。図２は、図１に示される映像視聴システムの概略図である。図１及び図２を参照しつつ、映像視聴システムの構成が説明される。
【００２４】
映像視聴システム１００は、左眼で視聴されるように作成された左眼用フレーム画像と、右眼で視聴されるように作成された右眼用フレーム画像とを含むフレーム画像を表示する表示装置２００と、表示装置２００が表示する左眼用フレーム画像及び右眼用フレーム画像の視聴を補助する眼鏡装置３００とを備える。眼鏡装置３００は、視聴者が左眼で左眼用フレーム画像を視聴し、右眼で右眼用フレーム画像を視聴するように、表示装置２００による左眼用フレーム画像及び右眼用フレーム画像の表示に同期した立体視補助動作を行う。この結果、視聴者は、眼鏡装置３００を通じて、表示装置２００が表示するフレーム画像（左眼用フレーム画像及び右眼用フレーム画像）を立体的に知覚する（視聴者は、左眼用フレーム画像及び右眼用フレーム画像中で表現されたオブジェクトを、左眼用フレーム画像及び右眼用フレーム画像が映し出される表示面に対して、飛び出たように或いは引っ込んだように知覚する）。
【００２５】
視力矯正用の眼鏡と同様の形状をなす眼鏡装置３００は、視聴者の左眼前に配設される左眼フィルタ３１１と、視聴者の右眼前に配設される右眼フィルタ３１２とを含む光学フィルタ部３１０を備える。左眼フィルタ３１１及び右眼フィルタ３１２は、表示装置２００が表示する映像から視聴者の左眼へ到達する光の量（以下、左眼光量と称される）及び視聴者の右眼へ到達する光の量（以下、右眼光量と称される）を調整可能に形成される光学素子を含む。左眼フィルタ３１１及び右眼フィルタ３１２として、視聴者の左眼及び右眼へ透過する光路を開閉するシャッタ素子（例えば、液晶シャッタ）、視聴者の左眼及び右眼へ透過する光を偏光する偏光素子（例えば、液晶フィルタ）や光量を調整可能な他の光学素子が好適に用いられる。左眼フィルタ３１１は、左眼用フレーム画像の表示に同期して、左眼光量を増大させる一方で、右眼用フレーム画像の表示に同期して、左眼光量を低減させるように制御される。同様に、右眼フィルタ３１２は、右眼用フレーム画像の表示に同期して、右眼光量を増大させる一方で、左眼用フレーム画像の表示に同期して、右眼光量を低減させるように制御される。
【００２６】
表示装置２００は、映像信号処理部２１０、液晶駆動部２２０、表示部２３０、第１制御部２５０、第２制御部２４０を備える。
【００２７】
映像信号処理部２１０には、基本となる垂直同期周波数を有する映像信号（左眼用映像信号及び右眼用映像信号）が入力される。映像信号処理部２１０は、入力された左眼用映像信号（以下、Ｌ信号と称される）と右眼用映像信号（以下、Ｒ信号と称される）とを、基本となる垂直同期周波数のＮ倍（Ｎは自然数）の周波数で、交互に出力する。入力された６０Ｈｚの映像信号が、１２０ＨｚのＬ信号及びＲ信号に変換される。変換を通じて得られたＬ信号及びＲ信号は、液晶駆動部２２０へ出力される。加えて、映像信号処理部２１０は、Ｌ信号及びＲ信号の出力に同期して、第１制御部２５０に制御信号を出力する。第１制御部２５０は、映像信号処理部２１０からの制御信号に基づき、表示部２３０のバックライト２３２を制御する。映像信号処理部２１０は、Ｌ信号及びＲ信号の出力に同期して、第２制御部２４０を制御するための制御信号を出力する。第２制御部２４０は、映像信号処理部２１０からの制御信号に基づき、光学フィルタ部３１０を制御する。第１制御部２５０及び／又は第２制御部２４０へ出力される制御信号は、映像信号処理部２１０による変換後のＬ信号及び／又はＲ信号自体であってもよい。代替的に、Ｌ信号及び／又はＲ信号の１２０Ｈｚの垂直同期信号であってもよい。
【００２８】
Ｌ信号に含まれる一の垂直同期信号と、該一の垂直同期信号に続いて入力される後の垂直同期信号との間の映像情報を含む映像信号は、以下の説明において、左眼用フレーム画像信号と称される。また、Ｒ信号に含まれる一の垂直同期信号と、該一の垂直同期信号に続いて入力される後の垂直同期信号との間の映像情報を含む映像信号は、以下の説明において、右眼用フレーム画像信号と称される。左眼用フレーム画像信号は、左眼用フレーム画像を表現するために用いられる。同様に、右眼用フレーム画像信号は、右眼用フレーム画像を表現するために用いられる。
【００２９】
表示部２３０は、液晶を用いて左眼用フレーム画像と右眼用フレーム画像とを時間的に交互に切り換えて表示する液晶パネル２３１と、液晶パネル２３１に光を照射するバックライト２３２とを備える。液晶駆動部２２０は、主走査方向及び副走査方向にフレーム画像信号（左眼用フレーム画像信号又は右眼用フレーム画像信号）を走査し、液晶パネル２３１の液晶を駆動する。図２に示されるように、液晶パネル２３１の幅方向は、フレーム画像信号の主走査方向として例示される。液晶パネル２３１の上下方向は、フレーム画像信号の副走査方向として例示される。また、フレーム画像の表示に用いられる副走査方向の区間（液晶パネル２３１の上端縁から下端縁までの区間）は、副走査区間Ｓとして例示される。液晶駆動部２２０は、左眼用フレーム画像信号と右眼用フレーム画像信号とを交互に走査する。この結果、液晶パネル２３１に左眼用フレーム画像及び右眼用フレーム画像が時間的に交互に表示される。
【００３０】
Ｌ信号及び／又はＲ信号に含まれるフレーム画像信号が映像信号処理部２１０から液晶駆動部２２０へ入力されると、液晶駆動部は、副走査区間Ｓに亘って液晶の駆動を開始させる第１走査動作と、フレーム画像を液晶パネル２３１に表示させるための第２走査動作とを実行する。尚、第２走査動作は、第１走査動作の後に実行される。後述されるように、液晶駆動部２２０は、第１走査動作を、第２走査動作よりも短期間で実行する。この結果、第１走査動作が実行された後であって、左眼フィルタ３１１が左眼光量を増大させる前又は右眼フィルタ３１２が右眼光量を増大させる前に実行される第２走査動作のための十分に長い時間が確保されることとなる。
【００３１】
液晶駆動部２２０は、Ｌ信号及びＲ信号に含まれる垂直同期信号及び水平同期信号にしたがって、Ｌ信号及びＲ信号を、液晶パネル２３１が表示可能な形式に変換する。液晶駆動部２２０は、液晶パネル２３１上のフレーム画像の表示ごとに、変換されたＬ信号及びＲ信号のフレーム画像信号を用いて、第１走査動作と第２走査動作とを実行する。
【００３２】
液晶パネル２３１は、主走査方向に延びるとともに副走査方向に整列された複数の走査線を含む。Ｌ信号及びＲ信号に含まれる垂直同期信号によって規定されるフレーム画像信号は、液晶パネル２３１の複数の走査線に対応する複数のライン信号を含む。ライン信号は、フレーム画像信号に含まれる水平同期信号によって規定される。一の水平同期信号と、該一の水平同期信号に続く後の水平同期信号との間の映像情報を含む映像信号が、各走査線に対応するライン信号として用いられる。各走査線に対応する各ライン信号は、上方の走査線から下方の走査線まで、液晶駆動部２２０によって順次書き込まれる。この結果、各走査線に沿うように配列された液晶が順次駆動され、フレーム画像が液晶パネル２３１上に表示されることとなる。
【００３３】
液晶パネル２３１は、上述の液晶駆動部２２０による液晶の駆動によって、入力されたＬ信号とＲ信号とに応じて、背面から入射する光を変調する。この結果、液晶パネル２３１は、左眼で視聴されるように作成された左眼用フレーム画像と、右眼で視聴されるように作成された右眼用フレーム画像とを交互に表示する。液晶パネル２３１には、例えば、ＩＰＳ（Ｉｎ  Ｐｌａｎｅ  Ｓｗｉｔｃｈｉｎｇ）方式や、ＶＡ（Ｖｅｒｔｉｃａｌ  Ａｌｉｇｎｍｅｎｔ）方式やＴＮ（Ｔｗｉｓｔｅｄ  Ｎｅｍａｔｉｃ）方式といった様々な駆動方式が好適に適用される。
【００３４】
バックライト２３２は、液晶パネル２３１の背面から液晶パネル２３１の表示面に向けて光を照射する。バックライト２３２として、面発光するように二次元配列された複数の発光ダイオード（ＬＥＤ）（図示せず）が用いられている。代替的に、バックライト２３２として、面発光するように配列された複数の蛍光管が用いられてもよい。バックライト２３２として用いられる発光ダイオードや蛍光管は、液晶パネル２３１の縁部に配設され、面発光を生じさせてもよい（エッジタイプ）。
【００３５】
第１制御部２５０は、映像信号処理部２１０から出力された１２０Ｈｚの制御信号を基準に発光制御信号を出力する。バックライト２３２は、発光制御信号に基づき明滅可能である。
【００３６】
第２制御部２４０は、眼鏡装置３００の光学フィルタ部３１０を、左眼用フレーム画像及び右眼用フレーム画像の表示周期に合わせて制御する。第２制御部は、眼鏡装置３００を制御する制御部として例示される。
【００３７】
第２制御部２４０は、左眼フィルタ３１１を制御するための左眼用のフィルタ制御部２４１（以下、Ｌフィルタ制御部２４１と称される）と、右眼フィルタ３１２を制御するための右眼用のフィルタ制御部２４２（以下、Ｒフィルタ制御部２４２と称される）とを備える。液晶パネル２３１が左眼用フレーム画像及び右眼用フレーム画像を、例えば、１２０Ｈｚで交互に表示するとき、Ｌフィルタ制御部２４１は、左眼フィルタ３１１が６０Ｈｚの周期で左眼光量を調整する（増減させる）ように眼鏡装置３００を制御する。同様に、Ｒフィルタ制御部２４２は、右眼フィルタ３１２が６０Ｈｚの周期で右眼光量を調整する（増減させる）ように眼鏡装置３００を制御する。
【００３８】
図２に示される如く、表示装置２００は、左眼用フレーム画像の表示に同期する第１同期信号を送信する第１送信部２４３と、右眼用フレーム画像の表示に同期する第２同期信号を送信する第２送信部２４４とを備える。また、眼鏡装置３００は、左眼フィルタ３１１と右眼フィルタ３１２との間に配設される受信部３２０を備える。受信部３２０は、第１同期信号及び第２同期信号を受信する。第１同期信号の波形は、好ましくは、第２同期信号の波形と異なる。受信部３２０は、受信された同期信号の波形に基づき、第１同期信号と第２同期信号とを識別する。かくして、眼鏡装置３００は、第１同期信号に基づき、左眼フィルタ３１１を動作させる。また、眼鏡装置３００は、第２同期信号に基づき、右眼フィルタ３１２を動作させる。表示装置２００と眼鏡装置３００との間の同期信号の無線通信並びに眼鏡装置３００による同期信号（第１同期信号及び第２同期信号）の内部処理に対して、既知の他の通信技術並びに既知の他の信号処理技術が用いられてもよい。代替的に、表示装置２００と眼鏡装置３００との間の同期信号（第１同期信号及び第２同期信号）の通信が、有線式に行われてもよい。また、左眼用映像の表示に同期する第１同期信号を送信する第１送信部２４３と、右眼用映像の表示に同期する第２同期信号を送信する第２送信部２４４とを共通化して１つの送信部としてもよい。この場合、同期信号を共通化して左眼用映像の表示と右眼用映像の表示とを信号の立ち上がりに交互に同期させてもよい。
【００３９】
Ｌフィルタ制御部２４１及びＲフィルタ制御部２４２は、映像信号処理部２１０からの制御信号を基準とし、左眼フィルタ３１１による左眼光量の増減周期の位相及び右眼フィルタ３１２による右眼光量の増減周期の位相を決定する。Ｌフィルタ制御部２４１及びＲフィルタ制御部２４２は、決定された位相に従い、第１同期信号及び第２同期信号を出力する。左眼フィルタ３１１及び右眼フィルタ３１２それぞれは、第１同期信号及び第２同期信号に基づき、左眼用フレーム画像の表示及び右眼用フレーム画像の表示に同期して、左眼光量及び右眼光量を増減させる。
【００４０】
第２制御部２４０は、液晶パネル２３１の応答特性並びに表示される左眼用フレーム画像と右眼用フレーム画像との間のクロストーク（相互干渉）を考慮して、左眼フィルタ３１１及び右眼フィルタ３１２それぞれが左眼光量及び右眼光量を増大させている期間（以下、光量増大期間と称される）の長さと、光量増大期間のタイミング（位相）を決定する。Ｌフィルタ制御部２４１は、左眼光量に対する光量増大期間の長さ及びタイミングを制御する。Ｒフィルタ制御部２４２は、右眼光量に対する光量増大期間の長さ及びタイミングを制御する。
【００４１】
映像信号処理部２１０の１２０Ｈｚの制御信号に基づき動作する第１制御部２５０は、左眼フィルタ３１１及び右眼フィルタ３１２による光量調整の動作に同期してバックライト２３２を発光させる発光制御信号を出力する。バックライト２３２は、発光制御信号に基づき、明滅することができる。尚、バックライト２３２は、第１制御部２５０の制御下で、常時点灯している。したがって、視聴者がフレーム画像を視聴することができる視聴期間のタイミング及び長さは、眼鏡装置３００の光学フィルタ部３１０の動作によって定められる。
【００４２】
代替的に、第１制御部２５０は、第２制御部２４０によって調整される光量増大期間中の一部の期間或いは光量増大期間と略一致する期間において、バックライト２３２を点灯させ、他の期間においてバックライト２３２を消灯させてもよい。このような第１制御部２５０によるバックライト２３２の明滅制御下において、視聴者がフレーム画像を視聴することができる視聴期間のタイミング及び長さは、バックライト２３２の明滅動作によって定められる。
【００４３】
図３Ａ及び図３Ｂは、第１走査動作と第２走査動作とを概略的に説明するグラフである。図３Ａは、第１走査動作を概略的に説明するグラフである。図３Ｂは、第２走査動作を概略的に説明するグラフである。図１、図３Ａ及び図３Ｂを参照しつつ、液晶駆動部２２０による走査動作が説明される。
【００４４】
図３Ａ及び図３Ｂのグラフの横軸は、時間軸である。図３Ａ及び図３Ｂのグラフの縦軸は、液晶パネル２３１の副走査方向の位置を表す。図３Ａ及び図３Ｂのグラフに示される矢印ＣＴは、液晶パネル２３１の副走査方向に整列した各走査線に沿う各画素に印加される電圧の印加時間を表す。尚、説明の理解を容易にするために、図３Ａ及び図３Ｂに概略的に示される走査動作によって液晶パネル２３１に表示されるフレーム画像は単一色とされている。したがって、液晶パネル２３１の各画素に対する電圧の印加時間の長さ（即ち、矢印ＣＴの長さ）は、第１走査期間において、一定である。同様に、液晶パネル２３１の各画素に対する電圧の印加時間の長さ（即ち、矢印ＣＴの長さ）は、第２走査期間において、一定である。
【００４５】
液晶駆動部２２０は、液晶パネル２３１の上方に位置する走査線から、順次、ライン信号を書き込む。したがって、図３Ａ及び図３Ｂの矢印ＣＴで示されるように、下方に位置する走査線に沿う画素ほど、ライン信号の書き込みに伴う電圧が印加されるタイミングが遅れていく。
【００４６】
上述の如く、液晶駆動部２２０は、フレーム画像を液晶パネル２３１に表示させるために第１走査動作と第２走査動作とを実行する。第１走査動作を行う液晶駆動部２２０は、第２走査動作を行う液晶駆動部２２０よりも高い値の書き込み周波数でフレーム画像信号を走査する。尚、第２走査動作における書き込み周波数は、フレーム画像を表示するのに十分な電圧の印加時間を確保できるような値に設定される。
【００４７】
図３Ａに示される如く、第１走査動作において、最も上方に位置する走査線に対するライン信号の書き込みが開始されてから最も下方に位置する走査線に対するライン信号の書き込みが完了するまでの第１走査期間の長さは、「Ｔ１」である。図３Ａ及び図３Ｂに示される如く、第２走査動作において、最も上方に位置する走査線に対するライン信号の書き込みが開始されてから最も下方に位置する走査線に対するライン信号の書き込みが完了するまでの第２走査期間の長さは、「Ｔ２」である。第１走査動作と第２走査動作との間の書き込み周波数の相違に起因して、第１走査期間の長さ「Ｔ１」は、第２走査期間の長さ「Ｔ２」よりも短くなる。例えば、第１走査動作における書き込み周波数が第２走査動作における書き込み周波数の２倍の値であるとき、第１走査期間の長さ「Ｔ１」は、第２走査期間の長さ「Ｔ２」の２分の１となる。
【００４８】
図４は、映像視聴システム１００の制御を概略的に表す制御タイミングチャートである。図４のセクション（Ａ）は、液晶パネル２３１の映像の走査タイミングを概略的に示す。図４のセクション（Ｂ）は、眼鏡装置３００の左眼フィルタ３１１によって調整される左眼光量の変動並びに右眼フィルタ３１２によって調整される右眼光量の変動を概略的に表す。図４のセクション（Ｃ）は、液晶駆動部２２０による走査動作により最初に応答を開始する液晶（液晶パネル２３１の最も上方に位置する走査線上の液晶）の応答を概略的に示す。図４のセクション（Ｄ）は、液晶駆動部２２０による走査動作により最後に応答を開始する液晶（液晶パネル２３１の最も下方に位置する走査線上の液晶）の応答を概略的に示す。図１、図３Ａ乃至図４を参照しつつ、液晶駆動部２２０による走査動作が更に説明される。
【００４９】
図４に示される如く、１フィールド（６０Ｈｚ）の期間は、左眼走査区間（以下、Ｌ区間と称される）と右眼走査区間（以下、Ｒ区間と称される）とに等分割される。Ｌ区間において、左眼用フレーム画像信号が走査される。Ｒ区間において、右眼用フレーム画像信号が走査される。尚、説明の理解を容易にするために、左眼用フレーム画像は、白色の画像とされ、右眼用フレーム画像は黒色の画像とされる。
【００５０】
図４のセクション（Ａ）に示される矢印Ｓ１は、液晶駆動部２２０の第１走査動作を示す。図４のセクション（Ａ）に示される矢印Ｓ２は、液晶駆動部２２０の第２走査動作を示す。
【００５１】
第１走査動作は、Ｌ区間とＲ区間との切り替わり時刻から開始される。液晶駆動部２２０は、液晶パネル２３１の最も上方に位置する走査線から、順次、フレーム画像信号に含まれるライン信号を書き込む。図３Ａ及び図３Ｂに関連して説明された如く、第１走査動作の開始から完了までの第１走査期間の長さは「Ｔ１」である。
【００５２】
第２走査動作は、第１走査動作の完了直後から開始される。液晶駆動部２２０は、第２規定信号及び第１走査動作に用いられたフレーム画像信号と同一の画像情報を有するフレーム画像信号を再度走査する。液晶駆動部２２０は、第１走査動作と同様に、液晶パネル２３１の最も上方に位置する走査線から、順次、ライン信号を書き込む。図３Ａ及び図３Ｂに関連して説明された如く、第２走査動作の開始から完了までの第２走査期間の長さは、「Ｔ２」である。
【００５３】
図４のセクション（Ｂ）に示されるチャート線は、左眼光量及び右眼光量の増減を示す。左眼フィルタ３１１は、Ｌフィルタ制御部２４１の制御下で、Ｌ区間における第２走査動作の完了直後或いは第２走査動作の完了と同時に左眼光量を増大させる。その後、Ｒ区間における第１走査動作の開始直前或いは第１走査動作の開始と同時に左眼光量を低減させる。同様に、右眼フィルタ３１２は、Ｒフィルタ制御部２４２の制御下で、Ｒ区間における第２走査動作の完了直後或いは第２走査動作の完了と同時に右眼光量を増大させる。その後、Ｌ区間における第１走査動作の開始直前或いは第１走査動作の開始と同時に右眼光量を低減させる。かくして、第２制御部２４０によって規定された光量増大期間Ｉ（左眼光量又は右眼光量が増大されている期間）の間、視聴者は左眼用フレーム画像又は右眼用フレーム画像を視聴することができる。
【００５４】
図４のセクション（Ｃ）及びセクション（Ｄ）に示されるチャート線ＲＥは、液晶パネル２３１の液晶層を透過する透過光量を示す。図４のセクション（Ｃ）に示される如く、液晶パネル２３１の最も上方に位置する走査線に書き込まれたライン信号によって駆動される液晶は、第１走査動作の開始直後に応答を開始する。図４のセクション（Ｄ）に示される如く、液晶パネル２３１の最も下方に位置する走査線に書き込まれたライン信号によって駆動される液晶は、第１走査動作の完了直後に応答を開始する。
【００５５】
図５Ａ乃至図５Ｃは、１つのフレーム画像の表示に対して第１走査動作と第２走査動作とが実行されることによる効果を概略的に説明するグラフで、グラフの右側の縦軸は、液晶パネル２３１の最も下方に位置する走査線に書き込まれたライン信号によって駆動される液晶の応答度を示している。図５Ａは、１つのフレーム画像の表示に対して第１走査動作のみが実行されたときの液晶の応答を示す。図５Ｂは、１つのフレーム画像の表示に対して第２走査動作のみが実行されたときの液晶の応答を示す。図５Ｃは、１つのフレーム画像の表示に対して、第１走査動作と第２走査動作とが実行されたときの液晶の応答を示す。図１、図３Ａ乃至図５Ｃを参照しつつ、第１走査動作及び第２走査動作の効果が説明される。
【００５６】
図５Ａ乃至図５Ｃに示されるグラフの横軸は、時間軸である。図５Ａ乃至図５Ｃに示されるグラフの左側の縦軸は、液晶パネル２３１の副走査方向の位置を示す。図５Ａ及び図５Ｃに示される矢印Ｓ１は、図４のセクション（Ａ）と同様に、第１走査動作を示す。また、図５Ｂ及び図５Ｃに示される矢印Ｓ２は、図４のセクション（Ａ）と同様に、第２走査動作を示す。
【００５７】
図５Ａに示す第１走査動作では、時刻「０」から、液晶パネル２３１の最も上方に位置する走査線に第１書き込み周波数でライン信号が書き込まれる。液晶駆動部２２０は、順次、下方の走査線に第１書き込み周波数でライン信号を書き込む。時刻「Ｔ１」において、液晶パネル２３１の最も下方に位置する走査線へのライン信号の書き込みが完了する。
【００５８】
図５Ｂに示す第２走査動作では、時刻「０」から、液晶パネル２３１の最も上方に位置する走査線に第２書き込み周波数でライン信号が書き込まれる。液晶駆動部２２０は、順次、下方の走査線に第２書き込み周波数でライン信号を書き込む。時刻「Ｔ２」において、液晶パネル２３１の最も下方に位置する走査線へのライン信号の書き込みが完了する。
【００５９】
図５Ｃは、第１走査動作と第２走査動作とを行った場合の図で、まず、第１走査動作が行われ、時刻「０」から液晶パネル２３１の最も上方に位置する走査線にライン信号が書き込まれ、時刻「Ｔ１」において、液晶パネル２３１の最も下方に位置する走査線へのライン信号の書き込みが完了する。第１走査動作におけるライン信号の第１書き込み周波数は、第２走査動作におけるライン信号の第２書き込み周波数の値より高く設定された書き込み周波数で行われる。
【００６０】
第１走査動作により走査線へのライン信号の書き込みが完了した後、液晶駆動部２２０は、第２走査動作を実行する。上述の如く、第２走査動作におけるライン信号の書き込み動作は、フレーム画像を適切に表示することができる値に設定された第２書き込み周波数で行われる。時刻「Ｔ１」から、液晶パネル２３１の最も上方に位置する走査線に第２書き込み周波数でライン信号が書き込まれ、時刻「Ｔ１＋Ｔ２」において、液晶パネル２３１の最も下方に位置する走査線へのライン信号の書き込みが完了する。
【００６１】
上述したように、図５Ａ乃至図５Ｃにおいて、グラフの右側の縦軸は、液晶パネル２３１の最も下方に位置する走査線に書き込まれたライン信号によって駆動される液晶の応答度を示し、チャート線ＲＥＬは、液晶パネル２３１の最下に位置する液晶の応答度を示す。尚、図５Ａ乃至図５Ｃに示されるグラフのチャート線ＲＥＬは、図４に示されるＬ区間（白色の左眼フレーム画像を表示するための区間）における液晶の応答度を示す。
【００６２】
また、図５Ａ乃至図５Ｃのグラフの右側の縦軸の応答度は、液晶パネル２３１の最下に位置する走査線に書き込まれたライン信号に規定された色を表示するのに必要な光量に相当するバックライト２３２からの光を透過させたときの液晶の応答度が、「１００」の数値で表されている。また、直前のフレーム画像信号に基づく液晶の応答度が、「０」の数値で表されている。
【００６３】
図３Ａ及び図３Ｂの矢印ＣＴで示される如く、画素の充電電圧を目標値まで到達させるには第１走査動作中の書き込み時間は不十分である。したがって、図５Ａに示される如く、第１走査動作のみがフレーム画像の表示のために実行されたときは、その後、十分な時間経過後も液晶の応答度は、目標とする値に到達しない。
【００６４】
一方、図５Ｂに示される如く、第２走査動作のみがフレーム画像の表示のために実行されたときは、最下に位置する走査線に沿う液晶は、比較的遅い時刻「Ｔ２」から応答を開始する。この結果、光量増大期間Ｉが開始されたとき、最下に位置する走査線に沿う液晶は、十分な応答度に到達していない。
【００６５】
図５Ｃにおいて、液晶駆動部２２０が第１走査動作を実行したとき、最下に位置する走査線に沿う液晶は、図５Ａに示すチャート線ＲＥＬと同様に、時刻「Ｔ１」から応答を開始する。その後、時刻「Ｔ１」から液晶駆動部２２０が第２走査動作を実行すると、図５Ｂに示すチャート線ＲＥＬと同様に、時刻「Ｔ２」から応答を開始する。これにより、第１走査動作によってチャート線ＲＥＬの一定量の応答動作をした液晶に、第２走査動作によってチャート線ＲＥＬの応答動作が加算され、目標の応答度となるように更に応答動作を行う。この結果、最下に位置する走査線に沿う液晶は、比較的短時間で所望の応答度に到達することができる。第１書き込み周波数が、第２書き込み周波数の２倍の値であるならば、図５Ｃの液晶の応答開始時刻「Ｔ１」は、図５Ｂの液晶の応答開始時刻「Ｔ２」の半分になる。第１書き込み周波数の大きさは、液晶の応答開始時刻と第１走査動作により達成される液晶の応答度とに基づいて、適切に決定される。
【００６６】
図５Ｃに示される如く、時刻「Ｔ１＋Ｔ２」において、光量増大期間Ｉが開始されたとき、第１走査動作及び第２走査動作によって駆動された液晶は、比較的高い応答度となっている。上述の如く、第１走査動作のみによって駆動された液晶は、不十分な書き込み時間に起因して、比較的低い応答度となっている。また、第２走査動作のみによって駆動された液晶は、応答開始の遅れに起因して、低い応答度となっている。したがって、液晶駆動部２２０が第１走査動作及び第２走査動作を実行することによって、比較的遅いタイミングで走査動作がなされる液晶パネル２３１の表示領域で表示されるフレーム画像の部分におけるクロストークが好適に低減されることとなる。かくして、視聴者は、クロストークが低減されたフレーム画像を視聴することができる。
【００６７】
図６は、本発明の実施形態に係る映像視聴システム１００Ａの構成を概略的に示すブロック図である。
【００６８】
映像視聴システム１００Ａは、図１に示す眼鏡装置３００と、左眼用フレーム画像と右眼用フレーム画像とを交互に表示する表示装置２００Ａを備える。表示装置２００Ａは、図１に示す表示装置２００と同様の映像信号処理部２１０、液晶駆動部２２０、表示部２３０、第１制御部２５０及び第２制御部２４０に加えて、出力部２６０を備える。
【００６９】
図１に示す例と同様に、映像信号処理部２１０には、基本となる垂直同期周波数を有する映像信号（左眼用映像信号及び右眼用映像信号）が入力される。映像信号処理部２１０は、入力された左眼用映像信号（以下、Ｌ信号と称される）と右眼用映像信号（以下、Ｒ信号と称される）とを、基本となる垂直同期周波数のＮ倍（Ｎは自然数）の周波数で、交互に出力する。変換を通じて得られたＬ信号及びＲ信号は、出力部２６０へ出力される。
【００７０】
出力部２６０は、液晶駆動部２２０により実行される第１走査動作に用いられる第１フレーム画像信号と、液晶駆動部２２０により実行される第２走査動作に用いられる第２フレーム画像信号とを、液晶駆動部２２０へ出力する。本実施形態において、前記液晶駆動部２２０は、前記第１フレーム画像信号を用いて第１走査動作を行う場合、前記第２フレーム画像信号を用いて第２走査動作を行う場合に比べて、低い解像度で前記フレーム画像信号を走査する。また、前記第１走査動作は前記第２走査動作よりも短期間で走査を実行する。
【００７１】
出力部２６０は、Ｌ信号及び／又はＲ信号のフレーム画像信号に含まれる水平同期信号に規定される複数のライン信号を処理するライン信号処理部２６１と、ライン信号を記憶するライン信号記憶部２６２とを含む。ライン信号処理部２６１及びライン信号記憶部２６２は、後述されるように、協働してフレーム画像信号のライン信号に対して平均化処理又は選択処理を行い、第１フレーム画像信号を生成する。
【００７２】
図７は、出力部２６０が実行するライン信号に対する平均化処理を概略的に説明する図である。図６及び図７を参照しつつ、出力部２６０が実行するライン信号に対する平均化処理が説明される。
【００７３】
図７には、ライン信号が書き込まれる複数の走査線Ｌ１乃至Ｌ１６が示されている。主走査線方向に延びる走査線Ｌ１乃至Ｌ１６は、副走査方向に略平行に整列される。各走査線に沿って、画素Ｐが整列される。本実施形態において、互いに隣接する一対の走査線の組（例えば、走査線Ｌ１，Ｌ２の組，走査線Ｌ３，Ｌ４の組、走査線Ｌ５，Ｌ６の組）に沿う画素Ｐの集合は、それぞれが複数の表示領域を形成する。例えば、走査線Ｌ１，Ｌ２の組にそれぞれ書き込まれる複数のライン信号によって表現されるフレーム画像の部分は、第１画像部分として例示される。また、走査線Ｌ３，Ｌ４の組にそれぞれ書き込まれる複数のライン信号によって表現されるフレーム画像の部分は、第２画像部分として例示される。この場合、走査線Ｌ１，Ｌ２の組にそれぞれ書き込まれる複数のライン信号は、第１ライン信号として例示される。また、走査線Ｌ３，Ｌ４の組にそれぞれ書き込まれる複数のライン信号は、第２ライン信号として例示される。更に、この場合、走査線Ｌ１，Ｌ２の組は、複数の第１走査線として例示され、走査線Ｌ３，Ｌ４の組は、複数の第２走査線として例示される。
【００７４】
ライン信号処理部２６１は、走査線の組ごとに信号処理を行う。ライン信号処理部２６１は、例えば、走査線Ｌ１に対応するライン信号をライン信号記憶部２６２に記憶させる。その後、走査線Ｌ２に対応するライン信号が映像信号処理部２１０から入力されたとき、ライン信号処理部２６１は、ライン信号記憶部２６２から走査線Ｌ１に対応するライン信号を読み出す。ライン信号処理部２６１は、更に、走査線Ｌ１に対応するライン信号と、走査線Ｌ２に対応するライン信号とを平均化する。
【００７５】
図７には、説明の明瞭化のために、副走査方向へ延びる画素列は、符号「Ｍ１」乃至「Ｍ３２」で示されている。副走査方向へ延びる画素列Ｍ１乃至Ｍ３２は、主走査方向に整列している。ライン信号の平均化処理において、ライン信号処理部２６１は、例えば、画素列Ｍ１上と走査線Ｌ１との交点に位置する画素Ｐに対応するライン信号の値及び画素列Ｍ１と走査線Ｌ２との交点に位置する画素Ｐに対応するライン信号の値を平均化して、画素列Ｍ１と走査線Ｌ１及びＬ２との交点に対応する２つの画素Ｐに対する信号の値を定める。この結果、これら２つの画素Ｐには、互いに等しい値の信号（平均化処理されたライン信号）が割り当てられる。ライン信号処理部２６１は、このような平均化処理を走査線Ｌ１，Ｌ２と画素列Ｍ２乃至Ｍ３２との交点に位置する各画素Ｐに対して繰り返し、走査線Ｌ１，Ｌ２に共通して書き込まれる共通ライン信号を生成する。ライン信号処理部２６１は、他の走査線Ｌ３乃至Ｌ１６に対応するライン信号に対して、同様の平均化処理を実行する。かくして、複数の走査線の組に対してそれぞれ書き込まれる複数の共通ライン信号が生成される。
【００７６】
複数の第１走査線として用いられる一の走査線の組（例えば、走査線Ｌ１，Ｌ２の組）に対して決定される共通ライン信号は、第１共通ライン信号として例示される。また、他のもう１つの走査線の組（例えば、走査線Ｌ３，Ｌ４の組）に対して決定される共通ライン信号は第２共通ライン信号として例示される。
【００７７】
図８は、出力部２６０が実行するライン信号に対する選択処理を概略的に説明する図である。図６乃至図８を参照しつつ、出力部２６０が実行するライン信号に対する選択処理が説明される。
【００７８】
出力部２６０は、図７に関連して説明された平均化処理に代えて、ライン信号に対して選択処理を行ってもよい。図８に示される走査線Ｌ１乃至Ｌ１６及び画素列Ｍ１乃至Ｍ３２の配列は、図７と同様である。ライン信号処理部２６１は、図７に関連して説明された平均化処理の代わりに、各表示領域を形成する主走査方向の画素列に対応する走査線の組に入力される複数のライン信号のうち１つのライン信号を選択し、共通ライン信号を生成してもよい。
【００７９】
ライン信号処理部２６１は、図７に関連して説明された平均化処理と同様に、走査線の組ごとに信号処理を行う。ライン信号処理部２６１は、例えば、走査線Ｌ１に対応するライン信号をライン信号記憶部２６２に記憶させる。その後、走査線Ｌ２に対応するライン信号が入力されたとき、ライン信号処理部２６１は、ライン信号記憶部２６２から走査線Ｌ１に対応するライン信号を読み出す。ライン信号処理部２６１は、更に、走査線Ｌ１に対応するライン信号と、走査線Ｌ２に対応するライン信号とに対して選択処理を行う。
【００８０】
ライン信号の選択処理において、ライン信号処理部２６１は、例えば、画素列Ｍ１と走査線Ｌ１との交点に位置する画素Ｐに対応するライン信号の値及び画素列Ｍ１と走査線Ｌ２との交点に位置する画素Ｐに対応するライン信号の値とを比較して、走査線Ｌ１及びＬ２と画素列Ｍ１との交点に位置する２つの画素に対応する信号の値を定める。ライン信号処理部２６１は、例えば、走査線Ｌ１と画素列Ｍ１との交点に位置する画素Ｐに対するライン信号の値及び走査線Ｌ２と画素列Ｍ１との交点に位置する画素Ｐに対するライン信号の値のうち大きい方の値（最大値）或いは小さい方の値（最小値）を共通ライン信号の値として定めてもよい。ライン信号処理部２６１は、このような選択処理を走査線Ｌ１，Ｌ２と画素列Ｍ２乃至Ｍ３２との交点に位置する画素Ｐに対して繰り返し、走査線Ｌ１，Ｌ２に共通して書き込まれる共通ライン信号を生成する。ライン信号処理部２６１は、他の走査線Ｌ３乃至Ｌ１６に対応するライン信号に対して、同様の選択処理を実行する。かくして、複数の走査線の組に対してそれぞれ書き込まれる複数の共通ライン信号が生成される。
【００８１】
代替的に、奇数番号の走査線（走査線Ｌ１、Ｌ３、Ｌ５・・・）又は偶数番号の走査線（走査線Ｌ２，Ｌ４，Ｌ６・・・）に入力されるライン信号が共通ライン信号として用いられることが予め決定されていてもよい。ライン信号処理部２６１は、予め決定された走査線に入力されたライン信号を共通ライン信号として出力してもよい。
【００８２】
図９Ａ乃至図１０Ｂは、本実施形態に用いられる第１走査動作と第２走査動作とを概略的に説明するグラフである。図９Ａは、第１走査動作を概略的に説明するグラフである。図９Ｂは、第２走査動作を概略的に説明するグラフである。図１０Ａは、第１走査動作における共通ライン信号の書き込みを概略的に説明する図である。図１０Ｂは、第２走査動作におけるライン信号の書き込みを概略的に説明する図である。図６乃至図１０Ｂを参照しつつ、第１走査動作及び第２走査動作が説明される。
【００８３】
図９Ａ及び図９Ｂのグラフの横軸は、時間軸である。図９Ａ及び図９Ｂのグラフの縦軸は、液晶パネル２３１の副走査方向の位置を表す。図９Ａ及び図９Ｂのグラフに示される矢印ＣＴは、液晶パネル２３１の副走査方向に整列した各走査線に沿う各画素に印加される電圧の印加時間を表す。尚、説明の理解を容易にするために、図９Ａ及び図９Ｂに概略的に示される走査動作によって液晶パネル２３１に表示されるフレーム画像は単一色とされている。したがって、液晶パネル２３１の各画素に対する電圧の印加時間の長さ（即ち、矢印ＣＴの長さ）は、第１走査期間において、一定である。同様に、液晶パネル２３１の各画素に対する電圧の印加時間の長さ（即ち、矢印ＣＴの長さ）は、第２走査期間において、一定である。
【００８４】
図１０Ａ及び図１０Ｂには、副走査方向に整列された走査線Ｌ１乃至Ｌ６が示されている。各走査線Ｌ１乃至Ｌ６に沿うチャート線は、各走査線に入力される信号（図１０Ａのチャート線は、第１走査における共通ライン信号を示し、図１０Ｂのチャート線は、第２走査におけるＬ信号又はＲ信号であるフレーム画像信号のライン信号を示す）の書き込みを表す。尚、図１０Ａ及び図１０Ｂには、６つの走査線が示されているが、走査線Ｌ６の下方に連なる走査線に関しても、図１０Ａ及び図１０Ｂに関連する説明は同様に適用される。
【００８５】
図７及び図８に関連して説明された如く、出力部２６０は、複数のライン信号に基づき、共通ライン信号を生成するとともに、共通ライン信号に基づき作成された第１フレーム画像を液晶駆動部２２０に出力する。第１走査動作を行う液晶駆動部２２０は、各組の走査線に共通ライン信号を同時に書き込む。
【００８６】
出力部２６０は、第１フレーム画像信号を出力した後、第２フレーム画像信号を液晶駆動部２２０に出力する。尚、第２フレーム画像信号は、第１フレーム画像信号に変換される前のフレーム画像信号と同様の画像情報を含む。
【００８７】
液晶駆動部２２０は、第１フレーム画像信号を用いて第１走査動作を実行し、その後、第２フレーム画像信号を用いて第２走査動作を実行する。上述の如く、平均化処理或いは選択処理は、一対の走査線を含む組ごとに行われる。したがって、液晶駆動部２２０は、第２走査動作と比較して、半分の解像度のフレーム画像が描かれるように第１走査動作を実行する。尚、平均化処理或いは選択処理が、３或いはそれ以上の走査線を含む組単位で行われるならば、第１走査動作によって描かれるフレーム画像の解像度は、３分の１或いはそれ以下となる。
【００８８】
図９Ａ及び図１０Ａに示される如く、第１走査動作を実行する液晶駆動部２２０は、第１フレーム画像信号に基づいて、各表示領域に対応する走査線の組に同時に共通ライン信号を書き込む。例えば、走査線Ｌ１，Ｌ２の組に、走査線Ｌ１及び走査線Ｌ２にそれぞれ対応するライン信号から生成された共通ライン信号が同時に書き込まれる。走査線Ｌ１及び走査線Ｌ２の主走査方向への共通ライン信号の書き込みが完了した後、走査線Ｌ３，Ｌ４の組に対する共通ライン信号の書き込みがなされる。複数の走査線に対して、共通ライン信号が同時に書き込まれることによって、第１走査動作は比較的短い時間で完了する。
【００８９】
図９Ｂ及び図１０Ｂに示される如く、第２走査動作を実行する液晶駆動部２２０は、第２フレーム画像信号に基づいて、各走査線に対して、対応するライン信号を順次書き込む。例えば、走査線Ｌ１に対応するフレーム画像信号のライン信号は、走査線Ｌ１に書き込まれる。その後、走査線Ｌ２に対応するフレーム画像信号のライン信号は、走査線Ｌ２に書き込まれる。このような順次の書き込みが、液晶パネル２３１の副走査区間Ｓの全体（図２参照）に亘って行われることによって、フレーム画像が液晶パネル２３１に表示される。
【００９０】
図９Ａ乃至図１０Ｂに示される如く、各走査線に対する信号の書き込み時間（即ち、図９Ａ及び図９Ｂの矢印ＣＴの長さ）は、第１走査動作と第２走査動作との間で一定である。したがって、図１に示す例と較べて、第１走査動作によって液晶の応答が十分に進む。
【００９１】
図１１Ａ乃至図１１Ｃは、１つのフレーム画像の表示に対して第１走査動作と第２走査動作とが実行されることによる効果を概略的に説明するグラフで、グラフの右側の縦軸は、液晶パネル２３１の最も下方に位置する走査線に書き込まれたライン信号によって駆動される液晶の応答度を示している。図１１Ａは、１つのフレーム画像の表示に対して第１走査動作のみが実行されたときの液晶の応答を示す。図１１Ｂは、１つのフレーム画像の表示に対して第２走査動作のみが実行されたときの液晶の応答を示す。図１１Ｃは、１つのフレーム画像の表示に対して、第１走査動作と第２走査動作とが実行されたときの液晶の応答を示す。図６乃至図１１Ｃを参照しつつ、第１走査動作の効果が説明される。
【００９２】
図１１Ａ乃至図１１Ｃに示されるグラフの横軸は、時間軸である。図１１Ａ乃至図１１Ｃに示されるグラフの左側の縦軸は、液晶パネル２３１の副走査方向の位置を示す。図１１Ａ乃至図１１Ｃに示される矢印Ｓ１は、第１走査動作を示す。また、図１１Ａ乃至図１１Ｃに示される矢印Ｓ２は、第２走査動作を示す。
【００９３】
図１１Ａに示す第１走査動作では、時刻「０」から、液晶パネル２３１の最も上方に位置する走査線に、上述の平均化処理又は選択処理によって生成された共通ライン信号が書き込まれる。液晶駆動部２２０は、順次、下方の走査線に共通ライン信号を書き込む。時刻「Ｔ１」において、液晶パネル２３１の最も下方に位置する走査線へのライン信号の書き込みが完了する。
【００９４】
図１１Ｂに示す第２走査動作では、時刻「０」から、液晶パネル２３１の最も上方に位置する走査線にライン信号が書き込まれる。液晶駆動部２２０は、順次、下方の走査線にライン信号を書き込む。時刻「Ｔ２」において、液晶パネル２３１の最も下方に位置する走査線へのライン信号の書き込みが完了する。
【００９５】
図１１Ｃに示される第１走査動作では、時刻「０」から、液晶パネル２３１の最も上方に位置する走査線に共通ライン信号が書き込まれる。液晶駆動部２２０は、順次、下方の走査線に共通ライン信号を書き込む。時刻「Ｔ１」において、液晶パネル２３１の最も下方に位置する走査線へのライン信号の書き込みが完了する。ここで、図５で説明したように、第１走査動作におけるライン信号の第１書き込み周波数は、第２走査動作におけるライン信号の第２書き込み周波数の値より高く設定された書き込み周波数で行われる。
【００９６】
その後、液晶駆動部２２０は、第２走査動作を実行する。時刻「Ｔ１」から、液晶パネル２３１の最も上方に位置する走査線にライン信号が書き込まれる。液晶駆動部２２０は、その後、下方の走査線にライン信号を、順次、書き込む。時刻「Ｔ１＋Ｔ２」において、液晶パネル２３１の最も下方に位置する走査線へのライン信号の書き込みが完了する。
【００９７】
図１１Ａ乃至図１１Ｃに示されるグラフの右側の縦軸は、液晶パネル２３１の最も下方に位置する走査線に書き込まれたライン信号によって駆動される液晶の応答度を示す。図１１Ａ乃至図１１Ｃに示されるグラフのチャート線ＲＥＬは、液晶パネル２３１の最下に位置する液晶の応答度を示す。
【００９８】
また、図１１Ａ乃至図１１Ｃのグラフの右側の縦軸の応答度は、液晶パネル２３１の最下に位置する走査線に書き込まれたライン信号に規定された色を表示するのに必要な光量に相当するバックライト２３２からの光を透過させたときの液晶の応答度が、「１００」の数値で表されている。また、直前のフレーム画像信号に基づく液晶の応答度が、「０」の数値で表されている。
【００９９】
第１走査動作において書き込まれる共通ライン信号によって表現される映像の解像度は、映像信号処理部２１０から出力されるＬ信号又はＲ信号によって規定される映像の解像度よりも低い。この結果、第１走査動作のみが行われた場合、映像信号処理部２１０から出力されるＬ信号又はＲ信号によって規定される本来の映像に対応する応答度に対して、液晶の応答度にずれが生じる。図１１Ａに示されるグラフ中、液晶の応答度のずれは、記号「ｄ」で示されている。
【０１００】
図１１Ｂに示される第２走査動作のみを用いた書き込み手法は、図５Ｂに関連して説明された手法と同様である。第２走査動作のみがフレーム画像の表示のために実行されたときは、最下に位置する走査線に沿う液晶は、比較的遅い時刻「Ｔ２」から応答を開始する。この結果、光量増大期間Ｉが開始されたとき、最下に位置する走査線に沿う液晶は、十分な応答度に到達していない。
【０１０１】
図１１Ｃにおいて、液晶駆動部２２０が第１走査動作を実行したとき、最下に位置する走査線に沿う液晶は、図１１Ａに示すチャート線ＲＥＬと同様に、時刻「Ｔ１」から応答を開始する。その後、時刻「Ｔ１」から液晶駆動部２２０が第２走査動作を実行すると、図１１Ｂに示すチャート線ＲＥＬと同様に、時刻「Ｔ２」から応答を開始する。これにより、第１走査動作によってチャート線ＲＥＬの一定量の応答動作をした液晶に、第２走査動作によってチャート線ＲＥＬの応答動作が加算され、目標の応答度となるように更に応答動作を行う。この結果、最下に位置する走査線に沿う液晶は、比較的短時間で所望の応答度（本来の映像の解像度を達成することができる応答度）に到達することができる。
【０１０２】
図１１Ｃに示される如く、時刻「Ｔ１＋Ｔ２」において、光量増大期間Ｉが開始されたとき、第１走査動作及び第２走査動作によって駆動された液晶は、本来の映像が要求する目標の応答度に近い、或いは、一致した応答度を達成する。上述の如く、第１走査動作のみによって駆動された液晶は、本来の映像が要求する映像の応答度とのずれに起因して、目標値から離間した応答度となっている。また、第２走査動作のみによって駆動された液晶は、応答開始の遅れに起因して、低い応答度となっている。したがって、液晶駆動部２２０が第１走査動作及び第２走査動作を実行することによって、比較的遅いタイミングで走査動作がなされる液晶パネル２３１の表示領域で表示されるフレーム画像の部分におけるクロストークが好適に低減されることとなる。かくして、視聴者は、クロストークが低減されたフレーム画像を視聴することができる。
【０１０３】
図９Ａ乃至図１１Ｃに示されるように、一対の走査線に同時に共通ライン信号が書き込まれることによって、第１走査期間の長さ「Ｔ１」は、第２走査期間の長さ「Ｔ２」の半分の長さとなる。上述の如く、互いに隣接する３つ或いはそれ以上の走査線に対応するライン信号から共通ライン信号が生成されてもよい。このとき、互いに隣接する３つ或いはそれ以上の走査線に沿って配列される画素列によって、複数の表示領域が規定される。互いに隣接する３つ或いはそれ以上の走査線に対応するライン信号から生成された共通ライン信号は、各表示領域の走査線に同時に書き込まれる。この結果、第１走査期間の長さ「Ｔ１」は、第２走査期間の長さ「Ｔ２」の３分の１或いはそれ以下の長さに短縮される。平均化処理或いは選択処理を施与される走査線の組中に含まれる走査線の数は、液晶の応答開始時刻と、第１走査動作において達成される液晶の応答度と本来の映像が要求する液晶の応答度との間のずれ「ｄ」の大きさとに基づいて、適切に決定される。短縮された第１走査期間の長さ「Ｔ１」によって、第１走査動作後、且つ、左眼フィルタ３１１又は右眼フィルタ３１２が光量を増大させる前に、第２走査動作が実行されるための期間が適切に確保されることとなる。
【０１０４】
本実施形態において、第１走査動作によって、液晶パネル２３１の下部における液晶の応答が比較的早期に行われるため、図４乃至図５Ｃに関連して説明された液晶の応答と同様に、光量増大期間Ｉの開始までに、液晶パネル２３１の副走査区間Ｓの全体に亘って、比較的均一な液晶パネル２３１の液晶の応答が得られる。かくして、液晶パネル２３１の下部におけるクロストークの局所的な増大が適切に抑制される。
【０１０５】
上述された実施形態は、以下の構成を主に備える。以下の構成を備える表示装置及び映像視聴システムは、左眼用フレーム画像と右眼用フレーム画像との間のクロストークを抑制することができる。
【０１０６】
上述の実施形態の一の局面に係る表示装置は、左眼で視聴されるように作成された左眼用フレーム画像と右眼で視聴されるように作成された右眼用フレーム画像とを、時間的に交互に切り換えて表示面に表示する液晶パネルと、前記左眼用フレーム画像または前記右眼用フレーム画像を表示するためのフレーム画像信号を、前記表示面に亘って走査して前記液晶パネルを駆動する液晶駆動部と、を備え、該液晶駆動部は、前記表示面に亘って第１走査動作を実行し、前記第１走査動作の後に前記表示面に亘って第２走査動作を実行し、前記第１走査動作は、前記第２走査動作よりも短期間で実行されることを特徴とする。
【０１０７】
上記構成によれば、液晶パネルは、左眼で視聴されるように作成された左眼用フレーム画像と右眼で視聴されるように作成された右眼用フレーム画像とを、時間的に交互に切り換えて表示面に表示する。液晶駆動部は、左眼用フレーム画像または右眼用フレーム画像を表示するためのフレーム画像信号を、表示面に亘って走査して液晶パネルを駆動する。液晶駆動部は、表示面に亘って実行される第１走査動作と、第１走査動作の後に表示面に亘って実行される第２走査動作とを実行する。第１走査動作は、第２走査動作よりも短期間で実行される。第１走査動作によって、比較的早期に液晶パネル全体の液晶の駆動が開始されるので、フレーム画像内での液晶の応答完了時刻の遅れが低減される。かくして、フレーム画像内での局所的なクロストークが好適に低減されることとなる。また、第１走査動作は、第２走査動作よりも短期間で実行されるので、第２走査動作を実行するための期間が適切に確保される。
【０１０８】
上記構成において、前記液晶駆動部は、前記第２走査動作を行う場合よりも前記第１走査動作を行う場合の方が大きな値の書き込み周波数で前記フレーム画像信号を走査することが好ましい。
【０１０９】
上記構成によれば、液晶駆動部は、第２走査動作を行う場合よりも第１走査動作を行う場合の方が大きな値の書き込み周波数でフレーム画像信号を走査する。したがって、第１走査動作は、第２走査動作よりも短期間で実行される。この結果、第２走査動作を実行するための期間が適切に確保される。
【０１１０】
上記構成において、前記フレーム画像信号を前記液晶駆動部へ出力する出力部を更に備え、該出力部が出力する前記フレーム画像信号は、前記第１走査動作に用いられる第１フレーム画像信号と、前記第２走査動作に用いられる前記第２フレーム画像信号と、を含み、前記液晶駆動部は、前記第１フレーム画像信号を用いて前記第１走査動作を行う場合よりも前記第２フレーム画像を用いて前記第２走査動作を行う場合の方が低い解像度で前記フレーム画像信号を走査することが好ましい。
【０１１１】
上記構成によれば、出力部は、第１走査動作に用いられる第１フレーム画像信号と、第２走査動作に用いられる第２フレーム画像信号とを出力する。液晶駆動部は、第１フレーム画像信号を用いて第１走査動作を行う場合よりも第２フレーム画像を用いて第２走査動作を行う場合の方が低い解像度でフレーム画像信号を走査する。したがって、第１走査動作は、第２走査動作よりも短期間で実行される。この結果、第２走査動作を実行するための期間が適切に確保される。
【０１１２】
上記構成において、前記フレーム画像信号は、水平同期信号により規定される複数のライン信号を含み、前記液晶パネルは、前記複数のライン信号がそれぞれ書き込まれる複数の走査線を含み、前記出力部は、前記第１走査動作において前記複数の走査線に同時に書き込まれる共通ライン信号を前記複数のライン信号に基づき生成し、前記共通ライン信号を用いて前記第１フレーム画像信号を出力するとともに、前記複数のライン信号を用いて前記第２フレーム画像信号を出力し、前記液晶駆動部は、前記第１走査動作を行う場合は、前記共通ライン信号を前記複数の走査線に同時に書き込み、前記第２走査動作を行う場合は、前記ライン信号それぞれを前記複数の走査線に順次書き込むことが好ましい。
【０１１３】
上記構成によれば、フレーム画像信号は、水平同期信号により規定される複数のライン信号を含む。液晶パネルは、複数のライン信号がそれぞれ書き込まれる複数の走査線を含む。出力部は、複数のライン信号に基づき、第１走査動作において複数の走査線に同時に書き込まれる共通ライン信号を生成する。出力部は、共通ライン信号を用いて、第１フレーム画像を出力する。また、出力部は、複数のライン信号を用いて、第２フレーム画像を出力する。液晶駆動部は、第１走査動作を行う場合は、共通ライン信号を複数の走査線に同時に書き込む。また、液晶駆動部は、第２走査動作を行う場合は、ライン信号それぞれを複数の走査線に順次書き込む。かくして、第１走査動作は、第２走査動作より短い時間で行われる。この結果、第２走査動作を実行するための期間が確保される。
【０１１４】
上記構成において、前記フレーム画像は、前記液晶パネルに表示される第１画像部分及び第２画像部分を含み、前記複数のライン信号は、前記第１画像部分を表現するための複数の第１ライン信号と、前記第２画像部分を表現するための複数の第２ライン信号と、を含み、前記複数の走査線は、前記複数の第１ライン信号が書き込まれる複数の第１走査線と、前記複数の第２ライン信号が書き込まれる複数の第２走査線と、を含み、前記共通ライン信号は、前記複数の第１ライン信号に基づき生成される第１共通ライン信号と、前記複数の第２ライン信号に基づき生成される第２共通ライン信号と、を含み、前記液晶駆動部は、前記第１走査動作を行う場合は、前記第１共通ライン信号を前記複数の第１走査線に同時に書き込むとともに、前記第２共通ライン信号を前記複数の第２走査線に同時に書き込み、前記第２走査動作を行う場合は、前記複数の第１ライン信号を前記複数の第１走査線に順次書き込むとともに、前記複数の第２ライン信号を前記複数の第２走査線に順次書き込むことが好ましい。
【０１１５】
上記構成によれば、フレーム画像は、液晶パネルに表示される第１画像部分及び第２画像部分を含む。複数の第１ライン信号は、第１画像部分を表現するために用いられる。複数の第２ライン信号は、第２画像部分を表現するために用いられる。複数の第１走査線には、複数の第１ライン信号が書き込まれる。複数の第２走査線には、複数の第２ライン信号が書き込まれる。共通ライン信号は、複数の第１ライン信号に基づき生成される第１共通ライン信号と、複数の第２ライン信号に基づき生成される第２共通ライン信号と、を含む。液晶駆動部は、第１走査動作を行う場合は、第１共通ライン信号を複数の第１走査線に同時に書き込むとともに、第２共通ライン信号を複数の第２走査線に同時に書き込む。また、液晶駆動部は、第２走査動作を行う場合は、複数の第１ライン信号を複数の第１走査線に順次書き込むとともに、複数の第２ライン信号を複数の第２走査線に順次書き込む。かくして、第１走査動作は、第２走査動作より短い時間で行われる。この結果、第２走査動作を実行するための期間が確保される。
【０１１６】
上記構成において、前記出力部は、前記複数の第１ライン信号が平均化されてなる前記第１共通ライン信号と、前記複数の第２ライン信号が平均化されてなる前記第２共通ライン信号と、を出力することが好ましい。
【０１１７】
上記構成によれば、出力部は、複数の第１ライン信号が平均化されてなる第１共通ライン信号と、複数の第２ライン信号が平均化されてなる第２共通ライン信号と、を出力する。この結果、第１フレーム画像信号を用いて第１走査動作を行う液晶駆動部は、第２フレーム画像を用いて第２走査動作を行う液晶駆動部よりも低い解像度でフレーム画像信号を走査する。したがって、第１走査動作は、第２走査動作より短い時間で行われる。かくして、第２走査動作を実行するための期間が確保される。
【０１１８】
上記構成において、前記出力部は、前記複数の第１ライン信号のうち１つの第１ライン信号を選択し、該選択された第１ライン信号を前記第１共通ライン信号として出力するとともに、前記複数の第２ライン信号のうち１つの第２ライン信号を選択し、該選択された第２ライン信号を前記第２共通ライン信号として出力することが好ましい。
【０１１９】
上記構成によれば、出力部は、複数の第１ライン信号のうち１つの第１ライン信号を選択し、選択された第１ライン信号を第１共通ライン信号として出力する。また、出力部は、複数の第２ライン信号のうち１つの第２ライン信号を選択し、選択された第２ライン信号を第２共通ライン信号として出力する。この結果、第１フレーム画像信号を用いて第１走査動作を行う液晶駆動部は、第２フレーム画像を用いて第２走査動作を行う液晶駆動部よりも低い解像度でフレーム画像信号を走査する。したがって、第１走査動作は、第２走査動作より短い時間で行われる。かくして、第２走査動作を実行するための期間が確保される。
【０１２０】
上記構成において、前記左眼へ到達する光の量を調整する左眼フィルタと、前記右眼へ到達する光量を調整する右眼フィルタとを含む眼鏡装置を制御する制御部を更に備え、該制御部は、前記左眼で前記左眼用フレーム画像が視聴されるように前記左眼フィルタを制御し、前記左眼へ到達する前記光の量を増大させるとともに、前記右眼で前記右眼用フレーム画像が視聴されるように前記右眼フィルタを制御し、前記右眼へ到達する前記光の量を増大させ、前記制御部が前記左眼フィルタに前記左眼へ到達する光量を増大させる前に、前記液晶駆動部は、前記左眼フレーム画像を表示させるための前記第２走査動作を実行し、前記制御部が前記右眼フィルタに前記右眼へ到達する光量を増大させる前に、前記液晶駆動部は、前記右眼フレーム画像を表示させるための前記第２走査動作を実行することが好ましい。
【０１２１】
上記構成によれば、制御部は、左眼で左眼用フレーム画像が視聴されるように左眼フィルタを制御し、左眼へ到達する前記光の量を増大させる。また、制御部は、右眼で右眼用フレーム画像が視聴されるように右眼フィルタを制御し、右眼へ到達する光の量を増大させる。制御部が左眼フィルタに左眼へ到達する光量を増大させる前に、液晶駆動部は、左眼フレーム画像を表示させるための第２走査動作を実行する。また、制御部が右眼フィルタに右眼へ到達する光量を増大させる前に、液晶駆動部は、右眼フレーム画像を表示させるための第２走査動作を実行する。かくして、視聴者は、液晶パネルが時間的に交互に切り換えて表示する左眼用フレーム画像と右眼用フレーム画像とを好適に視聴することができる。
【０１２２】
上述の実施形態に係る映像視聴システムは、左眼で視聴されるように作成された左眼用フレーム画像と右眼で視聴されるように作成された右眼用フレーム画像とを表示する表示装置と、前記左眼用フレーム画像が視聴されるように前記左眼へ到達する光量を調整する左眼フィルタと、前記右眼用フレーム画像が視聴されるように前記右眼へ到達する光量を調整する右眼フィルタとを含む眼鏡装置と、を備え、前記表示装置は、前記左眼用フレーム画像と前記右眼用フレーム画像とを、時間的に交互に切り換えて表示面に表示する液晶パネルと、前記左眼用フレーム画像または前記右眼用フレーム画像を表示するためのフレーム画像信号を、前記表示面に亘って走査して前記液晶パネルを駆動する液晶駆動部と、を備え、該液晶駆動部は、前記表示面に亘って第１走査動作を実行し、前記第１走査動作の後に前記表示面に亘って第２走査動作を実行し、前記第１走査動作は、前記第２走査動作よりも短期間で実行されることを特徴とする。
【０１２３】
上記構成によれば、表示装置は、左眼で視聴されるように作成された左眼用フレーム画像と右眼で視聴されるように作成された右眼用フレーム画像とを表示する。眼鏡装置の左眼フィルタは、左眼用フレーム画像が視聴されるように左眼へ到達する光量を調整する。眼鏡装置の右眼フィルタは、右眼用フレーム画像が視聴されるように右眼へ到達する光量を調整する。液晶パネルは、左眼用フレーム画像と右眼用フレーム画像とを、時間的に交互に切り換えて表示面に表示する。液晶駆動部は、左眼用フレーム画像または右眼用フレーム画像を表示するためのフレーム画像信号を、表示面に亘って走査して液晶パネルを駆動する。液晶駆動部は、表示面に亘って実行される第１走査動作と、第１走査動作の後に表示面に亘って実行される第２走査動作とを実行する。第１走査動作は、第２走査動作よりも短期間で実行される。第１走査動作によって、比較的早期に液晶パネル全体の液晶の駆動が開始されるので、フレーム画像内での液晶の応答完了時刻の遅れが低減される。かくして、フレーム画像内での局所的なクロストークが好適に低減されることとなる。また、第１走査動作は、第２走査動作よりも短期間で実行されるので、第２走査動作を実行するための期間が適切に確保される。
【産業上の利用可能性】
【０１２４】
上述の実施形態の原理は、クロストークの低減が可能な表示装置及び映像視聴システムとして好適である。
【国際調査報告】
2011155148.tif 000045
2011155148.tif 000046
2011155148.tif 000047
2011155148.tif 000048